(57)【特許請求の範囲】
【請求項１】
試料回収デバイスであって、
筺体と、
前記筺体から遠位に延在する外側シャフトであって、長手方向の穴を画定する外側シャフトと、
前記外側シャフトの前記長手方向の穴の内部に移動可能に配置された内側シャフトと、
前記内側シャフトの遠位端上に移動可能に支持された保持部材と、
前記内側シャフトの遠位端上に支持されたパウチと
を備え、
前記保持部材は、前記内側シャフトの前記遠位端からの前記パウチの分離を防止する第１の位置から、前記内側シャフトからの前記パウチの分離を可能にする第２の位置まで、前記内側シャフトに対して移動可能に支持されており、かつ、前記内側シャフトに沿って軸方向に摺動可能である、試料回収デバイス。
【請求項２】
前記内側シャフトの遠位端は、少なくとも１つの突起を含み、前記パウチは、少なくとも１つの開口部を画定し、前記内側シャフトの前記少なくとも１つの突起は、前記内側シャフトの前記遠位端上の前記パウチを支持するように前記パウチの前記少なくとも１つの開口部内に受容される、請求項１に記載の試料回収デバイス。
【請求項３】
試料回収デバイスであって、
筺体と、
前記筺体から遠位に延在する外側シャフトであって、長手方向の穴を画定する外側シャフトと、
前記外側シャフトの前記長手方向の穴の内部に移動可能に配置された内側シャフトと、
前記内側シャフトの遠位端上に移動可能に支持された保持部材と、
前記内側シャフトの遠位端上に支持されたパウチと
を備え、
前記保持部材は、前記内側シャフトの前記遠位端からの前記パウチの分離を防止する第１の位置から、前記内側シャフトからの前記パウチの分離を可能にする第２の位置まで、前記内側シャフトに対して移動可能に支持されており、
前記内側シャフトの前記遠位端は、少なくとも１つの突起を含み、前記パウチは、少なくとも１つの開口部を画定し、前記内側シャフトの前記少なくとも１つの突起は、前記内側シャフトの前記遠位端上の前記パウチを支持するように前記パウチの前記少なくとも１つの開口部内に受容され、
前記保持部材は、前記パウチの前記少なくとも１つの突起からの分離を防止するために、前記少なくとも１つの突起に係合するように構成されている、試料回収デバイス。
【請求項４】
前記少なくとも１つの突起のそれぞれは、穴を画定し、前記保持部材は、前記少なくとも１つの突起上で前記パウチを保持するために、前記穴を通して延在するように構成されている、請求項３に記載の試料回収デバイス。
【請求項５】
前記少なくとも１つの突起は、２つの突起を含み、前記少なくとも１つの開口部は、２つの開口部を含む、請求項４に記載の試料回収デバイス。
【請求項６】
前記保持部材は、二股部材を含み、前記二股部材は、前記２つの突起のうちの一方の突起内の開口部を通して延在するように構成された第１の部分と、もう一方の突起の開口部を通して延在するように構成された第２の部分とを有する、請求項５に記載の試料回収デバイス。
【請求項７】
スレッドが、少なくとも１つの連結デバイスを介して前記保持部材に動作可能に連結されており、前記スレッドは、前記保持部材の近位の前記内側シャフト上に移動可能に支持されている、請求項１に記載の試料回収デバイス。
【請求項８】
前記少なくとも１つの連結デバイスは、ワイヤであり、前記ワイヤは、前記保持部材の近位端に連結された遠位端と、前記スレッドの遠位端に連結された近位端とを有する、請求項７に記載の試料回収デバイス。
【請求項９】
前記内側シャフトの遠位端は、少なくとも１つの突起を含み、前記パウチは、少なくとも１つの開口部を画定し、前記内側シャフトの前記少なくとも１つの突起は、前記内側シャフトの前記遠位端上の前記パウチを支持するように前記パウチの前記少なくとも１つの開口部内に受容され、
前記保持部材は、前記パウチの前記少なくとも１つの突起からの分離を防止するために、前記少なくとも１つの突起に係合するように構成されており、
前記筺体は、ストップ部材を画定し、前記スレッドは、前記内側シャフトが完全後退位置にあるときに、前記ストップ部材に係合する位置に置かれた弾性フィンガ部分を含み、前記完全後退位置から遠位に伸展位置に向かう前記内側シャフトの移動の際に、前記内側シャフトは、最初に前記スレッドおよび前記保持部材から独立して移動することにより、前記内側シャフトの前記少なくとも１つの突起から前記保持部材を脱係合するようにする、請求項７に記載の試料回収デバイス。
【請求項１０】
前記スレッドは、前記内側シャフト上に画定されるノッチ内に移動可能に支持されている、請求項９に記載の試料回収デバイス。
【請求項１１】
前記ノッチは、前記内側シャフトの頂部壁部分に沿って延在する、請求項１０に記載の試料回収デバイス。
【請求項１２】
前記内側シャフトは、壁部分を含み、前記壁部分は、前記筺体のストップ部材から前記弾性フィンガ部分を脱係合するために、前記内側シャフトが前記完全後退位置から前記伸展位置に向かって前記外側シャフトに対して遠位に移動させられるとき、前記スレッドの前記弾性フィンガ部分を下方向に押し付けるように構成されている、請求項９に記載の試料回収デバイス。
【請求項１３】
前記ストップ部材は、前記筺体の内壁に沿って画定されている、請求項９に記載の試料回収デバイス。
【請求項１４】
試料回収デバイスであって、
筺体と、
前記筺体から遠位に延在し、長手方向の穴を画定する外側シャフトと、
少なくとも１つのタブを含むパウチと、
前記外側シャフトの長手方向の穴内に配置され、その遠位端で前記パウチを着脱可能に支持する内側シャフトであって、前記パウチの前記少なくとも１つの近位タブを着脱可能に係合するように構成された少なくとも１つの突起を含む内側シャフトと、
前記内側シャフト上を摺動するように配置されたスレッドおよび保持部材であって、前記保持部材は、前記パウチを前記内側シャフトに固着するため前記内側シャフトの前記少なくとも１つの突起に係合するように構成されている、スレッドおよび保持部材と、
前記スレッドを前記保持部材に連結するための少なくとも１つの連結部材と、
前記筺体上に支持されたストップ部材であって、前記ストップ部材は、前記内側シャフトが完全後退位置にあるときに、前記スレッドの遠位に置かれ、かつ、前記スレッドと整列する、ストップ部材と
を備え、
前記完全後退位置から伸展位置に向かう前記外側シャフトに対する前記内側シャフトの遠位並進は、前記内側シャフトからの前記パウチの解放を容易にするために、前記スレッドが前記筺体のストップ部材に係合するようにして、前記内側シャフトが前記スレッドから独立して遠位に移動するようにし、前記保持部材が前記内側シャフトの前記少なくとも１つの突起からの前記保持部材の脱係合をもたらすようにする、試料回収デバイス。
【請求項１５】
前記スレッドは、弾性フィンガ部分を含み、前記弾性フィンガ部分は、前記内側シャフトが前記完全後退位置から前記伸展位置に向かって前記外側シャフトに対して遠位に移動させられるとき、前記筺体のストップ部材に係合するように構成されている、請求項１４に記載の試料回収デバイス。
【請求項１６】
前記スレッドは、前記内側シャフト上に画定されるノッチ内に摺動可能に受容される、請求項１３に記載の試料回収デバイス。
【請求項１７】
前記ストップ部材から前記弾性フィンガを脱係合するために、前記内側シャフトが前記外側シャフトに対して遠位に移動させられるとき、前記内側シャフトの頂部壁部分は、前記スレッドの前記弾性フィンガを下向きに押し付けるように構成されている、請求項１５に記載の試料回収デバイス。
【請求項１８】
前記ストップ部材は、前記筺体の内壁に沿って画定されている、請求項１７に記載の試料回収デバイス。
【請求項１９】
前記少なくとも１つの突起は、穴を画定し、前記穴は、前記パウチを前記内側シャフトに着脱可能に固着するために、前記保持部材の遠位端を受容するように構成されており、前記保持部材に対する前記内側シャフトの遠位への移動が、前記少なくとも１つの突起の前記穴から前記保持部材を脱係合する、請求項１４に記載の試料回収デバイス。
【請求項２０】
前記少なくとも１つの突起のそれぞれは、前記内側シャフトからの前記パウチの分離を容易にする近位面取りを含む、請求項１４に記載の試料回収デバイス。
【発明の詳細な説明】
【技術分野】
【０００１】
（関連出願への相互参照）
本出願は、２０１３年８月２３日に出願された米国仮特許出願番号第６１／８６９，１４１号、すべてが２０１３年１１月４日に出願された米国仮特許出願番号第６１／８９９，３５３号、同第６１／８９９，３５７号、同第６１／８９９，３６１号および同第６１／８９９，３６５号、ならびに２０１４年３月６日に出願された米国仮特許出願番号第６１／９４８，８３６号に基づく利益および優先権を主張している。上記で識別された出願の各々の全体の内容は、本明細書によって参考として援用される。
【０００２】
（技術分野）
本開示は、試料回収デバイスに関する。より具体的には、本開示は、離脱可能なパウチ、パウチの離脱を容易にする構造、および／またはパウチの不注意な離脱を防止する構造を含む試料回収デバイスに関する。
【背景技術】
【０００３】
（関連技術の背景）
腹腔鏡および内視鏡下の外科的手順は、最小侵襲性手順であり、そこでは、手術は、例えば、身体の自然な通路によって画定される開口部、組織貫通器具（例えば、トロカール）によって作り出された開口部等の小入口またはアクセス開口部を通して身体内に挿入された細長い器具によって、体内で行われる。
【０００４】
最小侵襲性処置は、多くの場合、例えば、腎摘出、胆嚢摘出、十二指腸切除、回腸切除、空腸切除、および他のそのような手順によって、身体の組織または器官を身体の内部から部分的または完全に除去するために用いられる。そのような手順の間、患部組織または器官は、皮膚内のアクセス開口部を介して、もしくはカニューレを通して除去されなければならないのが一般的である。様々な種類の回収デバイスが、これらの処置を容易にするものとして当該分野で公知である。
【０００５】
従来の回収デバイスは、典型的には、パウチまたは他の好適な閉じ込めデバイスを遠位シャフトから展開するように操作可能な近位端のハンドルを含む細長いアプリケータを含む。パウチは、目打ちされ得、目打ちに沿って支持部材に着脱可能に連結され得る。パウチ上の目打ちの結果、パウチは、目打ちに沿って引き裂くことにより、支持部材から離脱され得る。
【０００６】
パウチは、典型的には、回収デバイスの梱包および出荷の間に、折り畳まれ、もしくは巻かれて外側シャフト内に格納される。しかしながら、このように折り畳まれた、もしくは巻かれた状態でパウチを出荷すると、望ましくない記憶された折り皺がその上に形成される結果となり得、それにより、パウチがアプリケータから展開されるとき、臨床専門家がパウチを開くことをより困難にし得る。
【０００７】
１つまたはそれを上回るデバイスまたは構成要素、例えば、ストリッパプレートは、除去を容易にするように、パウチをばねから分離するために利用され得る。典型的には、パウチが遠位シャフトからいったん展開され、試料を捕捉するように回収デバイスが操縦されると、支持部材からのパウチからの解放は、ストリッパプレートによって容易にされ得る。理解され得るように、ばねからパウチが不注意に離脱する危険性を低減するため、ストリッパプレートを後退した配向で出荷することは有利である。したがって、パウチを展開位置にし、ストリッパプレート１４を後退位置にした状態で梱包および出荷され得る回収デバイスを提供する必要性がある。加えて、回収デバイスの出荷の間および初期取扱いの間に、後退位置からのストリッパプレートの不注意な展開を防止する構造を含む回収デバイスの必要性がある。
【発明の概要】
【課題を解決するための手段】
【０００８】
本開示の１つの側面は、筺体と、筺体から遠位に延在し、長手方向の穴を画定する外側シャフトと、外側シャフトの長手方向の穴内に移動可能に配置された内側シャフトとを含む、試料回収デバイスを対象とする。保持部材は、内側シャフトの遠位端上に移動可能に支持され、パウチは、内側シャフトの遠位端上に支持される。保持部材は、内側シャフトの遠位端からのパウチの分離を防止する第１の位置から、内側シャフトからのパウチの分離を可能にする第２の位置まで、内側シャフトに対して移動可能に支持される。
【０００９】
いくつかの実施形態では、内側シャフトの遠位端は、少なくとも１つの突起を含み、パウチは、少なくとも１つの開口部を画定する。内側シャフトの少なくとも１つの突起は、パウチを内側シャフトの遠位端上に支持するように、パウチの少なくとも１つの開口部内に受容される。
【００１０】
実施形態では、保持部材は、少なくとも１つの突起からのパウチの分離を防止するため、少なくとも１つの突起に係合するように構成される。
【００１１】
特定の実施形態では、少なくとも１つの突起のそれぞれが穴を画定し、保持部材は、少なくとも１つの突起上にパウチを保持するため、穴を通して延在するように構成される。
【００１２】
いくつかの実施形態では、少なくとも１つの突起は、２つの突起を含み、少なくとも１つの開口部は、２つの開口部を含む。
【００１３】
実施形態では、保持部材は、２つの突起のうちの１つの中の開口部を通して延在するように構成された第１の部分と、もう一方の突起内の開口部を通して延在するように構成された第２の部分とを有する、二股部材を含む。
【００１４】
特定の実施形態では、スレッドが少なくとも１つの連結デバイスを介して保持部材に動作可能に連結され、スレッドは、内側シャフト上で保持部材の近位に移動可能に支持される。
【００１５】
いくつかの実施形態では、少なくとも１つの連結デバイスは、保持部材の近位端に連結された遠位端と、スレッドの遠位端に連結された近位端とを有する、ワイヤである。
【００１６】
実施形態では、筺体は、ストップ部材を画定し、スレッドは、内側シャフトが完全後退位置にあるときにストップ部材に係合する位置に置かれた弾性フィンガ部分を含み、完全後退位置から伸展位置に向けた内側シャフトの遠位への移動と同時に、内側シャフトが最初にスレッドおよび保持部材から独立して移動するようにし、保持部材を内側シャフトの少なくとも１つの突起から脱係合するようにする。
【００１７】
特定の実施形態では、スレッドは、内側シャフト上に画定されるノッチ内に移動可能に支持される。ノッチは、内側シャフトの頂部壁部分に沿って延在してもよい。
【００１８】
いくつかの実施形態では、内側シャフトは、弾性フィンガ部分を筺体のストップ部材から脱係合するために、内側シャフトが完全後退位置から伸展位置に向かって外側シャフトに対して遠位に動かされるとき、スレッドの弾性フィンガ部分を下向きに押し付けるように構成された壁部分を含む。
【００１９】
実施形態では、ストップ部材が、筺体の内壁に沿って画定される。
【００２０】
いくつかの実施形態では、カバープレートが、内側シャフトの遠位端に隣接して動作可能に配置され、保持部材を内側シャフトに固着させるように構成される。
【００２１】
本開示の別の側面は、筺体と、筺体から遠位に延在し長手方向の穴を画定する外側シャフトと、少なくとも１つのタブを含むパウチと、外側シャフトの長手方向の穴内に配置され、その遠位端においてパウチを着脱可能に支持する内側シャフトとを含む、試料回収デバイスを対象とする。内側シャフトは、パウチの少なくとも１つの近位タブを着脱可能に係合するように構成された少なくとも１つの突起を含んでもよい。スレッドおよび保持部材は、内側シャフト上を摺動するように配置され、保持部材は、パウチを内側シャフトに固着するため、内側シャフトの少なくとも１つの突起に係合するように構成される。保持部材にスレッドを連結するため、少なくとも１つの連結部材が設けられる。ストップ部材は、筺体上に支持され、内側シャフトが完全後退位置にあるとき、スレッドの遠位の位置にこれと整列して置かれ、完全後退位置から伸展位置に向かう内側シャフトの外側シャフトに対する遠位並進は、スレッドが筺体のストップ部材と係合するようにし、内側シャフトがスレッドおよび保持部材から独立して遠位に移動するようにし、内側シャフトの少なくとも１つの突起からの保持部材の脱係合をもたらすようにして、内側シャフトからのパウチの解放を容易にする。
【００２２】
実施形態では、スレッドは、内側シャフトが完全後退位置から伸展位置に向かって外側シャフトに対して遠位に移動させられたとき、筺体のストップ部材に係合するように構成された弾性フィンガ部分を含む。
【００２３】
特定の実施形態では、スレッドは、内側シャフト上に画定されるノッチ内に摺動可能に受容される。内側シャフトの頂部壁部分は、内側シャフトが、弾性フィンガをストップ部材から脱係合するように外側シャフトに対して遠位に移動させられるとき、スレッドの弾性フィンガを下向きに押し付けるように構成され得る。
【００２４】
いくつかの実施形態では、ストップ部材は、筺体の内壁に沿って画定される。
【００２５】
実施形態では、少なくとも１つの突起は、パウチを内側シャフトに着脱可能に固着するため、保持部材の遠位端を受容するように構成された穴を画定し、保持部材に対する内側シャフトの遠位移動が、少なくとも１つの突起の穴から保持部材を脱係合する。
【００２６】
特定の実施形態では、少なくとも１つの突起のそれぞれは、内側シャフトからのパウチの分離を容易にする近位面取りを含む。
【００２７】
本開示の別の側面では、試料回収デバイスは、筺体と、筺体から遠位に延在し、長手方向の穴および長手方向の軸を画定する外側シャフトと、外側シャフトの長手方向の穴内に配置された内側シャフトと、内側シャフトの遠位端から延在する支持機構と、内側シャフトの遠位端で支持機構上に支持されたパウチと、外側シャフトの遠位端内に支持されたストリッパプレートとを含む。ストリッパプレートは、支持機構を受容するように構成された第１の開口を画定し、外側シャフトの遠位端内に配置された後退位置から展開位置への内側シャフトの遠位移動に応答して可動であり、ストリッパプレートは、外側シャフトの外側に配置される。ストリッパプレートが展開形態にあるとき、内側シャフトの外側シャフトに対する近位移動は、ストリッパプレートが外側シャフトの遠位端に係合するようにし、パウチがストリッパプレートの前端部に係合するようにして、内側シャフトのさらなる近位移動が、内側シャフトの支持機構からのパウチの分離を引き起こすようにする。
【００２８】
いくつかの実施形態では、ストリッパプレートは、主軸および副軸を画定する略長円の形態を有する。ストリッパプレートは、外側シャフトの長手方向の軸に対する第１の角度を画定するように、後退位置にある外側シャフトの遠位端内に配向され、外側シャフトの長手方向の軸に対する第２の角度を画定するように、展開位置にある外側シャフトの外側に置かれる。
【００２９】
実施形態では、副軸の幅は、外側シャフトの内径を下回り、主軸の幅は、外側シャフトの内径を上回る。
【００３０】
特定の実施形態では、ストリッパプレートは、第２の開口を含み、ストリッパプレートの第１の開口は、略円周の形状を有し、支持機構を受容するように構成され、第２の開口は、略三角の形状を有し、試料回収デバイスのシンチを受容するように構成される。
【００３１】
いくつかの実施形態では、第２の開口は、第１の上部分、第２の上部分、および下部分によってさらに画定される。第１および第２の上部分のそれぞれは、略円周の壁によって画定され、下部分は、略凹面の壁によって画定される。
【００３２】
実施形態では、第１および第２の対向するチャネルが、第１および第２の上部分のそれぞれと下部分との間に設けられ、第１および第２の上部分は、試料回収デバイスのシンチの部分を受容するように構成される。実施形態では、第１および第２の上部分は、シンチが第１および第２の部分を通して引かれる際、その上にドラグ力を働かせるように、シンチと比例したサイズにされる。
【００３３】
いくつかの実施形態では、ストリッパプレートの前端部は、略平面の構成を含む。
【００３４】
特定の実施形態では、ストリッパプレートは、後端部とストリッパプレートの前端部に対して２５度〜４５度の範囲の角度を画定する傾斜した周壁とを含む。後退位置において、ストリッパプレートの第１の角度は、１度〜７５度の範囲にあってもよい。展開位置において、ストリッパプレートの第２の角度は、約７６度〜約９０度の範囲にあってもよい。
【００３５】
実施形態では、くさび部材が、内側シャフトの近位端に着脱可能に連結され、ストリッパプレートが展開位置に移動されることを防止するために、完全伸展位置への外側シャフトに対する内側シャフトの遠位移動を防止するように構成される。
【００３６】
いくつかの実施形態では、ストリッパプレートの少なくとも１つの開口は、第１および第２の開口によってさらに画定され、ストリッパプレートの第１の開口は、略円周の形状を有し、支持機構を受容するように構成され、第２の開口は、略三角の形状を有し、試料回収デバイスのシンチを受容するように構成される。
【００３７】
本開示の別の側面では、試料回収デバイスは、筺体と、筺体から遠位に延在し、長手方向の穴および長手方向の軸を画定する外側シャフトと、外側シャフトの長手方向の穴内に配置された内側シャフトと、パウチと、支持機構上に支持されたパウチおよびストリッパプレートを着脱可能に支持するように構成された、内側シャフトの遠位端に固着された支持機構とを含む。ストリッパプレートは、試料回収デバイスの支持機構およびシンチをそれぞれ受容するように構成された第１および第２の開口を有する。ストリッパプレートは、外側シャフト内に配置され、長手方向の軸に対して第１の角度で配向された後退位置から、外側シャフトの外部に配置され、長手方向の軸に対して第２の角度で配向された展開位置まで可動である。ストリッパプレートが展開位置にあるとき、内側シャフトの外側シャフトに対する近位移動は、ストリッパプレートの後端部が外側シャフトの遠位端に接触するようにし、パウチがストリッパプレートの前端部に係合するようにして、伸展位置から後退位置に向かう内側シャフトの外側シャフトに対するさらなる近位移動が、パウチを内側シャフトの支持機構から切り離すようにする。
【００３８】
実施形態では、ストリッパプレートは、主軸および副軸を画定する略長円の形態を含む。副軸の幅は、外側シャフトの内径を下回り、主軸の幅は、外側シャフトの内径を上回る。
【００３９】
いくつかの実施形態では、ストリッパプレートの第１の開口は、略円周の形状を有し、支持機構を受容するように構成され、第２の開口は、略三角の形状を有し、試料回収デバイスのシンチを受容するように構成される。
【００４０】
いくつかの実施形態では、第２の開口は、第１の上部分、第２の上部分、および下部分によってさらに画定される。第１および第２の上部分のそれぞれは、略円周の壁によって画定され、下部分は、略凹面の下部壁によって画定される。
【００４１】
特定の実施形態では、第１および第２の対向するチャネルが、第１および第２の上部分のそれぞれと下部分との間に設けられる。
【００４２】
実施形態では、第１および第２の上部分は、シンチが第１または第２の部分を通して引かれる際、シンチ上にドラグ力を働かせるように、シンチと比例したサイズにされる。
【００４３】
いくつかの実施形態では、ストリッパプレートの前端部は、略平面の形態を有する。
【００４４】
特定の実施形態では、ストリッパプレートは、ストリッパプレートの前端部に対して２５度〜４５度の範囲の角度で傾斜する、略長円形に形作られた周壁を含む。
【００４５】
実施形態では、後退位置において、ストリッパプレートの第１の角度は、１度〜７５度の範囲にあり、展開位置において、ストリッパプレートの第２の角度は、７６度〜９０度の範囲にある。
【００４６】
いくつかの実施形態では、くさび部材が、内側シャフトの近位端に隣接する内部シャフトに着脱可能に連結され、ストリッパシャフトが展開位置に移動されることを防止するために、内側シャフトの外側シャフトに対する完全伸展位置への遠位移動を防止するように構成される。
【００４７】
実施形態では、ストリッパプレートの第１の開口は、略円周の形状を有し、支持機構を受容するように構成され、第２の開口は、略三角の形状を有し、試料回収デバイスのシンチを受容するように構成される。
【００４８】
本開示のさらに別の側面では、試料回収デバイスは、長手方向の穴および長手方向の軸を画定し閉塞部材を含む外側シャフトと、外側シャフトの長手方向の穴内に移動可能に配置され、近位および遠位の開口を画定する内側シャフトと、内側シャフトの遠位端に固着された支持機構と、支持機構上に着脱可能に支持されたパウチと、内側シャフトの近位端に係合するように構成された駆動デバイスとを含む。駆動デバイスは、駆動デバイスを内側シャフトに固着するため、内側シャフトの近位および遠位開口の１つの内部に受容されるように構成された、内側に延在する少なくとも１つの突起を含む。内側シャフトの部分的後退位置では、駆動デバイスの、内側に延在する少なくとも１つの突起は、内側シャフトの遠位開口内に置かれ、第１の位置にある内側シャフトに駆動デバイスを着脱可能に固着するようにし、外側シャフトに対する部分的後退位置から完全後退位置に向かう内側シャフトの近位移動が、外側シャフトの閉塞部材を内側シャフトの遠位開口内に移動させ、駆動デバイスの少なくとも１つの突起を内側シャフトの遠位開口から動かして、内側シャフトから駆動デバイスを脱係合するようにする。遠位開口からの少なくとも１つの突起の脱係合の際に、駆動デバイスは、第２の位置にある内側シャフトに駆動デバイスを再固着するため駆動デバイスの少なくとも１つの突起が内側シャフトの近位開口内に受容される位置に、内側シャフトから独立して近位に移動可能である。
【００４９】
いくつかの実施形態では、少なくとも１つの突起は、駆動デバイスの弾性アーム上に支持される。
【００５０】
特定の実施形態では、内側シャフトは、遠位開口と連通する少なくとも１つの溝をさらに含む。
【００５１】
実施形態では、少なくとも１つの溝は、内側シャフトの部分的後退位置から完全後退位置に内側シャフトが外側シャフトに対して近位に移動されるとき、筺体の少なくとも１つの閉塞部材を受容するように構成される。
【００５２】
いくつかの実施形態では、ストリッパプレートは、内側シャフトの部分的後退位置にある外側シャフト内の支持機構に隣接して支持され、ストリッパプレートは、内側シャフトの完全伸展位置への移動に応答して、展開位置に移動させられる。
【００５３】
実施形態では、閉塞部材は、外側シャフトの内壁上に置かれる。
【００５４】
いくつかの実施形態では、近位および遠位の開口は、一対の近位開口と一対の遠位開口とによってさらに画定され、筺体の少なくとも１つの閉塞部材は、一対の閉塞部材によってさらに画定され、駆動デバイスの少なくとも１つの突起は、一対の突起によってさらに画定される。
【００５５】
いくつかの実施形態では、外側シャフトは、筺体部分と外側シャフト部分とを含む。
【００５６】
本開示の別の側面では、試料回収デバイスは、長手方向の穴を画定し、内部に延在する閉塞部材を有する外側シャフトと、外側シャフトの長手方向の穴内に配置され、内側シャフトに沿って画定された近位および遠位の開口を含む内側シャフトと、試料回収デバイスのパウチを着脱可能に支持するように構成された内側シャフトの遠位端に固着された支持機構と、内側シャフトに向かって延在する少なくとも１つの突起を含む駆動デバイスとを含む。少なくとも１つの突起は、２つの異なる位置において駆動デバイスを内側シャフトに着脱可能に固着するため、近位および遠位開口の１つ内に受容されるように構成される。少なくとも１つの閉塞部材は、内側シャフトの遠位開口と整列させられ、少なくとも１つの突起が遠位開口内に受容されるとき、内側シャフトの外側シャフトに対する近位移動が、少なくとも１つの閉塞部材を少なくとも１つの突起との係合に動かすようにし、駆動デバイスの少なくとも１つの突起を内側シャフトの遠位開口の内部からカム係合するようにして、駆動デバイスを内側シャフトから脱係合するようにする。後に続く内側および外側シャフトに対する駆動デバイスの近位移動は、少なくとも１つの突起が内側シャフトの近位開口内に移動するようし、さらに筺体の近位の位置で内側シャフトに駆動デバイスを再固着させる。
【００５７】
いくつかの実施形態では、少なくとも１つの突起は、駆動デバイスの弾性アーム上に支持される。
【００５８】
実施形態では、内側シャフトは、遠位開口と連通する少なくとも１つの溝をさらに含む。少なくとも１つの溝は、内側シャフトが外側シャフトに対して遠位に動かされたとき、外側シャフトの少なくとも１つの閉塞部材を受容するように構成される。
【００５９】
いくつかの実施形態では、ストリッパプレートは、外側シャフト内の内側シャフトの遠位端に隣接して支持される。
【００６０】
特定の実施形態では、閉塞部材は、外側シャフトの長手方向の穴を画定する内壁上に置かれる。
【００６１】
いくつかの実施形態では、少なくとも１つの近位および遠位の開口は、一対の近位開口および一対の遠位開口によってさらに画定され、筺体の少なくとも１つの閉塞部材は、一対の閉塞部材によってさらに画定され、駆動デバイスの少なくとも１つの突起は、一対の突起によってさらに画定される。
【００６２】
本開示のさらに別の側面では、試料回収デバイスは、筺体と、筺体から遠位に延在し、長手方向の穴を画定する外側シャフトと、外側シャフトの長手方向の穴内に配置された内側シャフトと、内側シャフトの遠位端に固着された支持機構と、支持機構上に着脱可能に支持され、開口部を画定するパウチと、内側シャフトの近位端に着脱可能に連結された駆動デバイスとを含む。駆動デバイスは、内側シャフト上に置かれた対応する機械的インターフェースに選択的に係合するように構成された機械的インターフェースを有する枢支解放機構を含み、駆動デバイスを内側シャフトに係止形態で着脱可能に固着する。解放機構は、駆動デバイスが外側シャフトに対して内側シャフトを動かすように操作可能な係止形態から、駆動デバイスが内側シャフトから分離される係止解除形態まで可動である。シンチは、駆動デバイスに固着された近位端とパウチの開口部の周囲に延在する遠位端とを有する。係止解除形態では、駆動デバイスは、パウチの開口部を閉じるため、シンチを後退させるように内側シャフトに対して可動である。
【００６３】
実施形態では、解放機構上の機械的インターフェースは、戻り止めの形であり、内側シャフト上の機械的インターフェースは、窪みの形である。
【００６４】
いくつかの実施形態では、解放機構は、駆動デバイスの上面上に配置され、解放機構の少なくとも１つの機械的インターフェースを内側シャフト上の少なくとも１つの機械的インターフェースから脱係合するように押下可能である。
【００６５】
特定の実施形態では、解放機構は、駆動デバイスにオーバーモールドされる。
【００６６】
いくつかの実施形態では、解放機構は、一体ヒンジを介して駆動デバイスに枢支連結される。
【００６７】
実施形態では、シンチは、駆動デバイスの遠位端に動作可能に連結される。
【００６８】
特定の実施形態では、解放機構は、係止形態に向かって付勢される。
【００６９】
本開示のさらに別の側面では、試料回収デバイスは、筺体と、筺体に接続され、そこから遠位に延在し、長手方向の穴および長手方向の軸を画定する外側シャフトと、外側シャフトの長手方向の穴内に移動可能に配置された内側シャフトと、内側シャフトの遠位端上に支持された支持機構と、支持機構によって内側シャフトの遠位端に隣接して支持されたパウチと、内側シャフトに着脱可能に連結された駆動デバイスとを含む。駆動デバイスは、それに枢支連結された解放機構を含む。解放機構は、内側シャフト上に置かれた対応する機械的インターフェースに選択的に係合するように構成された少なくとも１つの機械的インターフェースを含み、駆動デバイスを内側シャフトに固着する。解放機構は、駆動デバイスが内側シャフトに固着され、駆動デバイスの移動が内側シャフトの対応する移動を引き起こす係止形態から係止解除形態まで旋回する。シンチは、駆動デバイスに固着された近位端と、パウチ内の開口部の周囲に延在する遠位端とを有する。解放機構の係止解除形態では、駆動デバイスは、パウチの開口部を締めるための駆動デバイスの内側シャフトに対する移動を可能にするように内側シャフトから分離可能である。
【００７０】
いくつかの実施形態では、解放機構上の機械的インターフェースは、戻り止めの形であり、内側シャフト上の機械的インターフェースは、窪みの形である。
【００７１】
いくつかの実施形態では、解放機構は、駆動デバイスの上面上に配置され、解放機構の少なくとも１つの機械的インターフェースを内側シャフト上の少なくとも１つの機械的インターフェースから脱係合するように押下可能である。
【００７２】
実施形態では、解放機構は、駆動デバイスにオーバーモールドされる。
【００７３】
いくつかの実施形態では、解放機構は、一体ヒンジを介して駆動デバイスに枢支連結される。
【００７４】
特定の実施形態では、シンチは、駆動デバイスの遠位端に動作可能に連結される。
【００７５】
本開示の別の側面では、試料回収デバイスは、筺体と、筺体から遠位に延在し、長手方向の穴を画定する外側シャフトと、外側シャフトの長手方向の穴内に移動可能に配置されハンドルを含む内側シャフトとを含む。内側シャフトは、完全後退位置とハンドルが筺体と隣接する位置に置かれた完全伸展位置との間で可動である。パウチは、内側シャフトの遠位端で着脱可能に支持される。ロックアウトデバイスは、筺体上に支持され、係止位置から係止解除位置まで可動である。係止位置では、ロックアウトデバイスは、内側シャフトの完全伸展位置への移動を防止する位置に置かれ、係止解除位置では、ロックアウトデバイスは、内側シャフトの完全伸展位置への移動を可能にする位置に置かれる。
【００７６】
いくつかの実施形態では、ロックアウトデバイスは、枢支ピンを介して筺体に枢支連結される。
【００７７】
実施形態では、ロックアウトデバイスは、内側シャフトのハンドルの遠位端に係合するように構成された後端部を伴う略細長い形態を有する。
【００７８】
特定の実施形態では、ロックアウトデバイスは、筺体内に画定されたノッチ内に着座する。
【００７９】
いくつかの実施形態では、ノッチは、ロックアウトデバイスの少なくとも一部分に接触し、ロックアウトデバイスを係止形態に保持するように構成された少なくとも１つの壁によって画定される。
【００８０】
本開示のさらに別の側面では、試料回収デバイスは、筺体と、筺体に接続され、そこから遠位に延在し、長手方向の穴を画定する外側シャフトと、外側シャフトの長手方向の穴内に移動可能に配置された内側シャフトと、内側シャフトの遠位端上に支持された支持機構と、支持機構によって支持されたパウチと、内側シャフトの近位端に動作可能に連結された駆動デバイスと、筺体上に枢支されたロックアウトデバイスとを含む。ロックアウトデバイスは、筺体の近位端と駆動デバイスとの間の係合を防止する係止形態から、筺体の近位端と駆動デバイスとの間の係合を可能にする係止解除形態まで可動である。
【００８１】
実施形態では、ロックアウトデバイスは、枢支ピンを介して筺体に枢支連結される。
【００８２】
いくつかの実施形態では、ロックアウトデバイスは、駆動デバイスの遠位端に係合するように構成された後端部を伴う、略細長い形態を有する。
【００８３】
特定の実施形態では、ロックアウトデバイスは、筺体内に画定されたノッチ内に着座する。ノッチは、ロックアウトデバイスの少なくとも一部分に接触し、ロックアウトデバイスを係止形態に保持するように構成された少なくとも１つの壁によって画定され得る。
【００８４】
本開示の別の側面では、試料回収デバイスは、筺体と、筺体から遠位に延在し長手方向の穴を画定する外側シャフトと、外側シャフトの長手方向の穴内に移動可能に配置された内側シャフトと、内側シャフトの遠位端に固着された支持機構と、支持機構によって支持された試料パウチと、長手方向に離間された内側シャフト上の第１および第２のインターフェースと、筺体に枢支連結され第１の位置から可動のカムロックとを含み、カムロックは、筺体に対する内側シャフトの伸展位置、すなわち、第２の位置への遠位並進を防止するため、内側シャフトの第１のインターフェースに係合する位置に置かれ、カムロックは、試料パウチの展開を容易にするため、内側シャフトの伸展位置への筺体に対する遠位並進を可能にする位置に置かれ、部分的後退位置から完全後退位置への、内側シャフトの外側シャフト内における近位並進が、内側シャフトの第２のインターフェースに係合するようにし、カムロックを第２の位置に移動させるようにする。
【００８５】
いくつかの実施形態では、カムロックは、筺体に連結された枢支部材の周りを第１の位置から第２の位置まで回転可能である。
【００８６】
実施形態では、カムロックは、枢支孔を画定し、枢支部材は、カムロックを筺体に枢支連結するように枢支孔内に受容される。枢支孔および枢支部材の少なくとも１つは、枢支軸に対するカムロックの回転が、枢支軸をカムロックと摩擦によって係合するようにし、カムロックを第２の位置に係止するように形作られる。
【００８７】
実施形態では、カムロックは、第１および第２の部分を含み、カムロックの第１の位置で、第１の部分は、筺体に対する内側シャフトの伸展位置への遠位並進を防止するため、内側シャフトの第１のインターフェースと協働する位置に置かれ、内側シャフトの部分的後退位置から完全後退位置への近位並進の際に、カムロックを第２の位置に回転させ、それに続く筺体に対する内側シャフトの遠位並進を可能にするため、第２のインターフェースと協働する位置に置かれる。
【００８８】
いくつかの実施形態では、カムロックの第２の部分は、カムロックを第２の位置に係止する位置に置かれ、そうするように構成される。
【００８９】
特定の実施形態では、カムロックの第２の部分は、第１の平面に対してオフセットして配置され、第２の位置から離れる方向への第１の位置からのカムロックの回転を防止するために内側シャフトの側部に係合し、内側シャフトの遠位並進を防止するように構成される。
【００９０】
実施形態では、カムロックの第１の部分は、カムロックの第２の部分と異なる寸法を有する。
【００９１】
本開示のさらに別の側面では、試料回収デバイスは、筺体と、筺体に接続され、そこから遠位に延在する外側シャフトであって、それを通して延在する長手方向の穴を画定する外側シャフトと、外側シャフトの長手方向の穴内に移動可能に配置され、そこを通して並進可能な内側シャフトと、内側シャフトの遠位端で試料パウチを着脱可能に支持するように構成された支持機構と、内側シャフト上に配置された第１のインターフェースと、筺体に枢支連結され第１の位置から可動のカムロックとを含み、カムロックは、筺体に対する内側シャフトの第２の位置への遠位並進を防止し、カムロックは、試料パウチの展開を容易にするため、筺体に対する内側シャフトの遠位並進を可能にする。カムロックは、第１および第２の部分を含む。第１の部分は、後に続く、内側シャフトの筺体に対する遠位並進を可能にするために、内側シャフトの近位並進の際にカムロックを第２の位置に回転させるように、第１のインターフェースと協働し、カムロックの第２の部分は、カムロックが第１の位置内に配置されるとき、内側シャフトの筺体に対する初期の遠位並進を防止するように内側シャフトの側部と協働する。
【００９２】
いくつかの実施形態では、第２のインターフェースは、第１のインターフェースの近位で内側シャフト上に配置される。カムロックの第１の部分は、カムロックが第１の位置にあるとき、内側シャフトの遠位並進を防止するように第２のインターフェースと協働する。
【００９３】
実施形態では、カムロックの第１の部分は、第１の平面内に配置され、内側シャフトの頂部上に置かれた第１および第２のインターフェースと協働するように構成され、第２の部分は、第１の平面に対してオフセットされ、内側シャフトの側部と協働するように構成される。
【００９４】
本開示の別の側面では、試料回収デバイスは、筺体と、筺体から遠位に延在し長手方向の穴を画定する外側シャフトと、外側シャフトの長手方向の穴内に移動可能に配置され、チャネルを画定する内側シャフトと、内側シャフトの遠位端上に支持された支持機構と、内側シャフトの遠位端で支持される試料パウチと、内側シャフトのチャネルの近位端および遠位端のそれぞれに配置された第１および第２のインターフェースと、筺体に枢支連結され、第１の位置から可動のカムロックとを含み、カムロックは、筺体に対する内側シャフトの第２の位置への遠位並進を防止する位置に置かれ、カムロックは、試料パウチの展開を容易にするため、内側シャフトの筺体に対する遠位並進を可能にする位置に置かれる。カムロックは、第１および第２の部分を含む。第１の部分は、チャネル内に延在し、カムロックが第１の位置に配置されるとき、筺体に対する内側シャフトの初期の遠位並進を防止するために、第１のインターフェースと協働する。第１の部分はまた、筺体に対する内側シャフトの遠位並進を可能にするために、内側シャフトの近位並進の際に、第１の位置から第２の位置へのカムロックの移動をもたらすように第２のインターフェースと協働する。ばねが、筺体に連結され、筺体に対する内側シャフトの完全近位並進の際に、カムロックを第２の位置に保持するように、カムロックの第２の部分と協働する。
【００９５】
いくつかの実施形態では、カムロックの第２の部分は、カムロックが第１の位置から第２の位置に移動する際に、ばねの付勢に抗して回転する。カムロックの第２の部分は、カムロックが第２の位置にいったん回転させられると、ばねに対して係止するように構成された遠位端を含む。
【００９６】
本開示のさらに別の側面では、試料回収デバイスの試料パウチの不注意な展開を防止する方法は、試料回収デバイスの筺体上にカムロックを置くステップと、筺体を通して移動するように試料回収デバイスの内側シャフトを移動可能に置くステップと、枢支カムロックを筺体上に置くステップと、筺体に対する内側シャフトの遠位移動を防止するため、近位インターフェースを第１の位置にある内側シャフト上に置くステップと、第１の位置から第２の位置へのカムロックの移動をもたらすように内側シャフトが近位に移動されたとき、カムロックに係合する位置に内側シャフト上の遠位インターフェースを置くステップであって、カムロックの第２の位置において、カムロックは、内側シャフトの遠位移動を可能にするステップと、カムロックを第１の位置から第２の位置に移動させるように、内側シャフトを近位に移動させるステップと、試料回収デバイスから試料パウチを展開するように、内側シャフトを筺体に対して遠位に前進させるステップとを含む。
【００９７】
いくつかの実施形態では、本方法は、カムロックを第２の位置に係止するステップを含む。
【００９８】
本開示の別の側面では、試料回収デバイスは、筺体と、筺体に接続され、そこから遠位に延在する外側シャフトであって、長手方向の穴を画定する外側シャフトと、外側シャフトの長手方向の穴内に配置され、そこを通して並進可能な内側シャフトと、内側シャフトの遠位端に固着された支持機構と、内側シャフトの遠位端において支持機構上に支持された試料パウチと、内側シャフトの近位端および遠位端のそれぞれに配置された第１および第２のインターフェースと、筺体に枢動可能に連結され、第１の位置から回転可能なカムロックとを含み、カムロックは、第２の位置への内側シャフトの筺体に対する初期の遠位並進を防止し、カムロックは、試料パウチの展開を容易にするように筺体に対する内側シャフトの遠位並進を可能にする。カムロックは、そこから延在する第１および第２の部分を含む。第１の部分は、カムロックが第１の位置内に配置されたとき、筺体に対する内側シャフトの初期の遠位並進を防止するように第１のインターフェースと協働し、第１の部分は、内側シャフトの近位並進の際に、第１の位置から第２の位置へのカムロックの回転をもたらすように第２のインターフェースと協働する。ばねが筺体に連結され、外側シャフト内における内側シャフトの完全近位並進の際に、カムロックの第２の部分の遠位端は、ばねの付勢に抗して回転し、カムロックが第２の位置にいったん回転させられると、ばねに対して係止し、それによってカムロックを第２の位置に係止し、試料パウチの展開を容易にするように外側シャフトに対する内側シャフトの遠位並進を可能にする。
【００９９】
本開示のさらに別の側面では、試料回収デバイスは、スロットを画定する筺体と、筺体から遠位に延在し、長手方向の穴を画定する外側シャフトと、外側シャフトの長手方向の穴内に移動可能に配置され、チャネルを画定し、チャネルの近位に置かれた停止面を含む内側シャフトと、内側シャフトの遠位端に固着された支持機構と、内側シャフトの遠位端で支持機構上に支持された試料パウチと、筺体内のスロットを通して受容されるように構成された取り外し可能な出荷用くさびとを含む。取り外し可能な出荷用くさびは、内側シャフトを摺動可能に受容するように構成されたインターフェースを含む。インターフェースは、筺体に対する内側シャフトの完全遠位並進を防止する一方で、筺体に対する内側シャフトの近位並進を可能にするために内側シャフトの停止面と協働するように構成される。内側シャフトは、チャネルをインターフェースと整列状態に置くように、筺体に対して近位に完全後退位置まで可動であり、筺体に対する内側シャフトの完全遠位並進と試料パウチの展開とを容易にするため、筺体内のスロットを通した試料回収デバイスからの取り外し可能な出荷用くさびの除去を容易にする。
【０１００】
いくつかの実施形態では、内側シャフトは、チャネルの近位に置かれた可撓性のフィンガを含む。可撓性のフィンガは、内側シャフトから外向きに延在し、内側シャフトが完全後退位置に移動させられたとき、出荷用くさびの近位の位置まで出荷用くさびの下を通過する位置に置かれる。可撓性のフィンガは、内側シャフトの完全後退位置にある出荷用くさびのインターフェースに対して付勢され、出荷用くさびが試料回収デバイスから取り外されるまで、内側シャフトの筺体に対する遠位移動を防止する。
【０１０１】
いくつかの実施形態では、インターフェースは、内側シャフトを摺動可能に受容するように形作られているノッチを画定する対向する表面を含む。
【０１０２】
実施形態では、試料回収デバイスは、試料パウチを伴って選択的に展開可能である外側シャフト内に配置されたストリッパプレートを含む。内側シャフトは、出荷用くさびが、筺体の溝内に挿入されたとき、筺体から距離ｄを空けて離間する近位ハンドルを含む。距離ｄは、出荷用くさびが、外側シャフトからストリッパプレートを展開させるために取り除かれるとき、内側シャフトを筺体に対して遠位に並進させるのに必要とされる滞留距離を表す。
【０１０３】
本開示の別の側面では、試料回収デバイスの試料パウチの不注意な展開を防止する方法は、内部に画定された溝を有する筺体と、筺体に接続され、そこから遠位に延在する外側シャフトであって、そこを通して延在する長手方向の穴を画定する外側シャフトと、外側シャフトの長手方向の穴内に配置され、そこを通して完全後退位置から伸展位置まで並進可能な内側シャフトであって、近位停止面を画定する内側シャフトと、内側シャフトの遠位端上に支持された支持機構と、内側シャフトの遠位端で支持機構上に支持された試料パウチと、その遠位端にインターフェースを有し、そこを通した内側シャフトの並進を可能にしつつ、内側シャフトの外周を受容するように構成された取り外し可能な出荷用くさびとを含む試料回収デバイスを提供するステップと、インターフェースが、筺体に対する内側シャフトの伸展位置への遠位並進を防止するため内側シャフトの停止面に係合するように、筺体内の溝を通して出荷用くさびを挿入するステップとを含む。
【０１０４】
本開示の別の側面では、試料回収デバイスの試料パウチを展開する方法は、そこに画定された溝を有する筺体と、筺体に接続され、そこから遠位に延在する外側シャフトであって、そこを通して延在する穴を画定する外側シャフトと、外側シャフトの穴内に配置され、そこを通して並進可能な内側シャフトであって、スロットを画定する内側シャフトと、その遠位端で試料回収デバイスの試料パウチを着脱可能に支持するように構成された支持機構と、内側シャフト上のスロットに近位に配置された可撓性のフィンガと、内側シャフトの近位端に配置された停止面と、その遠位端にインターフェースを含み、そこを通した内側シャフトの並進を可能にしつつ、内側シャフトの外周を包含するように構成された取り外し可能な出荷用くさびとを含む試料回収デバイスを提供するステップと、インターフェースが、筺体に対する内側シャフトの初期の遠位並進を防止し、内側シャフトの近位端で停止面に係合するように、筺体内の溝を通してインターフェースを挿入するステップと、筺体に対して内側シャフトを第１の位置から近位に並進させるステップであって、停止面は、第２の位置への内側シャフトの遠位並進を防止するため、出荷用くさびのインターフェースと係合され、出荷用くさびのインターフェースは、内側シャフトのスロットと整列させられるステップと、筺体内の溝および内側シャフト内のスロットを通して出荷用くさびを取り除くステップと、試料パウチを展開させるため、内側シャフトを筺体に対して遠位に並進させるステップとを含む。
【０１０５】
いくつかの実施形態では、近位に並進させるステップは、可撓性のフィンガを出荷用くさびのインターフェースに対して付勢するステップと、その後、内側シャフトが第２の位置に完全に並進させられたとき、出荷用くさびが除去されるまで内側シャフトの遠位移動を防止するため、インターフェース近位側部上の可撓性のフィンガをインターフェースとの係合に解放するステップとを含む。
【０１０６】
本開示の別の側面では、試料回収デバイスは、筺体と、筺体から遠位に延在し長手方向の穴を画定する外側シャフトと、外側シャフトの長手方向の穴内を移動可能に配置された内側シャフトとを含む。内側シャフトは、その外周に沿った、第１および第２の部分を含むカムスロットと、第１および第２の部分の遠位端に接続するチャネルとを画定する。カムスロットの第２の部分は、第１の部分の長さを上回る長さを有する。支持機構が、内側シャフトの遠位端に固着され、試料パウチは、支持機構上の内側シャフトの遠位端で支持される。捩りばねは、筺体と固定的に係合させられた第１の端部とカムスロット内に摺動可能に受容された第２の端部とを有し、緊張状態にある。捩りばねの第２の端部は、内側シャフトが部分的後退位置にあるとき、筺体に対する内側シャフトのさらなる遠位並進を防止するため、カムスロットの第１の部分の近位端にまず置かれる。捩りばねの第２の端部は、部分的後退位置から完全後退位置までの内側シャフトの後退の際に、カムスロットの第１の部分の近位端からカムスロットの第１の部分の遠位端まで可動であり、捩りばねの第２の端部が、カムスロットの第１の部分の遠位端に達するとき、捩りばね内の緊張は、カムスロットのチャネルを通して、捩りばねの第２の端部をカムスロットの第２の部分に並進させるようにする。捩りばねの第２の端部が、カムスロットの第２の部分内に置かれたとき、内側シャフトは、試料パウチを展開するため、カムスロットの第２の部分に沿って伸展位置まで筺体に対して遠位に並進させられ得る。
【０１０７】
いくつかの実施形態では、ストリッパプレートは、外側シャフトの遠位端内で試料パウチの近位に配置され、試料パウチを伴って選択的に展開可能である。カムスロットの第２の部分は、カムスロットの第１の部分よりも距離「Ｘ」だけ上回る長さを有し、ここで距離「Ｘ」は、外側シャフト内に配置されたストリッパプレートを展開するために、筺体に対して内側シャフトを遠位に並進させるのに必要とされる滞留距離を表す。
【０１０８】
実施形態では、内側シャフトおよび外側シャフトは、内側シャフトの外側シャフトに対する回転を防止するように構成される。
【０１０９】
特定の実施形態では、カムスロットの第２の部分の遠位端は、カムスロットの第１の部分の遠位端と長手方向に整列させられる。
【０１１０】
いくつかの実施形態では、カムスロットの第２の部分の近位端は、カムスロットの第１の部分の近位端よりも距離Ｘだけさらに近位に延在し、距離Ｘは、内側シャフトが伸展位置に動くのを許容する。
【０１１１】
本開示のさらに別の側面では、試料回収デバイスの試料パウチを展開する方法は、筺体と、筺体に接続され、そこから遠位に延在する外側シャフトであって、それを通して延在する穴を画定する外側シャフト、ならびに外側シャフトの穴内に配置され、それを通して並進可能な内側シャフトであって、その遠位端で試料回収デバイスの試料パウチを着脱可能に支持するように構成された支持機構を含む内側シャフトであって、その外周内に画定されたカムスロットを含み、カムスロットは第１および第２の部分とそれらの間に画定されたチャネルとを含む内側シャフトを含む、試料回収デバイスを提供するステップと、捩りばねの第１の端部を筺体に係合し、筺体に対する内側シャフトの並進と同時に、捩りばねの第２の端部を、カムスロット内に乗設される位置に置くステップであって、捩りばねの第２の端部は、筺体に対する内側シャフトの初期の遠位並進を防止するため、カムスロットの第１の部分の近位端にまず置かれるステップと、捩りばねの第２の端部が、捩りばねの付勢の下、チャネル内で、カムスロットの第２の部分の遠位端に移行することができるように、捩りばねの第２の端部を、カムスロットの第１の部分の近位端にある第１の位置からカムスロットの第１の部分の遠位端にある第２の位置までカムスロット内で動かすように、内側シャフトを筺体に対して近位に並進させるステップと、試料パウチを展開するため、内側シャフトを筺体に対して遠位に並進させるステップとを含む。
【０１１２】
本開示の別の側面では、試料回収デバイスは、筺体と、筺体から遠位に延在する外側シャフトであって、長手方向の穴を画定する外側シャフトと、外側シャフトの長手方向の穴内に配置され、内側シャフトの長さに沿って延在するカムスロットを画定する内側シャフトとを含み、カムスロットは、近位端、遠位端、および取り外し可能な出荷用くさびを画定する。取り外し可能な出荷用くさびは、その上部表面から延在するフランジを有する、本体を含む。フランジは、内側シャフトのカムスロット内に乗設される寸法にされたフィンガをその遠位端に有する。フィンガは、ノッチを通してカムスロット内に挿入可能である。少なくとも１つの支持体が、本体から延在し、筺体に係合するように構成される。出荷用くさびのフィンガは、内側シャフトが部分的後退位置にあるとき、筺体に対する内側シャフトの遠位並進を防止するため、カムスロットの近位端内に受容されるように構成される。
【０１１３】
いくつかの実施形態では、内側シャフトは、試料回収デバイスの試料パウチを、内側シャフトの遠位端で着脱可能に支持するように構成された支持機構を支持する。内側シャフトは、内側シャフトの筺体に対する遠位並進を防止するようにフィンガとカムスロットの近位端とが協働する第１の位置から、カムスロット内のフィンガの配向が、出荷用くさびの除去および試料パウチの展開を容易にするための内側シャフトの筺体に対するその後の遠位並進を可能にする、カムスロットの遠位端にある第２の位置まで可動である。
【０１１４】
いくつかの実施形態では、少なくとも１つの支持体は、本体の対向する端部から延在する一対の側面支持体を含む。
【０１１５】
実施形態では、カムスロットの遠位端は、内側シャフトおよび筺体からの出荷用くさびの除去を可能にするように構成されたノッチを画定する。
【０１１６】
特定の実施形態では、出荷用くさびは、内側シャフトおよび筺体からの出荷用くさびの除去を容易にするため握持されるように構成された除去タブをさらに含む。
【０１１７】
いくつかの実施形態では、カムスロットの遠位端は、ノッチの近位に置かれた隆起表面を含む。
【０１１８】
実施形態では、フィンガと隆起表面との係合は、内側シャフトの筺体に対する遠位並進の間に、臨床専門家に触覚的なフィードバックを提供する。
【０１１９】
いくつかの実施形態では、隆起表面に対するフィンガの付勢は、触覚的なフィードバックを提供するため、フィンガがノッチに嵌合するようにする。
【０１２０】
特定の実施形態では、ノッチ内へのフィンガの配置は、出荷用くさびが除去されるまで、内側シャフトが筺体に対して遠位に並進させられることを防止する。
【０１２１】
実施形態では、筺体は、本体の対向する側部から延在するフィンガリングを含み、１つまたはそれを上回る支持体のそれぞれは、筺体に対して出荷用くさびを固定するため、フィンガリングのそれぞれ１つに係合するように構成される。
【０１２２】
本開示のさらに別の側面では、試料回収デバイスは、筺体と、筺体に接続され、そこから遠位に延在し、その中を通って延在する穴を画定する外側シャフトと、外側シャフトの穴内に移動可能に配置され、そこを通して並進可能な内側シャフトとを含む。内側シャフトは、近位端および遠位端を有するカムスロットを含み、試料パウチを着脱可能に支持するように構成された支持機構をその遠位端で支持する。取り外し可能な出荷用くさびは、その上部表面から延在するフランジを有する本体を含む。フランジは、カムスロット内に乗設される寸法のフィンガを有する。内側シャフトは、内側シャフトの筺体に対する遠位並進を防止するようにフィンガとカムスロットの近位端とが協働する第１の位置から、カムスロット内のフィンガの配向が、試料回収デバイスからの出荷用くさびの除去とそれに続く内側シャフトの筺体に対する遠位並進とを可能にする、カムスロットの遠位端にある第２の位置まで可動である。
【０１２３】
実施形態では、出荷用くさびは、内側シャフトおよび筺体からの出荷用くさびの除去を容易にするように構成された除去タブをさらに含む。
【０１２４】
いくつかの実施形態では、カムスロットの遠位端は、内側シャフトおよび筺体からの出荷用くさびの除去を容易にする横方向のノッチを含む。
【０１２５】
特定の実施形態では、カムスロットの遠位端は、そこを通してフィンガが並進させられる際、フィンガを付勢するように構成された隆起表面を含む。
【０１２６】
いくつかの実施形態では、隆起表面に対するフィンガの付勢は、内側シャフトの筺体に対する遠位並進の間に、触覚的なフィードバックを臨床専門家に提供する。
【０１２７】
実施形態では、隆起表面に対するフィンガの付勢は、フィンガがノッチに嵌合するようにする。
【０１２８】
いくつかの実施形態では、フィンガは、ノッチ内に置かれるとき、出荷用くさびが除去されるまで、内側シャフトが筺体に対して遠位に並進されることを防止する。
【０１２９】
本開示のさらに別の側面では、試料回収デバイスの試料パウチの不注意な展開を防止する方法は、筺体と、筺体に接続され、そこから遠位に延在する外側シャフトであって、それを通して延在する穴を画定する外側シャフトと、外側シャフトの穴内に配置され、そこを通して並進可能な内側シャフトであって、その中に画定され、それに沿って延在するカムスロットを含み、カムスロットは、近位端および遠位端を含む内側シャフトと、カムスロット内に乗設される寸法のフィンガをその遠位端に有し、その上部表面から延在するフランジを有する本体を含む取り外し可能な出荷用くさびと、本体から延在し、筺体に係合するように構成された少なくとも１つの支持体とを含む、試料回収デバイスを提供するステップと、内側シャフトの筺体に対する初期の遠位並進を防止するため、フランジのフィンガが、カムスロットの近位端と当接関係に配置されように、取り外し可能な出荷用くさびを筺体および内側シャフトに係合させるステップとを含む。
【０１３０】
本開示の別の側面では、試料回収デバイスの試料パウチを展開する方法は、筺体と、筺体に接続され、そこから遠位に延在する外側シャフトであって、その中を通して延在する穴を画定する外側シャフトと、外側シャフトの穴内に配置され、そこを通して並進可能な内側シャフトであって、試料回収デバイスの試料パウチをその遠位端で着脱可能に支持するように構成された支持機構を含む内側シャフトであって、その中に画定され、それに沿って延在するカムスロットを含み、カムスロットは、近位端と中に画定されるノッチを有する遠位端とを含む内側シャフトと、カムスロット内に乗設される寸法のフィンガをその遠位端に有し、その上部表面から延在するフランジを有する本体を含む取り外し可能な出荷用くさびと、本体から延在し筺体に係合するように構成された少なくとも１つの支持体とを含む、試料回収デバイスを提供するステップと、ばね状フランジのフィンガが、カムスロットの近位端と当接関係に配置され、内側シャフトの筺体に対する初期の遠位並進を防止するように、取り外し可能な出荷用くさびを筺体および内側シャフトに係合するステップと、ばね状フランジのフィンガが、カムスロットに沿って重なり、ノッチ内においてその遠位端で最も低い位置となるように、内側シャフトを筺体に対して後退させるステップと、出荷用くさびを筺体および内側シャフトから除去するステップと、試料パウチを展開するように内側シャフトを筺体に対して遠位に並進させるステップとを含む。
【０１３１】
本開示のさらに別の側面では、内径を画定する細長い中空外側シャフトを有する試料回収デバイスとともに用いられるストリッパプレートが開示される。ストリッパプレートは、主軸および副軸を含む、前端部を含む。主軸の幅は、外側シャフトの内径を上回り、副軸の幅は、外側シャフトの内径を下回る。前端部は、その中に画定され、そこを通して後端部に延在する第１および第２の開口を含む。第１の開口は、試料回収デバイスの支持機構を受容するように構成され、第２の開口は、縫合糸を受容するように構成される。ストリッパプレートは、外側シャフトの内周内の後退形態から外側シャフトの外部の展開形態まで展開可能であり、ストリッパプレートが展開形態にあるとき、ストリッパプレートの前端部は、試料パウチを支持機構から切り離すように構成される。
【０１３２】
いくつかの実施形態では、ストリッパプレートは、後退形態にあるとき、細長い中空外側シャフトを通して画定される長手方向の軸に対して第１の角度で配向され、ストリッパプレートは、展開形態に配置されたとき、長手方向の軸に対して第２の角度で配向される。
【０１３３】
実施形態では、ストリッパプレートの前端部は、２つの第２の開口を含み、各第２の開口は、縫合糸のそれぞれの部分を受容するように構成される。
【０１３４】
特定の実施形態では、ストリッパプレートは、前端部と後端部との間に延在する傾斜した周壁を画定する。
【０１３５】
いくつかの実施形態では、周壁の斜面は、外側シャフトの内周内におけるストリッパプレートの第１の角度での適切な配向を容易にする前端部との角度を画定する。
【０１３６】
実施形態では、周壁の斜面の角度は、２５度〜４５度の範囲である。
【０１３７】
いくつかの実施形態では、ストリッパプレートの第１の角度は、１度〜７５度の範囲にある。
【０１３８】
特定の実施形態では、ストリッパプレートの第２の角度は、７６度〜９０度の範囲にある。
【０１３９】
実施形態では、ストリッパプレートの前端部は、外側シャフトからのストリッパプレートの展開を容易にする面取りされた前縁を含む。
【０１４０】
いくつかの実施形態では、第１の開口は、円形の形態を含む。代わりに、第１の開口は、直線的な形態を含む。
【０１４１】
特定の実施形態では、ストリッパプレートが展開され、ストリッパプレートが近位に強制されるとき、主軸の幅は、ストリッパプレートが外側シャフトの内周に再び入ることを防止する。
【０１４２】
本開示のさらに別の側面では、内径を画定する細長い中空外側シャフトを有する試料回収デバイスとともに使用するためのストリッパプレートが記述される。ストリッパプレートは、主軸および副軸を含む、前端部を含む。主軸の幅は、外側シャフトの内径を上回り、副軸の幅は、外側シャフトの内径を下回る。前端部は、その中に画定され、そこを通して後端部に延在する第１および第２の開口を含む。第１の開口は、試料回収デバイスの支持機構を受容するように構成され、第２の開口は、縫合糸を受容するように構成される。ストリッパプレートは、外側シャフトの内周内の後退形態から外側シャフトの外の展開形態までのストリッパプレートの展開を容易にするように傾斜した、前端部と後端部との間に画定される周壁を有する。
【０１４３】
いくつかの実施形態では、ストリッパプレートの前端部は、支持機構から試料パウチを切り離すように構成される。
【０１４４】
実施形態では、前端部は、頂部と底部とを含み、周壁の斜面は、前端部の頂部および底部の両方から同じ角度で後端部に向かって延在する。
【０１４５】
特定の実施形態では、後端部は、そこから外向きに延在し、第１の開口を囲む、突出部を含む。突出部は、ストリッパプレートが後退形態に配置されるとき、近位を向く。突出部は、その内部の中心にストリッパプレートを置くため、外側シャフトの内周に係合するように構成される。
【０１４６】
いくつかの実施形態では、突出部は、半円の形態を含む。
【０１４７】
実施形態では、ストリッパプレートの主軸の幅は、ストリッパプレートが外側シャフトの内周に再び入ることを防止する。
【０１４８】
本開示のさらに別の側面では、内径を画定する細長い中空外側シャフトを有する試料回収デバイスとともに用いられるストリッパプレートが記述される。ストリッパプレートは、対向する終端部によって画定され、長さＬを有する細長い円筒状部分を含む。円筒状部分は、そこを通して画定され縫合糸を受容するように構成された開口と、開口に隣接してその外周面の少なくとも一部分に沿って画定されるリリーフとを含む。リリーフは、開口を通して縫合糸の通過を容易にするように構成される。ストリッパプレートは、外側シャフトの内周内の後退形態から外側シャフトの外の展開形態まで展開可能である。長さＬは、ストリッパプレートがいったん後退形態から展開させられると、ストリッパプレートが内周に再び入ることを防止するように、外側シャフトの内径を上回る。
【０１４９】
いくつかの実施形態では、ストリッパプレートは、パウチ支持機構からの試料パウチの切り離しを容易にするため、対向する終端部が外側シャフトのいずれかの側部に接触するように構成される。
【０１５０】
実施形態では、外側終端部は、第１の直径を含み、細長い円筒状部分は、第１の直径を上回る第２の直径を有する中間部分を含む。
【０１５１】
いくつかの実施形態では、中間部分は、そこを通して画定される開口を含む。
【０１５２】
特定の実施形態では、細長い円筒状部分は、中間部分から外側終端部までテーパが付けられている。
【０１５３】
いくつかの実施形態では、外側終端部の少なくとも１つは、その中に画定され、パウチ支持機構からの試料パウチの切り離しを容易にするため、外側シャフトの内周縁に係合するように構成された陥凹部を含む。
【０１５４】
実施形態では、外側終端部のそれぞれは、その中に画定された陥凹部を含む。各それぞれの陥凹部は、外側シャフトの内周縁の対向する部分に係合するように構成される。
【０１５５】
本開示のさらに別の側面では、内径を画定する細長い中空外側シャフトを有する試料回収デバイスとともに用いられるストリッパプレートが記述される。ストリッパプレートは、前端部および後端部によって画定される細長い円筒状部分を含む。細長い円筒状部分は、そこを通して画定され、試料回収デバイスの支持機構を受容するように構成された開口を含む。ストリッパプレートは、外側シャフトの内周内の後退形態から外側シャフトの外の展開形態まで展開可能である。後端部は、その中に画定され、前端部に向かって少なくとも部分的に延在する、少なくとも１つの細長いスリットを含む。少なくとも１つの細長いスリットは、ストリッパプレートの外側シャフトの内周への挿入を容易にするため、ストリッパプレートが内側に曲がることを可能にするように構成される。少なくとも１つのタブ状一体ヒンジが、細長い円筒状部分の外周面上に配置される。少なくとも１つの一体ヒンジは、自己展開するように付勢され、ストリッパプレートがいったん展開されると、細長い円筒状部分の外周面から外向きに延在する。
【０１５６】
いくつかの実施形態では、少なくとも１つの細長いスリットは、複数の細長いスリットを含む。
【０１５７】
実施形態では、複数のタブ状一体ヒンジは、複数の細長いスリットの間に挟装される。
【０１５８】
いくつかの実施形態では、ストリッパプレートの前端部は、後退形態に配置されるとき、外側シャフトの内周内で近位を向く。
【０１５９】
特定の実施形態では、ストリッパプレートは、外側シャフトの内周内の複数のスリットの付勢に抗して圧縮された状態に置かれる。
【０１６０】
実施形態では、細長い円筒状部分の外周面に沿って配置された複数のタブ状一体ヒンジがストリッパプレートが、外側シャフトの内周内で後退形態に配置されるときの、細長い円筒状部分の外周面に対する同一面にある形態から、ストリッパプレートが展開形態に外部化されるときの、細長い円筒状部分の外周面に対する拡張形態まで、自己展開するように構成される。
【０１６１】
いくつかの実施形態では、ストリッパプレートが展開され、ストリッパプレートが近位に強制されるとき、タブ状一体ヒンジは、パウチ支持機構からの試料パウチの切り離しを容易にするため、外側シャフトの内周縁に接触するように構成される。
【０１６２】
特定の実施形態では、ストリッパプレートが展開され、ストリッパプレートが近位に強制されるとき、タブ状一体ヒンジは、ストリッパプレートが外側シャフトの内周に再び入ることを防止する。
本発明は、例えば、以下を提供する。
（項目１）
試料回収デバイスであって、
筺体と、
前記筺体から遠位に延在する外側シャフトであって、長手方向の穴を画定する外側シャフトと、
前記外側シャフトの前記長手方向の穴の内部に移動可能に配置された内側シャフトと、
前記内側シャフトの遠位端上に移動可能に支持された保持部材と、
前記内側シャフトの遠位端上に支持されたパウチと、
を備え、前記保持部材は、前記内側シャフトの遠位端からの前記パウチの分離を防止する第１の位置から、前記内側シャフトからの前記パウチの分離を可能にする第２の位置まで、前記内側シャフトに対して移動可能に支持される、試料回収デバイス。
（項目２）
前記内側シャフトの遠位端は、少なくとも１つの突起を含み、前記パウチは、少なくとも１つの開口部を画定し、前記内側シャフトの少なくとも１つの突起は、前記内側シャフトの遠位端上の前記パウチを支持するように、前記パウチの少なくとも１つの開口部内に受容される、項目１に記載の試料回収デバイス。
（項目３）
前記保持部材は、前記パウチの前記少なくとも１つの突起からの分離を防止するために、前記少なくとも１つの突起に係合するように構成される、項目２に記載の試料回収デバイス。
（項目４）
前記少なくとも１つの突起のそれぞれは、穴を画定し、前記保持部材は、前記少なくとも１つの突起上で前記パウチを保持するために、前記穴を通して延在するように構成される、項目３に記載の試料回収デバイス。
（項目５）
前記少なくとも１つの突起は、２つの突起を含み、前記少なくとも１つの開口部は、２つの開口部を含む、項目４に記載の試料回収デバイス。
（項目６）
前記保持部材は、前記２つの突起のうちの１つ内の開口部を通して延在するように構成された第１の部分と、もう一方の突起の開口部を通して延在するように構成された第２の部分とを有する、二股部材を含む、項目５に記載の試料回収デバイス。
（項目７）
スレッドが、少なくとも１つの連結デバイスを介して前記保持部材に動作可能に連結されており、前記スレッドは、前記保持部材の近位の前記内側シャフト上に移動可能に支持される、項目１に記載の試料回収デバイス。
（項目８）
前記少なくとも１つの連結デバイスは、前記保持部材の近位端に連結された遠位端と、前記スレッドの遠位端に連結された近位端とを有する、ワイヤである、項目７に記載の試料回収デバイス。
（項目９）
前記筺体は、ストップ部材を画定し、前記スレッドは、前記内側シャフトが完全後退位置にあるときに、前記ストップ部材に係合する位置に置かれた弾性フィンガ部分を含み、前記完全後退位置から遠位に伸展位置に向かう前記内側シャフトの移動の際に、前記内側シャフトは、最初に前記スレッドおよび前記保持部材から独立して移動し、前記内側シャフトの少なくとも１つの突起から前記保持部材を脱係合するようにする、項目７に記載の試料回収デバイス。
（項目１０）
前記スレッドは、前記内側シャフト上に画定されるノッチ内に移動可能に支持される、項目９に記載の試料回収デバイス。
（項目１１）
前記ノッチは、前記内側シャフトの頂部壁部分に沿って延在する、項目１０に記載の試料回収デバイス。
（項目１２）
前記内側シャフトは、前記筺体のストップ部材から前記弾性フィンガ部分を脱係合するため、前記内側シャフトが、前記完全後退位置から前記伸展位置に向かって前記外側シャフトに対して遠位に移動されるとき、前記スレッドの前記弾性フィンガ部分を下方向に押し付けるように構成された壁部分を含む、項目９に記載の試料回収デバイス。
（項目１３）
前記ストップ部材は、前記筺体の内壁に沿って画定される、項目９に記載の試料回収デバイス。
（項目１４）
前記内側シャフトの遠位端に隣接して動作可能に配置されたカバープレートをさらに含み、前記カバープレートは、前記保持部材を前記内側シャフトに固着させるように構成される、項目１に記載の試料回収デバイス。
（項目１５）
試料回収デバイスであって、
筺体と、
前記筺体から遠位に延在し、長手方向の穴を画定する外側シャフトと、
少なくとも１つのタブを含むパウチと、
前記外側シャフトの長手方向の穴内に配置され、その遠位端で前記パウチを着脱可能に支持する内側シャフトであって、前記パウチの前記少なくとも１つの近位タブを着脱可能に係合するように構成された少なくとも１つの突起を含む内側シャフトと、
前記内側シャフト上を摺動するように配置されたスレッドおよび保持部材であって、前記保持部材は、前記パウチを前記内側シャフトに固着するため前記内側シャフトの前記少なくとも１つの突起に係合するように構成される、スレッドおよび保持部材と、
前記スレッドを前記保持部材に連結するための少なくとも１つの連結部材と、
前記筺体上に支持されるストップ部材であって、前記内側シャフトが完全後退位置にあるとき前記スレッドの遠位に置かれ、前記スレッドと整列する、ストップ部材と、
を備え、前記完全後退位置から伸展位置に向かう前記外側シャフトに対する前記内側シャフトの遠位並進は、前記内側シャフトからの前記パウチの解放を容易にするために、前記スレッドが前記筺体のストップ部材に係合するようにして、前記内側シャフトが前記スレッドから独立して遠位に移動するようにし、前記保持部材が前記内側シャフトの少なくとも１つの突起からの前記保持部材の脱係合をもたらすようにする、試料回収デバイス。
（項目１６）
前記スレッドは、前記内側シャフトが、前記完全後退位置から前記伸展位置に向かって前記外側シャフトに対して遠位に移動させられるとき、前記筺体のストップ部材に係合するように構成された弾性フィンガ部分を含む、項目１５に記載の試料回収デバイス。
（項目１７）
前記スレッドは、前記内側シャフト上に画定されるノッチ内に摺動可能に受容される、項目１３に記載の試料回収デバイス。
（項目１８）
前記内側シャフトが、前記ストップ部材から前記弾性フィンガを脱係合するように前記外側シャフトに対して遠位に移動させられるとき、前記内側シャフトの頂部壁部分は、前記スレッドの前記弾性フィンガを下向きに押し付けるように構成される、項目１６に記載の試料回収デバイス。
（項目１９）
前記ストップ部材は、前記筺体の内壁に沿って画定される、項目１８に記載の試料回収デバイス。
（項目２０）
前記少なくとも１つの突起は、前記パウチを前記内側シャフトに着脱可能に固着するため、前記保持部材の遠位端を受容するように構成された穴を画定し、前記保持部材に対する前記内側シャフトの遠位への移動が、前記少なくとも１つの突起の前記穴から前記保持部材を脱係合する、項目１３に記載の試料回収デバイス。
（項目２１）
少なくとも１つの突起のそれぞれは、前記内側シャフトからの前記パウチの分離を容易にする近位面取りを含む、項目１３に記載の試料回収デバイス。
（項目２２）
試料回収デバイスであって、
筺体と、
前記筺体から遠位に延在する外側シャフトであって、長手方向の穴を画定する外側シャフトと、
前記外側シャフトの前記長手方向の穴内に移動可能に配置された内側シャフトと、
前記内側シャフトの遠位端に固着された支持機構と、
前記支持機構によって支持された試料パウチと、
前記内側シャフト上で長手方向に離間した第１および第２のインターフェースと、
前記筺体に枢支連結され、第１の位置から可動のカムロックであって、前記カムロックは、前記内側シャフトの前記筺体に対する伸展位置へ、第２の位置への遠位並進を防止するために、前記内側シャフトの前記第１のインターフェースに係合する位置に置かれ、前記カムロックは、前記試料パウチの展開を容易にするために、前記伸展位置への前記内側シャフトの前記筺体に対する遠位並進を可能にする位置に置かれ、部分的後退位置から完全後退位置への、前記外側シャフト内における前記内側シャフトの近位並進は、前記内側シャフトの前記第２のインターフェースが前記カムロックに係合し、前記第２の位置に移動させるようにする、カムロックと、
を備える、試料回収デバイス。
（項目２３）
前記カムロックは、前記筺体に連結された枢支部材の周りで前記第１の位置から前記第２の位置まで回転可能である、項目２２に記載の試料回収デバイス。
（項目２４）
前記カムロックは、枢支孔を画定し、前記枢支部材は、前記カムロックを前記筺体に枢支連結するように前記枢支孔内に受容され、前記枢支孔および前記枢支部材の少なくとも１つは、枢支軸に対する前記カムロックの回転が、前記枢支軸を前記カムロックと摩擦によって係合するようにし、前記カムロックを前記第２の位置に係止するように形作られる、項目２３に記載の試料回収デバイス。
（項目２５）
前記カムロックは、第１および第２の部分を含み、前記カムロックの第１の位置では、前記第１の部分は、前記筺体に対する前記内側シャフトの前記伸展位置への遠位並進を防止するために、前記内側シャフトの前記第１のインターフェースと協働する位置に置かれ、前記第１の部分は、前記部分的後退位置から前記完全後退位置への前記内側シャフトの近位並進の際に、前記カムロックを前記第２の位置に回転させ、それに続く前記筺体に対する前記内側シャフトの遠位並進を可能にするため、前記第２のインターフェースと協働する位置に置かれる、項目２２に記載の試料回収デバイス。
（項目２６）
前記カムロックの第２の部分は、前記カムロックを前記第２の位置に係止する位置に置かれ、そのように構成される、項目２５に記載の試料回収デバイス。
（項目２７）
前記カムロックの第２の部分は、第１の平面に対してオフセットして位置決めされ、前記第２の位置から離れる方向への前記第１の位置からの前記カムロックの回転を防止するために、前記内側シャフトの側部に係合し、前記内側シャフトの遠位並進を防止するように構成される、項目２６に記載の試料回収デバイス。
（項目２８）
前記カムロックの第１の部分は、前記カムロックの第２の部分とは異なる寸法を有する、項目２６に記載の試料回収デバイス。
（項目２９）
試料回収デバイスであって、
筺体と、
前記筺体に接続され、そこから遠位に延在する外側シャフトであって、それを通して延在する長手方向の穴を画定する外側シャフトと、前記外側シャフトの長手方向の穴内に移動可能に配置され、それを通して並進可能な内側シャフトと、
前記内側シャフトの遠位端で試料パウチを着脱可能に支持するように構成された支持機構と、
前記内側シャフト上に配置された第１のインターフェースと、
前記筺体に枢支連結され、第１の位置から可動のカムロックであって、前記カムロックは、前記筺体に対する前記内側シャフトの第２の位置への遠位並進を防止し、前記カムロックは、前記試料パウチの展開を容易にするために、前記筺体に対する前記内側シャフトの遠位並進を可能にし、前記カムロックは、第１および第２の部分を含み、前記第１の部分は、前記内側シャフトの近位並進の際に、前記カムロックを前記第２の位置に回転させるように前記第１のインターフェースと協働し、それに続く前記筺体に対する前記内側シャフトの遠位並進を可能にし、前記カムロックの第２の部分は、前記カムロックが前記第１の位置に配置されたとき、前記内側シャフトの前記筺体に対する初期の遠位並進を防止するように前記内側シャフトの側部と協働する、カムロックと、
を備える、試料回収デバイス。
（項目３０）
前記第１のインターフェースの近位で前記内側シャフト上に配置された第２のインターフェースをさらに含み、前記カムロックの第１の部分は、前記カムロックが前記第１の位置にあるとき、前記内側シャフトの遠位並進を防止するように、前記第２のインターフェースと協働する、項目２９に記載の試料回収デバイス。
（項目３１）
前記カムロックの第１の部分は、第１の平面内に配置され、前記内側シャフトの頂部に置かれた前記第１および第２のインターフェースと協働するように構成され、前記第２の部分は、前記第１の平面に対してオフセットされ、前記内側シャフトの側部と協働するように構成される、項目３０に記載の試料回収デバイス。
（項目３２）
試料回収デバイスであって、
筺体と、
前記筺体から遠位に延在する外側シャフトであって、長手方向の穴を画定する外側シャフトと、
前記外側シャフトの前記長手方向の穴内に移動可能に配置された内側シャフトであって、チャネルを画定する内側シャフトと、
前記内側シャフトの遠位端上に支持された支持機構と、
前記内側シャフトの遠位端において支持された試料パウチと、
前記内側シャフトの前記チャネルの近位端および遠位端のそれぞれに配置された第１および第２のインターフェースと、
前記筺体に枢動可能に連結され、第１の位置から可動のカムロックであって、前記カムロックは、前記内側シャフトの前記筺体に対する第２の位置への遠位並進を防止する位置に置かれ、前記カムロックは、前記試料パウチの展開を容易にするために、前記筺体に対する前記内側シャフトの遠位並進を可能にする位置に置かれ、前記カムロックは、第１および第２の部分を含み、前記第１の部分は、前記チャネル内に延在し、前記カムロックが前記第１の位置に配置されたとき、前記筺体に対する前記内側シャフトの初期の遠位並進を防止するため、前記第１のインターフェースと協働し、前記第１の部分は、前記筺体に
対する前記内側シャフトの遠位並進を可能にするために、前記内側シャフトの近位並進の際に、前記第１の位置から前記第２の位置への前記カムロックの移動をもたらすように前記第２のインターフェースと協働するカムロックと、
前記筺体に連結され、前記筺体に対する前記内側シャフトの完全近位並進の際に、前記カムロックを前記第２の位置に保持するように前記カムロックの第２の部分と協働するばねと、
を備える、試料回収デバイス。
（項目３３）
前記カムロックの第２の部分は、前記カムロックが前記第１の位置から前記第２の位置に移動する際に、前記ばねの付勢に抗して回転し、前記カムロックの前記第２の部分は、前記カムロックが前記第２の位置にいったん回転させられると、前記ばねに対して係止するように構成された遠位端を含む、項目３２に記載の試料回収デバイス。
（項目３４）
試料回収デバイスの試料パウチの不注意な展開を防止する方法であって、
前記試料回収デバイスの筺体上にカムロックを置くステップと、
前記筺体を通して移動するように前記試料回収デバイスの内側シャフトを移動可能に置くステップと、
枢支カムロックを前記筺体上に置くステップと、
前記筺体に対する前記内側シャフトの遠位移動を防止するために、近位インターフェースを第１の位置にある前記内側シャフト上に置くステップと、
前記第１の位置から前記第２の位置への前記カムロックの移動をもたらすように前記内側シャフトが近位に移動させられたとき、前記カムロックに係合する位置に前記内側シャフト上に遠位インターフェースを置くステップであって、前記カムロックの第２の位置において、前記カムロックは、前記内側シャフトの遠位移動を可能にするステップと、
前記カムロックを前記第１の位置から前記第２の位置に移動させるように、前記内側シャフトを近位に移動させるステップと、
前記試料回収デバイスから試料パウチを展開するように前記内側シャフトを前記筺体に対して遠位に前進させるステップと、
を含む、方法。
（項目３５）
前記カムロックを前記第２の位置に係止するステップをさらに含む、項目３４に記載の方法。
（項目３６）
試料回収デバイスであって、
筺体と、
前記筺体に接続され、そこから遠位に延在する外側シャフトであって、そこを通して延在する長手方向の穴を画定する外側シャフトと、
前記外側シャフトの前記長手方向の穴内に配置され、そこを通して並進可能な内側シャフトと、
前記内側シャフトの遠位端に固着された支持機構と、
前記内側シャフトの遠位端において前記支持機構上に支持された試料パウチと、
前記内側シャフトの近位端および遠位端のそれぞれに配置された第１および第２のインターフェースと、
前記筺体に枢動可能に連結され、第１の位置から回転可能なカムロックであって、前記カムロックは、第２の位置への前記内側シャフトの前記筺体に対する初期の遠位並進を防止し、前記カムロックは、前記試料パウチの展開を容易にするため、前記内側シャフトの前記筺体に対する遠位並進を可能にし、前記カムロックは、そこから延在する第１および第２の部分を含み、前記第１の部分は、前記カムロックが前記第１の位置内に配置されたとき、前記筺体に対する前記内側シャフトの初期の遠位並進を防止するように前記第１のインターフェースと協働し、前記第１の部分は、前記内側シャフトの近位並進の際に、前
記第１の位置から前記第２の位置への前記カムロックの回転をもたらすように前記第２のインターフェースと協働する、カムロックと、
前記筺体に連結されたばねであって、前記外側シャフト内における前記内側シャフトの完全近位並進の際に、前記カムロックの前記第２の部分の遠位端は、前記ばねの付勢に対して回転し、前記カムロックが前記第２の位置にいったん回転されると、前記ばねに対して係止し、それによって前記カムロックを前記第２の位置に係止し、前記試料パウチの展開を容易にするように前記外側シャフトに対する前記内側シャフトの遠位並進を可能にする、ばねと、
を備える、試料回収デバイス。
（項目３７）
試料回収デバイスであって、
筺体と、
前記筺体から遠位に延在し、長手方向の穴を画定する外側シャフトであって、長手方向の軸を画定する外側シャフトと、
前記外側シャフトの長手方向の穴内に配置された内側シャフトと、
前記内側シャフトの遠位端から延在する支持機構と、
前記内側シャフトの遠位端において前記支持機構上に支持されたパウチと、
前記外側シャフトの遠位端内に支持されたストリッパプレートであって、前記ストリッパプレートは、前記支持機構を受容するように構成された第１の開口を画定し、前記ストリッパプレートは、前記外側シャフトの遠位端内に配置された後退位置から展開位置への前記内側シャフトの遠位移動に応答して可動であり、前記外側シャフトの外部に配置されるストリッパプレートと、
を備え、前記ストリッパプレートが前記展開形態にあるとき、前記外側シャフトに対する前記内側シャフトの近位移動は、前記ストリッパプレートが前記外側シャフトの遠位端に係合するようにし、前記パウチが前記ストリッパプレートの前端部に係合するようにして、前記内側シャフトのさらなる近位移動が、前記内側シャフトの前記支持機構からの前記パウチの分離を引き起こす、試料回収デバイス。
（項目３８）
前記ストリッパプレートは、主軸および副軸を画定する略長円の形態を有し、前記ストリッパプレートは、前記外側シャフトの長手方向の軸に対する第１の角度を画定するように、後退位置にある前記外側シャフトの遠位端内で配向され、前記外側シャフトの長手方向の軸に対する第２の角度を画定するように、展開位置にある前記外側シャフトの外側に置かれる、項目３７に記載の試料回収デバイス。
（項目３９）
前記副軸の幅は、前記外側シャフトの内径を下回り、前記主軸の幅は、前記外側シャフトの内径を上回る、項目３８に記載の試料回収デバイス。
（項目４０）
前記ストリッパプレートは、第２の開口を含み、前記ストリッパプレートの前記第１の開口は、略円周の形状を有し、前記支持機構を受容するように構成され、前記第２の開口は、略三角の形状を有し、前記試料回収デバイスのシンチを受容するように構成される、項目３７に記載の試料回収デバイス。
（項目４１）
前記第２の開口は、第１の上部分、第２の上部分、および下部分によってさらに画定され、前記第１および第２の上部分のそれぞれは、略円周の壁によって画定され、前記下部分は、略凹面の壁によって画定される、項目４０に記載の試料回収デバイス。
（項目４２）
第１および第２の対向するチャネルは、前記第１および第２の上部分のそれぞれと前記下部分との間に設けられる、項目４１に記載の試料回収デバイス。
（項目４３）
前記第１および第２の上部分は、前記試料回収デバイスのシンチの部分を受容するよう
に構成される、項目４２に記載の試料回収デバイス。
（項目４４）
前記第１および第２の上部分は、前記シンチが前記第１および第２の部分を通して引かれる際、その上にドラグ力を働かせるように、前記シンチに比例したサイズにされる、項目４３に記載の試料回収デバイス。
（項目４５）
前記ストリッパプレートの前端部は、略平面の形態を含む、項目３７に記載の試料回収デバイス。
（項目４６）
前記ストリッパプレートは、後端部と、前記ストリッパプレートの前端部に対して２５度〜４５度の範囲の角度を画定する傾斜した周壁とを含む、項目４５に記載の試料回収デバイス。
（項目４７）
前記後退位置において、前記ストリッパプレートの第１の角度は、１度〜７５度の範囲にある、項目３８に記載の試料回収デバイス。
（項目４８）
前記展開位置において、前記ストリッパプレートの第２の角度は、約７６度〜約９０度の範囲にある、項目３８に記載の試料回収デバイス。
（項目４９）
前記内側シャフトの近位端に着脱可能に連結されたくさび部材をさらに含み、前記くさび部材は、前記ストリッパプレートが前記展開位置に移動されることを防止するために、前記外側シャフトに対する前記内側シャフトの完全伸展位置への遠位移動を防止するように構成される、項目３７に記載の試料回収デバイス。
（項目５０）
前記ストリッパプレートの少なくとも１つの開口は、第１および第２の開口によってさらに画定され、前記ストリッパプレートの第１の開口は、略円周の形状を有して、前記支持機構を受容するように構成され、前記第２の開口は、略三角の形状を有し、前記試料回収デバイスのシンチを受容するように構成される、項目３７に記載の試料回収デバイス。
【図面の簡単な説明】
【０１６３】
本開示の試料回収デバイスの実施形態は、図面を参照して以下に記述される。
【０１６４】
【図１】図１は、本開示の実施形態による試料回収デバイスの斜視図である。
【図２】図２は、図１内に示される、表示される部分の詳細である。
【図２Ａ】図２Ａは、保持部材が係止位置にある状態における、パウチの内側シャフトとの接続部の拡大模式図である。
【図３】図３は、試料回収デバイスの内側シャフトが完全後退形態にある状態で示される、図１に示される試料回収デバイスの斜視図である。
【図４】図４は、内側シャフトが完全後退形態にあるときのストップ部材に対するスレッドの位置を図示するために、内側シャフトのスレッドおよび筺体のストップ部材が仮想線で示された、図１に示される試料回収デバイスの筺体の拡大部分斜視図である。
【図５】図５は、スレッドがストップ部材に対して遠位に動かされた後におけるスレッドの構成要素の空間的な関係を図示するため、筺体から延在する外側シャフトの一部分を取り除いた、筺体の遠位端の拡大斜視図である。
【図６】図６は、内側シャフトの支持機構が展開形態にある状態での試料回収デバイスの遠位端の拡大部分斜視図である。
【図７】図７は、本開示の別の実施形態による、試料回収デバイスの斜視図である。
【図８】図８は、図７内に示される、表示される領域の詳細である。
【図９Ａ】図９Ａは、図７に示される試料回収デバイスとともに用いられるように構成されたストリッパプレートの拡大斜視図である。
【図９Ｂ】図９Ｂは、図９Ａに示されるストリッパプレートの拡大前面図である。
【図９Ｃ】図９Ｃ−９Ｇは、本開示による、ストリッパプレートのその他の実施形態の斜視図である。
【図９Ｄ】図９Ｃ−９Ｇは、本開示による、ストリッパプレートのその他の実施形態の斜視図である。
【図９Ｅ】図９Ｃ−９Ｇは、本開示による、ストリッパプレートのその他の実施形態の斜視図である。
【図９Ｆ】図９Ｃ−９Ｇは、本開示による、ストリッパプレートのその他の実施形態の斜視図である。
【図９Ｇ】図９Ｃ−９Ｇは、本開示による、ストリッパプレートのその他の実施形態の斜視図である。
【図９Ｈ】図９Ｈ−９Ｊは、本開示による、ストリッパプレートの円筒状の形をした実施形態の斜視図である。
【図９Ｉ】図９Ｈ−９Ｊは、本開示による、ストリッパプレートの円筒状の形をした実施形態の斜視図である。
【図９Ｊ】図９Ｈ−９Ｊは、本開示による、ストリッパプレートの円筒状の形をした実施形態の斜視図である。
【図９Ｋ】図９Ｋは、本開示による、ストリッパプレートの別の実施形態の斜視図である。
【図１０】図１０は、伸展位置で示されるストリッパプレートを伴う、図７に示される試料回収デバイスの斜視図である。
【図１１】図１１は、図１０に示される、表示される領域の詳細である。
【図１２Ａ】図１２Ａは、パウチを伴い、部分的後退位置にある、本開示の別の実施形態による、試料回収デバイスの模式図である。
【図１２Ｂ】図１２Ｂは、内側シャフトが完全拡張形態にあり、試料回収デバイスのパウチおよびストリッパプレートが展開された、図１２Ａに示される試料回収デバイスの模式図である。
【図１３】図１３は、外側シャフトの近位端が内側シャフトから分離し、駆動デバイスが内側シャフトの遠位開口と係合した状態を図示する、図１２Ａおよび図１２Ｂに示される試料回収デバイスの近位端の斜視図である。
【図１４】図１４は、駆動デバイスが内側シャフトの遠位開口と係合した状態での内側シャフトおよび駆動デバイスを図示する、図１２Ａに示される試料回収デバイスの近位端の拡大斜視図である。
【図１５】図１５は、外側シャフトが部分的断面で示された、図１２Ａに示す試料回収デバイスの近位端の拡大斜視図である。
【図１６】図１６は、内側シャフトが部分的後退形態で示され、駆動デバイスが内側シャフトの遠位開口内に受容された、図１２Ａに示される試料回収デバイスの近位端の断面図である。
【図１６Ａ】図１６Ａは、内側シャフトが部分的後退位置から完全後退位置に向かって動かされ、外側シャフト上の戻り止めが駆動デバイスのアーム上の突起に係合した際の、図１２Ａに示される試料回収デバイスの近位端の断面図である。
【図１６Ｂ】図１６Ｂは、外側シャフト上の戻り止めが、駆動デバイスのアーム上の突起を遠位開口から押し付けた後で、内側シャフトが部分的後退位置から完全後退位置に向かって動かされた際の、図１２Ａに示される試料回収デバイスの近位端の断面図である。
【図１７】図１７は、内側シャフトが完全後退位置にあり、駆動デバイスのアーム上の突起が内側シャフトの近位開口内に受容された状態における、図１２Ａに示される試料回収デバイスの近位端の断面図である。
【図１８】図１８は、内側シャフトおよび駆動デバイスが完全後退位置から伸展位置に向かって動かされた際、駆動シャフトの突起が内側シャフトの近位開口中に受容された試料回収デバイスの近位端の断面図である。
【図１９】図１９は、部品が分離された、本開示の別の実施形態による、試料回収デバイスの模式図である。
【図２０】図２０は、試料回収デバイスの外側シャフトに対して内側シャフトを動かすために、試料回収デバイスの駆動デバイスおよび内側シャフトが係止形態に示された、図１９内の線分２０−２０に沿って取られた断面図である。
【図２１】図２１は、駆動デバイスが、図１９に示される試料回収デバイスのパウチを締めるための係止解除形態で示された、駆動デバイスおよび内側シャフトの断面図である。
【図２２】図２２は、係止部材を含む、本開示の別の実施形態による、試料回収デバイスの近位端の模式図である。
【図２３Ａ】図２３Ａは、筺体に対する内側シャフトの不注意な初期の遠位前進を防止するように構成された内側シャフト、筺体、およびカムロックを有する、本開示の別の実施形態による、試料回収デバイスの模式図である。
【図２３Ｂ】図２３Ｂは、図２３Ａのカムロックの拡大図である。
【図２３Ｃ】図２３Ｃは、カムロックが第１の位置から第２の位置に動かされたとき、カムロック内に画定された枢支孔の内周への、筺体上に配置された枢支軸の係合を示す、本開示の別の実施形態の大きく拡大された図である。
【図２４Ａ】図２４Ａ−２４Ｄは、内側シャフトが、近位に並進させられ、カムロックが、筺体に対する内側シャフトの遠位前進を防止するための第１の位置から内側シャフトの筺体に対する遠位前進を可能にする第２の位置まで動く際の、一連の動作を示す模式図である。
【図２４Ｂ】図２４Ａ−２４Ｄは、内側シャフトが、近位に並進させられ、カムロックが、筺体に対する内側シャフトの遠位前進を防止するための第１の位置から内側シャフトの筺体に対する遠位前進を可能にする第２の位置まで動く際の、一連の動作を示す模式図である。
【図２４Ｃ】図２４Ａ−２４Ｄは、内側シャフトが、近位に並進させられ、カムロックが、筺体に対する内側シャフトの遠位前進を防止するための第１の位置から内側シャフトの筺体に対する遠位前進を可能にする第２の位置まで動く際の、一連の動作を示す模式図である。
【図２４Ｄ】図２４Ａ−２４Ｄは、内側シャフトが、近位に並進させられ、カムロックが、筺体に対する内側シャフトの遠位前進を防止するための第１の位置から内側シャフトの筺体に対する遠位前進を可能にする第２の位置まで動く際の、一連の動作を示す模式図である。
【図２５Ａ】図２５Ａは、本開示の別の実施形態による、試料回収デバイスの分解斜視図である。
【図２５Ｂ】図２５Ｂは、図２５Ａの試料回収デバイスとともに使用可能な取り外し可能な出荷用くさびの側面斜視図である。
【図２６】図２６−２７は、内側シャフトの筺体に対する初期の遠位並進を防止する位置に置かれた取り外し可能な出荷用くさびを伴う、図２５Ａに示された試料回収デバイスの模式図である。
【図２７】図２６−２７は、内側シャフトの筺体に対する初期の遠位並進を防止する位置に置かれた取り外し可能な出荷用くさびを伴う、図２５Ａに示された試料回収デバイスの模式図である。
【図２８】図２８は、内側シャフトが部分的後退位置にある、本開示の別の実施形態による、試料回収デバイスの内側シャフトおよび捩りばねの側面図である。
【図２９】図２９は、捩りばねが、カムスロットの第１の部分からカムスロットの第２の部分まで移行し、内側シャフトが完全後退位置に動かされた後の図２８に示された内側シャフトおよび捩りばねの側面図である。
【図３０】図３０−３３は、筺体と、内側シャフトと、筺体に対する内側シャフトの初期の遠位並進を防止するように構成された捩りばねとを有する、本開示の別の実施形態による、試料回収デバイスの模式図である。
【図３１】図３０−３３は、筺体と、内側シャフトと、筺体に対する内側シャフトの初期の遠位並進を防止するように構成された捩りばねとを有する、本開示の別の実施形態による、試料回収デバイスの模式図である。
【図３２】図３０−３３は、筺体と、内側シャフトと、筺体に対する内側シャフトの初期の遠位並進を防止するように構成された捩りばねとを有する、本開示の別の実施形態による、試料回収デバイスの模式図である。
【図３３】図３０−３３は、筺体と、内側シャフトと、筺体に対する内側シャフトの初期の遠位並進を防止するように構成された捩りばねとを有する、本開示の別の実施形態による、試料回収デバイスの模式図である。
【図３４Ａ】図３４Ａ−３８は、内側シャフトの筺体に対する初期の遠位並進を防止する取り外し可能な出荷用くさびを有する、本開示の別の実施形態による、試料回収デバイスの模式図である。
【図３４Ｂ】図３４Ａ−３８は、内側シャフトの筺体に対する初期の遠位並進を防止する取り外し可能な出荷用くさびを有する、本開示の別の実施形態による、試料回収デバイスの模式図である。
【図３５Ａ】図３４Ａ−３８は、内側シャフトの筺体に対する初期の遠位並進を防止する取り外し可能な出荷用くさびを有する、本開示の別の実施形態による、試料回収デバイスの模式図である。
【図３５Ｂ】図３４Ａ−３８は、内側シャフトの筺体に対する初期の遠位並進を防止する取り外し可能な出荷用くさびを有する、本開示の別の実施形態による、試料回収デバイスの模式図である。
【図３６Ａ】図３４Ａ−３８は、内側シャフトの筺体に対する初期の遠位並進を防止する取り外し可能な出荷用くさびを有する、本開示の別の実施形態による、試料回収デバイスの模式図である。
【図３６Ｂ】図３４Ａ−３８は、内側シャフトの筺体に対する初期の遠位並進を防止する取り外し可能な出荷用くさびを有する、本開示の別の実施形態による、試料回収デバイスの模式図である。
【図３７】図３４Ａ−３８は、内側シャフトの筺体に対する初期の遠位並進を防止する取り外し可能な出荷用くさびを有する、本開示の別の実施形態による、試料回収デバイスの模式図である。
【図３８】図３４Ａ−３８は、内側シャフトの筺体に対する初期の遠位並進を防止する取り外し可能な出荷用くさびを有する、本開示の別の実施形態による、試料回収デバイスの模式図である。
【発明を実施するための形態】
【０１６５】
（実施形態の詳細な説明）
ここで本開示の実施形態は、図面を参照して詳細に記述されるが、同様の参照番号は、いくつかの図面のそれぞれ内で同一または対応する要素を示す。本明細書で使用されるように、用語「遠位」は、臨床専門家から最も遠い器具の部分を指し、用語「近位」は、臨床専門家に最も近い器具の部分を指す。以下の記述では、周知の機能または構成は、不要な詳細で本開示を不明瞭にすることを避けるため、詳細には記述されない。
【０１６６】
本開示に関して本明細書で使用されるように、用語「腹腔鏡」および「内視鏡」は、互換可能であり、カニューレまたは皮膚内の小さな切開部に挿入するための比較的狭い操作部分を有する器具を指す。腹腔鏡および内視鏡はまた、最小侵襲性の外科的手順を指す。本開示は、最小侵襲性の手順におけるように、カニューレを使用する、または使用しないにかかわらず、体の内部へのアクセスが比較的小さな切開部に限られる任意の手順での使用を見出し得るものと考えられる。加えて、本明細書で使用されるように、用語「臨床専門家」は、医師、看護師、および補助要員を含む、医療スタッフを指す。
【０１６７】
図１−６に関して、最初に図１を参照すると、本開示の実施形態による、試料回収デバイス１０が図示される。試料回収デバイス１０は、筺体１２と、外側シャフト１４と、内側シャフト１６とを含む。試料回収デバイス１０（およびそれに関連する構成要素）は、例えば、プラスチック等の任意の好適な生体適合性材料から形成され得る。ある実施形態では、射出成形製造プロセスが、筺体１２、外側シャフト１４、および内側シャフト１６を形成するのに利用され得る。
【０１６８】
筺体１２および外側シャフト１４は、長手方向の穴を画定し、略細長い形態を有する。長手方向の穴は、内側シャフト１６を摺動可能に受容するように構成される。筺体１２は、単一の構成要素として、もしくは１つまたはそれを上回る好適な連結方法（例えば、１つまたはそれを上回る好適な接着剤）によって互いに連結された２つに分離した半分の構成要素として形成され得る。後者の場合、窪み／戻り止め形態（明確に図示せず）が、２つに分離した半分の構成要素の連結を容易にするため利用され得る。筺体１２は、臨床専門家が、試料回収デバイス１０を掴んで操作できるようにする、例えば、一対の対向する側方ループ１３ａ、１３ｂ（図１）等のハンドルを含む。代わりに、他のハンドル形態も想定される。
【０１６９】
例えば、（図１および３−５内では仮想線で示される）ボス（または陥凹部）１８等、１つまたはそれを上回るストップ部材が、筺体１２の内壁に沿って画定され、以下にさらに詳細に説明するように、内側シャフト１６の外側シャフト１４に対する遠位並進を制限するため、内側シャフト１６を着脱可能に係合するように構成される。他のデバイスおよび／または構成要素（例えば、戻り止め、突起、または同等物）が、内側シャフト１６に係合するため、ボス１８の代わりに利用され得る。
【０１７０】
外側シャフト１４は、筺体１２から遠位に延在し、略管状の形態を含み、これが、上記のように、長手方向の穴を画定する。外側シャフト１４は、内側シャフト１６を摺動可能に受容するように構成され、そこを通して長手方向の軸「Ａ−Ａ」を画定する。外側シャフト１４は、内視鏡または腹腔鏡下の処置のため、トロカール、カニューレ、または自然の身体オリフィスを通した挿入のための寸法にされる。好適な形態の開口２０は、外側シャフト１４の遠位端に設けられ、パウチ２２を含む内側シャフト１６（図１）の進入および退出を可能にするような寸法および構成にされる。外側シャフト１４は、１つまたはそれを上回る好適な連結方法（例えば、溶接、接着剤等）を介して、筺体１２に連結される。代わりに、外側シャフト１４は、筺体１２と一体に形成され得る。
【０１７１】
引き続き図１−６を参照すると、内側シャフト１６は、略細長い形態を有し、外側シャフト１４内に移動可能に置かれる。内側シャフト１６は、パウチ２２を完全後退形態から拡張または展開形態まで動かすように、外側シャフト１４内で並進可能である。完全後退形態では、パウチ２２は、アクセスポートを通して試料回収デバイス１０を置くために、外側シャフト１４の遠位端内に少なくとも部分的に配置される（図３および図４は、完全後退形態にある内側シャフト１６を示し、パウチ２２は、図３では明瞭性のため示されない）。拡張または展開形態では、パウチ２２は、標的組織をパウチ２２内に置くため、外側シャフト１４の外側に配置される。
【０１７２】
本開示によれば、パウチ２２が完全後退形態から拡張形態まで動かされると、パウチ２２は、パウチ２２の内側シャフト１６からの切り離しを容易にするため解放形態に動かされ、以下に詳述されるように、パウチ２２が、締め付けられ得、患者から取り除かれ得るようになる。このため、内側シャフト１６は、連結部材４０によって保持部材２６に連結されたスレッド２４（図２）を支持する。保持部材２６およびスレッド２４は、内側シャフト１６の完全後退位置から伸展位置への移動の際に、内側シャフト１６の遠位端３０に設けられた支持機構２８（図６）からのパウチ２２の離脱（図３参照）を容易にするように構成される。
【０１７３】
図２および図２Ａを参照すると、保持部材２６は、それぞれ、保持部材２６の近位端３２で接合された左側および右側部分２７ａ、２７ｂを有する、二股形態を含む。左側および右側部分２７ａおよび２７ｂは、ワイヤ、ロッド、または同等物を含むことができる。保持部材２６が（図２Ａに示されるように）最遠位位置にある状態で、保持部材２６の左側および右側部分２７ａ、２７ｂは、内側シャフト１６の側部突起３４内に画定される対応するスロット３３を通して延在する。各側部突起３４は、パウチ２２のタブ部分３９ａおよび３９ｂ（図１、２、および６）を通して画定される対応する開口３６（図１）内に着脱可能に受容されるように構成される。パウチ２２の左および右のタブ部分３９ａ、３９ｂは、パウチ２２の近位端４１（図１）に隣接して設けられ、内側シャフト１６上の対応する側部突起３４に着脱可能に連結するように、そこから近位に延在する。保持部材２６が最遠位位置にある状態で、保持部材２６の左側および右側部分２７ａ、２７ｂは、タブ部分３９ａ、３９ｂが突起３４から脱係合されることを防止する。保持部材２６は、以下でより詳細に説明するように、臨床専門家が、パウチ２２を支持機構２８から切り離すことができるように、内側シャフト１６に対して最遠位位置から最近位位置まで可動である。
【０１７４】
図２および図５を参照すると、ワイヤ、ケーブル、ロッド、または同等物の形であり得る連結部材４０は、保持部材２６をスレッド２４に連結するように構成される。具体的には、連結部材４０は、保持部材２６の近位端３２に固定的または着脱可能のいずれかに連結された遠位フック部分４２（図２）と、スレッド２４の遠位端４６に固定的または着脱可能のいずれかに連結された近位フック部分４４（図５）とを含む。当業者は、連結部材４０を保持部材２６とスレッド２４とに連結するのに利用され得る他の連結方法を認識し得る。例えば、近位および遠位フック部分４４、４２は、削除され得、連結部材４０の近位端および遠位端が、保持部材２６およびスレッド２４のそれぞれの近位端および遠位端３２、４６に直接はんだ付け、ろう付け、または溶接され得る。
【０１７５】
図２および図４−５を参照すると、スレッド２４は、略細長い形態を有し、内側シャフト１６の頂部壁部分５０によって画定されるノッチ４８（図４および図５）内に着座させられる。スレッド２４は、ノッチ４８内で遠位位置と近位位置との間を動くように、ノッチ４８に沿って摺動可能である。スレッド２４は、筺体１２のボス１８に接触するように構成された遠位端５４を含む、弾性フィンガ部分５２を含む。好適な形態の随意の切り欠き５６（図５）は、弾性フィンガ部分５２のボス１８との係合を容易にするためにボス１８上に設けられた対応する機械的インターフェースに係合するように、フィンガ部分５２の遠位端５４に設けられ得る。スレッド２４の遠位端４６は、連結部材４０の近位フック部分４４を受容するように構成された開口（明示せず）を画定する。理解され得るように、近位フック部分４４が連結部材４０とともに利用されない実施形態では、スレッド２４は、開口なしで形成され得、連結部材４０の近位端は、例えば、溶接を介する等、任意の公知の方法でスレッド２４に取り付けられ得る。
【０１７６】
図１および図６を参照すると、支持機構２８は、開いた二股形態を形成する、２つの可撓性または弾性の部材５８および６０を含む。柔軟または弾性の部材５８、６０は、ばね鋼、ニチノールＴＭ、または同等物から作られ得る。図示された実施形態では、弾性の部材５８、６０は、支持機構２８の近位端で接合され、１つまたはそれを上回る好適な連結方法を介して、内側シャフト１６の遠位端３０に連結される。図示された実施形態では、例えば、内側シャフト１６の遠位端３０は、支持機構２８の弾性の部材５８および６０の近位端の周りにオーバーモールドされる。
【０１７７】
弾性の部材５８、６０は、パウチ２２が外側シャフト１４内に置かれた後退形態のときの応力印加または非拡張の状態から、パウチ２２が外側シャフト１４から展開されるときの応力非印加または拡張状態まで動くように構成される。応力非印加または拡張状態では、弾性の部材５８、６０は、パウチ２２の開口部１５の外周を支持するための、略円形またはフープ状の形態を集合的に形成する（例えば、図１参照）。当業者は、弾性の部材５８、６０が、略長円等、多数の形態形状を形成できることを認識し得る。
【０１７８】
本開示によれば、弾性の部材５８、６０は、内側シャフト１６の遠位端にパウチ２２を着脱可能に連結するように構成される。具体的には、弾性の部材５８、６０は、パウチ２２の上端部の周りに設けられた好適な形態の管状部分またはスリーブ１７（図６）を通して送り込まれ得る。保持部材２６が内側シャフト１６の側部突起２４から脱係合されるとき、外側シャフト１４内における内側シャフト１６の近位移動は、パウチ２２の近位部分４１が、外側シャフト１４の遠位端に接触するようにする。パウチ２２が外側シャフト１６の遠位端に係合した後で、内側シャフト１６の外側シャフト１４内における近位へのさらなる近位移動は、以下にさらに詳細に説明するように、弾性の部材５８、６０がパウチ２２のスリーブ１７の外に摺動するようにして、弾性の部材５８、６０からパウチ２２を切り離す。
【０１７９】
図１を再び参照すると、ハンドル、例えば、フィンガループ２３は、内側シャフト１６の近位端に設けられ、例えば、臨床専門家による手動把持を介して、外側シャフト１４および筺体１２に対する内側シャフト１６の移動を容易にするように構成される。他のハンドル形態も、想定される。シンチプラー６２は、圧入または摩擦係合を介して、フィンガループ２３に取り外し可能に連結され、当業者に公知のように、組織試料がパウチ内に置かれた後でパウチ２２を閉じるように構成される。より具体的には、シンチプラー６２は、縫合糸「Ｓ」に接続される。縫合糸「Ｓ」の遠位端は、パウチ２２に連結される（図６）。例えば、縫合糸「Ｓ」は、当業者に公知のように、カフ１７を通してパウチ２２の開口部１５の周りに延在することができる。実施形態では、シンチは、糸、ワイヤ、ケーブル、または同等物の形態であってもよい。使用時には、パウチ２２が外側管１４の遠位端と当接状態であり、パウチ２２が支持機構２８から切り離された後で、シンチプラー６２は、パウチ２２の開口部１５（図１）を閉じるために、縫合糸「Ｓ」を近位に引き出すように外側管１４に対して近位に引かれ得る。
【０１８０】
パウチ２２は、可撓性の折り畳み式部材または膜を形成することができる任意の好適な生体適合性材料（例えば、ナイロン、ウレタン、リップストップナイロン、またはラテックス）から作られ得る。パウチ２２は、開口部１５および閉じられた下部分２１（図１）を画定する開閉可能な上部分（または口）１９によって画定される、略管状または細長い形態を含む。上部分１９は、弾性の部材５８、６０をその中に受容するように構成されたスリーブ１７と縫合糸「Ｓ」の遠位部分とを含む（図６）。図示された実施形態では、縫合糸「Ｓ」の遠位部分は、スリーブ１７の１つの端部を通して置かれ、スリーブ１７のもう一方の端部で、パウチ２２または回収デバイス１０の遠位端に連結される。このようにして、シンチプラー６２が近位に引かれたとき、縫合糸「Ｓ」は、上部分１９の開口部１５を閉じる。
【０１８１】
試料回収デバイス１０は、パウチ２２を展開形態にし、内側シャフト１６を部分的後退位置にした状態で梱包および出荷され得る。上記のように、パウチ２２が展開された状態で試料回収デバイス１０を出荷すると、パウチ２２内に記憶される折り皺が形成される可能性を最小限にし得る。使用に先立って、内側シャフト１６は、小さな切開部またはカニューレを通した外側シャフト１４の挿入を容易にするようにパウチ２２を外側シャフト１４内に置くため、部分的後退位置から後退位置まで外側シャフト１４に対して近位に動かされ得る。内側シャフト１６が、部分的後退位置から完全後退位置に向けて外側シャフト１４に対して近位に動かされると、スレッド４２の弾性フィンガ部分５２が、ボス１８との係合を介して下向きに偏向させられ、スレッド２４がボス１８の近位側部に移動できるようになる。そうすることで、パウチ２２は、少なくとも部分的に外側シャフト１４内に引き込まれる。この位置で、スレッド２４は、内側シャフト１６上に画定されるノッチ４８の遠位端に置かれる。その後、外側シャフト１４は、患者上の自然または人工的に作製されたオリフィスを通して挿入され得、標的組織に隣接して置かれ得る。以下に説明されるように、保持部材２６の内側シャフト１６に対する移動は、内側シャフト１６の側部突起３４からの保持部材２６の脱係合を引き起こす。より具体的には、外側シャフト１４からパウチ２２を展開するため、内側シャフト１６が外側シャフト１４に対して遠位に動かされるとき、スレッド２４のフィンガ部分５２の遠位端５４（図４）は、スレッド２４および保持部材２６が内側シャフト１６とともに遠位に動くのを防止するために、ボス１８を一時的に係合し得る。スレッド２４および保持部材２６から独立した内側シャフト２６の移動は、内側シャフト１６が伸展位置に向かって動かされたとき、保持部材２６の部分２７ａ、２７ｂが側部突起３４のスロット３３から脱係合する。
【０１８２】
フィンガ部分５２の遠位端５４は、スレッド２４に対する内側シャフト１６の遠位並進まで、ボス１８と係合したままであり、外側シャフト１４は、ノッチ４８を画定する内側シャフト１６の頂部壁部５０（図４）を、フィンガ部分５２と接触させる。頂部壁部５０は、フィンガ部分５２の上面に沿って摺動し、フィンガ部分５２を下向きに押し付けてボス１８との係合を外し、スレッド２４が、内側シャフト１６とともに外側シャフト１４に対して遠位に再び動き得るようにする（図５）。外側シャフト１４に対する内側シャフト１６の継続的な遠位移動は、最終的に、パウチ２２を展開形態に動かす（図６は、明確化のため、パウチ２２の頂部部分を図示する）。
【０１８３】
パウチ２２が展開され、外科的手順が完了した後で、内側シャフト１６は、パウチ２２を内側シャフト１６から分離するために、外側シャフト１４内に引き戻され得る。そのような分離力は、臨床専門家が内側シャフト１６の近位端でハンドル２３を近位に引くことよって生成される。より具体的には、いったんパウチ２２のタブ部分３９ａ、３９ｂが、保持部材２６によって、内側シャフト１６の左右の突起３４にもはや係止されなくなると、外側シャフト１４に対して内側シャフト１６を近位に引くことで、パウチ２２の近位端は、外側シャフト１４の遠位端と当接するようになる。その結果、内側シャフト１６が外側シャフト１４内に引き戻されるとき、タブ部分３９ａおよび３９ｂは、内側シャフト１６からパウチ２２を分離させるように突起３４から脱係合される。突起３４は、タブ部分３９ａ、３９ｂからの分離を容易にする近位の面取り３４ａ（図６）を有してもよい。その後、支持機構２８の弾性の部材５８、６０は、内側シャフト１６が外側シャフト１４内に後退させられた際、支持機構２８の弾性の部材５８、６０がパウチ２２をもはや支持しなくなるまで、パウチ２２のスリーブ１７の外に摺動させられるようになる。
【０１８４】
パウチ２２が内側シャフト１６からいったん切り離されると、臨床専門家は、シンチプラー６２を内側シャフト１６のフィンガループ２３から離脱させてもよい。ある実施形態では、縫合糸「Ｓ」は、内側シャフト１６から離脱させられ得、内側シャフトは、外側シャフト１４から引き戻される。内側シャフト１６が取り除かれた状態で、縫合糸「Ｓ」の残りの部分は、外側シャフト１４を通して長手方向に延在する。縫合糸「Ｓ」を引くと、縫合糸「Ｓ」は、開口部１５を閉じるようにパッチ２２の開口部１５の周りを締め付けるようにする。外側シャフト１４は、その後、手術部位から引き戻され得、手術部位内の閉鎖したパウチ２２と切開部を通して延在する縫合糸「Ｓ」の一部分とだけが残され得る。
【０１８５】
典型的には、試料回収デバイスの外側シャフト内に折り畳まれ、もしくは巻かれて格納されているパウチとともに使用されるために出荷される、従来の試料回収デバイスとは異なり、本試料回収デバイス１０は、例えば、外側シャフト１４の外部で折り畳まれずに展開形態にあるパウチ２２とともに使用するために出荷され得る。そのような配置は、例えば、パウチ２２上に記憶された折り皺が形成される可能性を、解消しないまでも低減させる等、典型的には従来の試料回収デバイスに関連付けられる欠点を克服し得る。
【０１８６】
前の記述から、また種々の図面を参照すれば、当業者は、特定の改変がまた、全体的な範囲から逸脱することなく、本開示に対してなされ得ることを認識し得る。例えば、１つまたはそれを上回るデバイスまたは構成要素が、支持機構２８の弾性の部材５８、６０からパウチ２２を分離する助けとなるように利用され得る。
【０１８７】
例えば、図７は、ストリッパプレート１７０を含む、試料回収デバイス１１０を図示する。ストリッパプレート１７０は、試料回収デバイス１１０の外側シャフト１１４内に受容され、内側シャフト１１６が完全伸展位置に動かされたとき、支持機構１２８からパウチ１２２を分離する助けとなるよう展開されるように構成される（図８）。試料回収デバイス１１０は、試料回収デバイス１０と同様である。したがって、試料回収デバイス１１０に特有の特長のみを本明細書に記載する。
【０１８８】
図７および図８を参照すると、ストリッパプレート１７０は、ストリッパプレート１７０が試料回収デバイス１１０の外側シャフト１１４の遠位端内に配置された後退形態から、ストリッパプレート１７０が外側シャフト１１４の外側に配置された展開形態（図１１）まで可動である。以下にさらに詳細に説明するように、後退形態では、ストリッパプレート１７０は、（図８に示されるように）外側シャフト１１４を通して画定される長手方向の軸「Ａ−Ａ」に対して第１の角度θ°に配向され得る。ストリッパプレート１７０の第１の角度θ°は、約１度〜約７５度の範囲にあってもよい。
【０１８９】
図９Ａ−図９Ｂを参照すると、実施形態では、ストリッパプレート１７０は、主軸「Ｂ−Ｂ」および副軸「Ｃ−Ｃ」を画定する略長円の形態を含む。副軸「Ｃ−Ｃ」の幅は、外側シャフト１１４の内径を下回り、主軸「Ｂ−Ｂ」の幅は、外側シャフト１１４の内径を上回る。なお、外側シャフト１１４の内径を上回る主軸「Ｂ−Ｂ」を有することは、ストリッパプレート１７０が外側シャフト１１４から展開された後で、ストリッパプレート１７０が外側シャフト１１４内に戻されることを防止することが留意される。ストリッパプレート１７０の前端部１７５は、ストリッパプレートの前端部１７５と後端部１７３との間に延在する略長円形に形作られた周壁１７９を伴う、略平面状の形態を含む。周壁１７９は、周壁１７９が外側シャフト１１４の内面に摩擦によって係合することができるように、ストリッパプレート１７０の平面状の前端部１７５に対して約２５度〜約４５度の範囲の角度で傾斜させられ得る（図８）。示されるように、ストリッパプレート１７０の周壁１７９の角度は、以下にさらに詳細に説明するように、外側シャフト１１４の内面に対して実質的に平行であり、ストリッパプレート１７０が外側シャフトから展開され得るようにする。
【０１９０】
引き続き図９Ａ−９Ｂを参照すると、ストリッパプレート１７０は、そこを通して画定される第１および第２の開口１７１、１７２を含む。ストリッパプレート１７０の第１の開口１７１は、略円形の形状を有し、支持機構１２８の弾性の部材１５８、１６０を受容するように構成される（図８）。
【０１９１】
第２の開口１７２は、略三角の形状を有し、試料回収デバイス１１０の縫合糸「Ｓ」を受容するように構成される（図１１）。実施形態では、第２の開口１７２は、第１の上部分１７６ａ、第２の上部分１７６ｂ、および下部分１７６ｃによってさらに画定され得る。第１および第２の上部分１７６ａ、１７６ｂのそれぞれは、略円周壁１７７ａ、１７７ｂによって画定され得、下部分１７６ｃは、下部の略凹面の壁１７８によって画定され得る。第１および第２の上部分１７６ａ、１７６ｂは、縫合糸「Ｓ」が、第１または第２の部分１７６ａ、１７６ｂを通して引かれる際に、縫合糸「Ｓ」にドラグ力を働かせるため、縫合糸「Ｓ」に比例したサイズである。ある実施形態では、縫合糸「Ｓ」は、第１または第２の部分１７６ａ、１７６ｂの１つを通過し、スリーブを通してパウチ１２２内の開口部の周りに延在し、その後、ストリッパプレート１７０のもう一方の開口部１７６ａ、１７６ｂを通して、縫合糸「Ｓ」がストリッパプレート１７０の後端部１７３に固着されるところに戻る。縫合糸「Ｓ」が近位に引かれるとき、縫合糸「Ｓ」は、パウチ１２２内の開口部を締めつける。
【０１９２】
第１および第２の対向するチャネル１８０ａ、１８０ｂは、第１および第２の上部分１７６ａ、１７６ｂとストリッパプレート１７０の下部分１７６ｃとの間にそれぞれ設けられる。第１および第２の対向するチャネル１８０ａ、１８０ｂは、縫合糸「Ｓ」が、試料回収装置１１０のパウチ１２２を閉じるように近位に引かれているとき（例えば、図７参照）、縫合糸「Ｓ」を第１の上部分１７６ａおよび第２の上部分１７６ｂにそれぞれ誘導するのに役立つ。当業者は、第１および第２の開口１７１および１７２が、それぞれ、鋭角または湾曲／凹面のコーナーまたはエッジのいずれかを伴う、円形、楕円形、正方形、長方形、Ｙ形、またはＸ形等、任意の公知の形態であり得ることを認識し得る。さらに、第１および第２の開口１７１および１７２のそれぞれの内壁は、例えば、ストリッパプレート１７０の前面に対して内向きまたは外向きに角度付けされ得る。
【０１９３】
図１０−１１を参照すると、ストリッパプレート１７０は、パウチ１２２を支持するように構成された支持機構１２８の弾性の部材１５８、１６０上に支持される。図７−１１に図示される実施形態では、パウチ１２２のタブ部分３９ａ、３９ｂ（図１）は、試料回収デバイス１１０の内側シャフト１１６上に設けられた側部突起１３４（図８）への連結のため、ストリッパプレート１７０の副軸「Ｃ−Ｃ」（図９Ａ）の周りに延在するように構成される。
【０１９４】
以下にさらに詳細を記述するように、試料回収デバイス１１０の使用時には、内側シャフト１１６は、部分的後退位置から完全後退位置に、そしてその後、完全伸展位置まで可動である。出荷位置である内側シャフト１１６の部分的後退位置（図７および図１２Ａ）では、パウチ１２２は、展開されるが、ストリッパプレート１７０は、外側シャフト１１４内の位置に置かれる。この位置では、以下にさらに詳細に説明するように、係止部材は、内側シャフト１１６がまず完全後退位置に動かされるまで、内側シャフト１１６の完全伸展位置への前進を防止する。内側シャフト１１６の完全後退位置への移動は、いくつかの実施形態では、係止部材を解放するが、小さな切開部またはカニューレを通した外側シャフト１１４の挿入を容易にするように、パウチを外側シャフト１１４内に引き込む。内側シャフト１１６の完全後退位置から伸展位置への移動（図１１および図１２Ｂ）は、パウチ１２２を再展開させ、ストリッパプレート１７０を展開させ、図１−６に関して上述したように、内側シャフト１１６からのパウチ１２２の分離を容易にするため、保持部材２６を突起３４から脱係合する（図２Ａ）。
【０１９５】
図９Ｃ−９Ｋは、本開示とともに用いられる代替的実施形態のストリッパプレート１１７０、１２７０、１３７０、１４７０、１５７０、１６７０、１７７０、１８７０、および１９７０を示す。理解され得るように、開示されたこれらのストリッパプレート１１７０、１２７０、１３７０、１４７０、１５７０、１６７０、１７７０、１８７０、および１９７０のいずれもが、支持機構２８、１２８の弾性の部材５８、６０および１５８、１６０からのパウチ１２２の分離を助けるため、例えば、試料回収デバイス１０および／または１１０等、本願に示され記載される試料回収デバイスのいずれかとともに利用され得る。
【０１９６】
図９Ｃを参照すると、ストリッパプレート１１７０は、主軸「Ｂ−Ｂ」および副軸「Ｃ−Ｃ」を画定する略長円の形態を含む。ストリッパプレート１７０とほぼ同じく、副軸「Ｃ−Ｃ」の幅は、外側シャフト１１４の内径を下回り、主軸「Ｂ−Ｂ」の幅は、外側シャフト１１４の内径を上回る。ここでもまた、外側シャフト１１４の内径を上回る主軸「Ｂ−Ｂ」を有することは、ストリッパプレート１１７０が外側シャフト１１４から展開された後で、ストリッパプレート１１７０が外側シャフト１１４内に戻されて動き得ないことを確実にすることが留意される。
【０１９７】
ストリッパプレート１１７０は、第１の開口１１７１とそこを通して画定される一対の第２の開口１１７２ａ、１１７２ｂとを含む。ストリッパプレート１１７０の第１の開口１１７１は、略円周の形状を有し、支持機構１２８の弾性の部材１５８、１６０を受容するように構成される（例えば、図１０−１１参照）。
【０１９８】
一対の第２の開口１１７２ａおよび１１７２ｂは、ストリッパプレート１１７０を通して延在し、それぞれ、試料回収デバイス１１０の縫合糸「Ｓ」の一部分を（図１１と同様に）摩擦によって受容するように構成される。一対の第２の開口１１７２ａおよび１１７２ｂは、試料回収装置１１０のパウチ１２２（例えば、図７参照）を閉じるように縫合糸「Ｓ」が近位に引かれる際、縫合糸「Ｓ」を誘導するのに役立つように構成される。ある実施形態では、縫合糸「Ｓ」は、開口部１１７２ａを通して、パウチ１２２の開口部の周りを延在し、開口部１１７２ｂを通して戻り、そこで、縫合糸「Ｓ」は、ストリッパプレート１１７０の後端部１１７３に固着される。
【０１９９】
上述のストリッパプレート１７０とほぼ同じく、後退形態では、ストリッパプレート１１７０は、外側シャフト１１４の内周に角度θ°で配向される（図８）。ストリッパプレート１１７０が後退形態から展開形態に動かされるとき（図１０−１１）、ストリッパプレート１１７０は、弾性の部材１５８、１６０の周りで傾き、長手方向の軸「Ａ−Ａ」に対して第２の角度θ°に自らを配向させる。ストリッパプレート１１７０が展開形態にあるとき、内側シャフト１１６の外側シャフト１１４に対する近位移動は、支持機構１２８が開口部１１７１を通過する際（図８）、ストリッパプレート１１７０の後端部１１７３が外側シャフト１１４の遠位端と接触するようにし、そしてパウチ１２２がストリッパプレート１１７０の前端部１１７５と接触するようにして、上記のように、内側シャフト１１６の支持部材１２８の弾性の部材１５８、１６０からパウチ２２を切り離す。
【０２００】
図９Ｄを参照すると、ストリッパプレート１２７０は、主軸「Ｂ−Ｂ」および副軸「Ｃ−Ｃ」を画定する略長円の形態を含む。ストリッパプレート１７０とほぼ同じく、副軸「Ｃ−Ｃ」の幅は、外側シャフト１１４の内径を下回り、主軸「Ｂ−Ｂ」の幅は、外側シャフト１１４の内径を上回る。ここでもまた、外側シャフト１１４の内径を上回る主軸「Ｂ−Ｂ」を有することは、ストリッパプレート１２７０が外側シャフト１１４から展開された後で、ストリッパプレート１２７０が外側シャフト１１４内に戻され得ないことを確実にすることが留意される。ストリッパプレート１２７０の前端部１２７５は、ストリッパプレート１２７０の前端部１２７５と後端部１２７３との間に延在する略長円形に形作られた周壁１２７９を伴う略平面状の形態を含む。周壁１２７９は、上記のように、外側シャフト１１４内におけるストリッパプレート１２７０の適正な配向を容易にし、後退形態から展開形態へのストリッパプレート１２７０への展開を容易にするため、外側シャフト１１４の長手方向の軸Ａ−Ａに対して約２５度〜約４５度の範囲の角度（図８）を画定するように傾斜させられる。ストリッパプレート１２７０はまた、ストリッパプレート１２７０の前端部１２７５上に画定される面取りされた前縁１２７７を含む。ストリッパプレート１２８０の前端部１２７５は、ストリッパプレート１２７０が外側シャフト１１４内で第１の角度θ°に配置されるとき、遠位を向くように設計される。面取りされた前縁１２７７および周壁１２７９は、外側シャフト１１４からのストリッパプレートの展開を容易にするため、実質的に対応する角度θ°を含む。対応する角度θ°は、約２５度〜約４５度の範囲内にあってもよい。
【０２０１】
ストリッパプレート１２７０は、その中を通して画定される第１の開口１２７１と一対の第２の開口１２７２ａ、１２７２ｂとを含む。ストリッパプレート１２７０の第１の開口１２７１は、略円周の形状を有し、支持機構１２８の弾性の部材１５８、１６０を受容するように構成される（図１１）。
【０２０２】
一対の第２の開口１２７２ａおよび１２７２ｂは、ストリッパプレート１２７０の前端部１２７５内に画定され、それぞれ、上述した理由のため、試料回収デバイス１１０の縫合糸「Ｓ」の一部分を受容するように構成される。一対の第２の開口１２７２ａおよび１２７２ｂは、互いに隣接して位置決めされ、縫合糸「Ｓ」が、試料回収装置１１０のパウチ２２を閉じるように近位に引かれているとき、縫合糸「Ｓ」を誘導するのに役立つように構成される（図７）。
【０２０３】
上述されたストリッパプレート１７０とほぼ同じく、後退形態では、ストリッパプレート１２７０は、ストリッパプレート１２７０の前端部１２７５が遠位を向いた状態で、外側シャフト１１４の内周内に角度θ°で配向される。ストリッパプレート１２７０が、後退形態（図８）から展開形態（図１１）に動かされるとき、ストリッパプレート１２７０は、弾性の部材１５８、１６０の周りで傾転し、長手方向の軸「Ａ−Ａ」に対して第２の角度θ°で自らを配向する。ストリッパプレート１２７０が展開形態にあるとき、内側シャフト１１６の外側シャフト１１４に対する近位移動は、ストリッパプレート１２７０の後端部１２７３が外側シャフト１１４の遠位端に接触するようにし、パウチ１２２がストリッパプレート１２７０の前端部１２７５に接触するようにして、内側シャフト１１６の遠位端において、支持部材１２８の弾性の部材１５８、１６０からパウチ１２２を切り離す。
【０２０４】
図９Ｅを参照すると、ストリッパプレート１３７０は、第１の開口１３７１が略長方形の形態を含むことを除いて、ストリッパプレート１２７０と同様である。ストリッパプレート１３７０の他の全ての特徴、すなわち、第２の開口１３７２ａおよび１３７２ｂ、主軸および副軸のそれぞれ「Ｂ−Ｂ」および「Ｃ−Ｃ」、前端部１３７５、後端部１３７３、および周壁１３７９は、ストリッパプレート１２７０と同一であり、同じように動作する。
【０２０５】
図９Ｆを参照すると、ストリッパプレート１４７０は、ストリッパプレート１４７０の後端部１４７５がまた、第１の開口１４７１に隣接する突出部または突起１４７８を含むことを除いて、ストリッパプレート１２７０と同様である。突起１４７８は、前端部１４７５から外向きに第２の開口１４７２ａおよび１４７２ｂの直近まで延在する。実施形態では、突出部１４７８は、半円の形態または円形の形態を含んでもよい。その結果、第１の開口１４７１は、後端部１４７５および後端部１４７５から外向きに延在する内周前縁部１４９１と略同一平面にある内周後縁部１４９０を含む。ストリッパプレート１４７０の他の全ての特徴、すなわち、第２の開口１４７２ａおよび１４７２ｂ、主軸および副軸のそれぞれ「Ｂ−Ｂ」および「Ｃ−Ｃ」、前端部１４７５、後端部１４７３、ならびに傾斜した縁部１４７９は、ストリッパプレート１２７０と同一であり、同じように動作する。後端部１４７５は、頂部１４９４ａおよび底部１４９４ｂを含む。傾斜した外周縁部１４７９は、ストリッパプレート１４７０が、展開に先立って、外側シャフト１１４の内周内に特定の配向で着座するのを容易にするため、それぞれ、頂部および底部１４９４ａおよび１４９４ｂの両方から前端部１４７３に向かって同じ角度で延在する。
【０２０６】
後退形態では、ストリッパプレート１４７０は、ストリッパプレート１４７０の後端部１４７５および突出部１４７８が近位を向いた状態で、外側シャフト１１４の内周内に角度θ°で配向される。ストリッパプレート１４７０が後退形態（図８）から展開形態（図１１）に動かされるとき、ストリッパプレート１４７０は、弾性の部材１５８、１６０の周りで傾転し、長手方向の軸「Ａ−Ａ」に対して第２の角度θ°で自らを配向する。ストリッパプレート１４７０が展開形態にあるとき、内側シャフト１１６の外側シャフト１１４に対する近位移動は、ストリッパプレート１４７０の後端部１４７５が外側シャフト１１４の遠位端と接触するようにし、パウチ１２２がストリッパプレート１４７０の前端部１４７３に接触するようにして、内側シャフト１１６の支持部材１２８の弾性の部材１５８、１６０からパウチ１２２を切り離す。突出部１４７８は、外側シャフト１１４の内周内に受容されるように設計され、軸「Ａ−Ａ」に沿って、ストリッパプレート１４７０をそれに対して中心に置く（図８参照）。
【０２０７】
実施形態では、突出部１４７８は、外側シャフト１１４内でのストリッパプレートの整列と弾性の部材１５８、１６０からのパウチ２２の切り離しとを容易にするために、後端部１４７５および前端部１４７３の両方の上に含まれ得る。
【０２０８】
図９Ｇを参照すると、ストリッパプレート１５７０は、縫合糸「Ｓ」を誘導するための第２の開口１５７２ａおよび１５７２ｂが、ストリッパプレート１７０の第２の三角形形状の開口１７２と異なる点を除いて、ストリッパプレート１７０と同様である。ストリッパプレート１５７０の他の全ての特徴、すなわち、主軸および副軸のそれぞれ「Ｂ−Ｂ」および「Ｃ−Ｃ」、前端部１５７５、後端部１５７３、ならびに周壁１５７９は、ストリッパプレート１７０と同一であり、同じように動作する。
【０２０９】
一対の第２の開口１５７２ａおよび１５７２ｂは、ストリッパプレート１５７０を通して延在する。各開口１５７２ａ、１５７２ｂは、上記のように、試料回収デバイス１１０の縫合糸「Ｓ」の対応する部分を受容するように構成される。一対の第２の開口１５７２ａおよび１５７２ｂは、縫合糸「Ｓ」が試料回収装置１１０のパウチ１２２（図７）を閉じるように近位に引かれる際、縫合糸「Ｓ」を誘導するのに役立つように構成される。
【０２１０】
上記のストリッパプレート１７０とほぼ同じく、後退形態では、ストリッパプレート１５７０は、外側シャフト１１４の内周内で角度θ°に配向される。ストリッパプレート１５７０が後退形態（図８）から展開形態（図１１）に動かされるとき、ストリッパプレート１５７０は、弾性の部材１５８、１６０の周りで傾転し、長手方向の軸「Ａ−Ａ」に対して第２の角度θ°に自らを配向させる。ストリッパプレート１５７０が展開形態にあるとき、内側シャフト１１６の外側シャフト１１４に対する近位移動は、ストリッパプレート１５７０の後端部１５７３が外側シャフト１１４の遠位端に接触するようにし、そしてパウチ１２２がストリッパプレート１５７０の前端部１５７５に接触するようにして、内側シャフト１１６の支持部材１２８の弾性の部材１５８、１６０からパウチ１２２を切り離す。
【０２１１】
図９Ｈ−９Ｊは、縫合糸「Ｓ」を誘導し、そして弾性の部材１５８、１６０からパウチ１２２を切り離すのを助けることの両方に利用され得る、ストリッパプレートの代替的実施形態を示す。前述のストリッパプレート、例えば、ストリッパプレート１７０とは異なり、図９Ｈ−９Ｊに示されるストリッパプレートは、弾性の部材１５８、１６０をそこを通して受容する寸法の第１の開口を伴って構成されない。むしろ、これらのストリッパプレート設計は、弾性の部材１５８、１６０が、ストリッパプレートのいずれかの側部上で遠位に延在することができるように構成される。
【０２１２】
最初に図９Ｈを参照すると、ストリッパプレート１６７０が示され、そこを通して画定される中央に配置された開口１６７２を伴う、略円筒状の形態を含む。中央の開口１６７２は、上述した第２の開口、例えば、開口１７２とほぼ同じ様式で、それを通る縫合糸「Ｓ」に摩擦によって係合し、誘導するように構成される。円筒状形状のストリッパプレート１６７０はまた、ストリッパプレート１６７０が外側シャフト１１４内に支持されるとき、その中に画定され、開口１６７２と近接し、そして連通するように位置決めされたリリーフ１６９５を含む。より具体的には、ストリッパプレート１６７０が外側シャフト１１４の遠位端に置かれるとき、リリーフ１６９５は、シャフト１１４の近位端から開口１６７２までの縫合糸「Ｓ」の通過を容易にするため、外側シャフト１１４の長手方向の軸と実質的に平行な軸に沿って延在する。ストリッパプレート１６７０は、外側終端部１６９１ａ、１６９１ｂによって画定される長さ「Ｌ」を含む。長さ「Ｌ」は、外側シャフト１１４の内径の長さを上回り、ストリッパプレート１６７０が外側シャフト１１４から展開された後で、ストリッパプレート１６７０が外側シャフト１１４内に戻って動けないことを確実にする。
【０２１３】
後退形態では、ストリッパプレート１６７０は、弾性の部材１５８、１６０がストリッパプレート１６７０のいずれかの側部上で延在した状態で、外側シャフト１１４内に支持される。弾性の部材１５８、１６０の両方が、ストリッパプレート１６７０の１つの側部に沿って延在し得ることが想定される。ストリッパプレート１６７０が、後退形態（図８）から展開形態（図１１）まで動かされるとき、ストリッパプレート１６７０は、弾性の部材１５８、１６０のいずれかの側部上で自己整列し、そして外側シャフト１１４の遠位端を横切って延在する位置に自らを配向する。ストリッパプレート１６７０が展開形態にあるとき、内側シャフト１１６の外側シャフト１１４に対する近位移動は、ストリッパプレート１６７０が外側シャフト１１４の遠位端に接触するようにし、そしてパウチ１２２がストリッパプレート１６７０に接触するようにして、内側シャフト１１６の支持部材１２８の弾性の部材１５８、１６０からパウチ１２２を切り離す。
【０２１４】
図９Ｉは、ストリッパプレート１７７０を含み、ストリッパプレート１７７０が、ストリッパプレート１７７０の終端部の直径Ｄ１を上回る直径Ｄ２を有する中間部分１７９４を含むことを除いて、ストリッパプレート１６７０と同様である。ストリッパプレート１７７０の他の全ての特徴は、ストリッパプレート１６７０と同一であり、同じように動作する。
【０２１５】
例えば、リリーフ１７９５は、開口１７７２を通した縫合糸「Ｓ」の通過を容易にするように構成される。ストリッパプレート１７７０は、外側終端部１７９１ａ、１７９１ｂによって画定され、外側シャフト１１４の内径を上回る長さ「Ｌ」を含み、ストリッパプレート１７７０が外側シャフト１１４から展開させられた後で、ストリッパプレート１７７０が外側シャフト１１４内に戻って動かされることができないことを確実にする。ストリッパプレート１７７０の操作は、ストリッパプレート１６７０のそれと同一であり、本明細書ではさらに詳細には記載されない。
【０２１６】
図９Ｊは、ストリッパプレート１８７０を含み、ストリッパプレート１８７０は、開口１８７２を囲み、膨出した中間部分１８９４から両端１８９１ａおよび１８９１ｂに向かってテーパが付けられた膨出した中間部分１８９４を含むことを除いて、ストリッパプレート１６７０と同様である。加えて、ストリッパプレート１８７０は、その中に画定され、そこを通した縫合糸「Ｓ」の通過を容易にするため、開口１８７２と連通するリリーフ１８９５を含む。ストリッパプレート１８７０は、外側終端部１８９１ａ、１８９１ｂによって画定され、外側シャフト１１４の内径を上回る長さ「Ｌ」を含み、ストリッパプレート１８７０が外側シャフト１１４から展開された後で、ストリッパプレート１８７０が外側シャフト１１４内に戻って動かされ得ないことを確実にする。
【０２１７】
上記のストリッパプレート、ストリッパプレート１６７０および１７７０と同様に、内側シャフト１１６の外側シャフト１１４に対する近位移動は、ストリッパプレート１８７０が、外側シャフト１１４の遠位端に接触するようにし、そしてパウチ１２２がストリッパプレート１８７０に接触するようにして、内側シャフト１１６の支持部材１２８の弾性の部材１５８、１６０からパウチ１２２を切り離す。陥凹部１８９２ａおよび１８９２ｂは、ストリッパプレート１８７０の各それぞれの終端部１８９１ａおよび１８９１ｂに画定される。各陥凹部１８９２ａ、１８９２ｂは、外側シャフト１１４の遠位端の内周縁（図示せず）の対向する部分に係合するように構成される。理解され得るように、陥凹部１８９２ａ、１８９２ｂは、ストリッパプレート１８７０を外側シャフト１１４に対して着座させ、その結果、パウチ１２２からの弾性の部材１５８、１６０の切り離しを容易にする。
【０２１８】
図９Ｋを参照すると、ストリッパプレート１９７０が示され、そこを通して画定される中央に配置された開口１９７１を伴う、略中空円筒状の形態を含む。中央の開口１９７１は、弾性の部材１５８、１６０を収容するとともに、縫合糸「Ｓ」を誘導するように構成される。円筒状形状のストリッパプレート１９７０はまた、丸みを帯びた後端部１９７５と前端部１９７３とを含む。外向きに付勢された一連のタブ状一体ヒンジ１９９７は、ストリッパプレート１９７０の外周面１９８０を取り囲み、自己展開するように付勢され、以下に詳しく説明するように、ストリッパプレート１９７０が、外側シャフト１１４から展開させられたとき、ストリッパプレート１９７０の外周面１９８０から外向きに延在する。一連のスリット（または曲げリリーフ）１９９９は、ストリッパプレート１９７０の外周面１９８０内に画定され、それぞれの一体ヒンジ１９９７の間に挟装される。スリット１９９９は、組立の間の外側シャフト１４４の遠位端内への挿入のため、ストリッパプレート１９７０が内側に曲がることを可能にするように構成される。
【０２１９】
後退形態では、ストリッパプレート１９７０は、ストリッパプレート１９７０の後端部１９７５が近位を向き、ヒンジ１９９７とともに圧縮された状態で外側シャフト１１４の内周内に置かれる。弾性の部材１５８、１６０および縫合糸「Ｓ」の両方は、開口１９７１を通して延在する位置に置かれる。一体ヒンジ１９９７は、ストリッパプレート１９７０を外側シャフト１１４内に保持する摩擦嵌合による係合状態で、外側シャフト１１４の内周に対して付勢される。ストリッパプレート１９７０が展開形態にいったん動かされると、一体ヒンジ１９９７は、自己展開し、ストリッパプレート１９７０の外周面１９８０から外向きに延在して、ストリッパプレート１９７０が外側シャフト１１４内に再び入ることを防止する。内側シャフト１１６の外側シャフト１１４に対する近位移動は、ストリッパプレート１９７０の後端部１９７５の一部を外側シャフト１１４の内周内に強制し、一体ヒンジ１９９７が、外側シャフト１１４の遠位端またはリムに係合するようにして、ストリッパプレート１９７０全体が外側シャフト１１４の内周内に再び入ることを防止する。
【０２２０】
一体ヒンジ１９９７が外側シャフト１１４に対していったん置かれると、内側シャフト１１６のさらなる近位移動は、パウチ１２２をストリッパプレート１９７０の前端部１９７３と接触するようにして、内側シャフト１１６の支持部材１２８の弾性の部材１５８、１６０からパウチ１２２を切り離す。
【０２２１】
これまでに記述されたストリッパプレートの上記実施形態の全て、すなわち、１７０、１１７０、１２７０、１３７０、１４７０、１５７０、１６７０、１７７０、１８７０、および１９７０は、共通の属性を有する。例えば、ストリッパプレートの主な目的は、外側シャフト１１４の遠位端に対する逆行止めとして作用することにより、（いったん展開された）試料バッグが、外側シャフト１１４内に引き戻されることが起きないようにすることである。いくつかの実施形態では、ストリッパプレートは、縫合糸「Ｓ」がプレートを通過する際の縫合糸「Ｓ」の固定点として作用し、ストリッパプレートの裏側でそれ自体および／またはストリッパプレートに固着される。このプレートはまた、縫合糸が、縫合糸開口、例えば、開口１１７２ａを通して逆送されないように防止するように作用する。いくつかの実施形態では、ストリッパプレートは、外側シャフト１１４の内周を通して遠位方向に摺動可能であるが、いったん展開させられると、外側シャフト１１４内へのプレートの再入を起こさないようにするため、このプレートは、（ほとんどの場合）反転、もしくは自ら再配向するように設計される。
【０２２２】
いくつかの実施形態では、プレート内の開口、例えば、開口１１７１および１１７２は、弾性の部材１５８、１６０からの試料バッグ１２２の切り離しと、試料バッグ１２２の回収とを容易にするため、外側シャフト１１４の遠位端およびそこを通して延在する長手方向の軸「Ａ−Ａ」に対して自らを再配向させ、ストリッパプレートを事前配置するように構成される。いくつかの実施形態では、主開口、例えば、開口１１７１は、弾性の部材１５８、１６０および試料バッグ１２２がそこを通ることができるように設計される。いくつかの実施形態では、１つまたはそれを上回るリリーフは、そこを通る縫合糸「Ｓ」の並進を容易にし、プレートが長手方向の軸「Ａ−Ａ」に対して自ら再配向するのを容易にするため、ストリッパプレートに沿って配置される。
【０２２３】
図７を再び参照すると、試料回収デバイス１１０は、把持部１８６および連結部１８７を有する、くさび部材１８５を含む。くさび部材１８５は、後に詳述するように、ストリッパプレート１７０の不注意な展開を防止するため、部分的後退位置（図８）または出荷位置から伸展位置（図１１）への内側シャフト１１６の外側シャフト１１４に対する移動を防止するように設けられる。ストリッパプレート１７０のみが、本明細書で記載される試料回収デバイスの実施形態に関して記述され得る。しかしながら、上記ストリッパプレート１１７０、１２７０、１３７０、１４７０、１５７０、１６７０、１７７０、１８７０、および１９７０のいずれも、本明細書に記載される特徴および実施形態のいずれとも利用され得ることが予期される。
【０２２４】
図７および図８を参照すると、くさび部材１８５の把持部１８６は、臨床専門家による把持のために構成され、連結部１８７は、くさび部材１８５を試料回収デバイス１１０のハンドル１２３に隣接して内側シャフト１１６に着脱可能に連結するように構成される。くさび部材１８５の連結部１８７は、摩擦または圧入を介して、もしくは他の好適な連結方法および／またはデバイスを介して、内側シャフト１１６を連結してもよい。例えば、連結部１８７は、内側シャフト１１６を中に受容する寸法のチャネルを画定する、可撓性のアームを含むことができる。可撓性のアームは、内側シャフト１１６をチャネル内に受容するように離れて曲がり、内側シャフト１１６の周りにくさび部材１８５を着脱可能に固着するようにともに曲がる。
【０２２５】
上記のように、くさび部材１８５は、使用に先立つ出荷の間および準備の間に、外側シャフト１１４からのストリッパプレート１７０の不注意な展開を防止するように構成される。具体的には、くさび部材１８５の連結部１８７が内側シャフト１１６に連結されたとき、連結部１８７は、臨床専門家が内側シャフト１１６のハンドル１２３をその最遠位位置に動かすのを防止するため、試料回収デバイス１１０の筺体１１２の近位部分（図７）とハンドル１２２とに接触するように構成される。このように、くさび部材１８５は、内側シャフト１１６とハンドル１２３との間の分離を維持し、筺体１１２および外側シャフト１１４に対する内側シャフト１１６の完全伸展位置への移動を防止するスペーサとして機能する。
【０２２６】
試料回収デバイス１１０の操作は、試料回収デバイス１０のものと実質的に同様である。上記のように、試料回収デバイス１１０は、展開位置にあるパウチ２２と、図７および図８に示されるような部分的後退位置にある内側シャフト１１６とともに出荷される。使用に先立って、内側シャフト１１６は、小さな切開部または小径カニューレを通した外側シャフト１１６の挿入を容易にするため、パウチ１２２を外側シャフト１１４内に移動させるように、外側シャフト１１４に対して近位に動かされ得る。このようなとき、支持機構の弾性の部材１５８、１６０は、ストリッパプレート１７０の第１の開口１７１を通して外側シャフト１１４内に引き込まれ得る。その後、外側シャフト１１４は、上述のような様式で患者内の位置に置かれ得る。
【０２２７】
パウチ１２２およびストリッパプレート１７０を外側シャフト１１４から展開するために、くさび部材１８５は、連結部１８７を内側シャフト１１６から分離するようにくさび部材１８５の把持部１８６を引っ張ることによって、内側シャフト１１６から取り外される。その後、内側シャフト１１６は、筺体１１２と接触して伸展位置（図１０参照）まで動かされる。くさび部材１８５は、取り外されており、ハンドル１３３の移動を妨げないため、内側シャフト１１６は、完全伸展位置に動かされ得る。このようなとき、内側シャフト１１６の遠位端は、ストリッパプレート１７０を係合して外側シャフト１１４の遠位端から押す。図１−６に示されるデバイス１０に関して説明されたように、内側シャフト１１４のこの移動は、保持部材２６（図２Ａ）によってパウチ１２２が解放されることを引き起こす。ストリッパプレート１７０が外側シャフト１１４からいったん展開させられると、臨床専門家は、内側シャフト１１６を外側シャフト１１４に対して近位に動かすことができる。しかしながら、試料回収デバイス１０のパウチ２２とは異なり、試料回収デバイス１１０のパウチ１２２は、外側シャフト１１６の遠位端に接触するように構成され、試料回収デバイス１１０の弾性の部材１５８、１６０からパウチ１２２を分離させるため、回収デバイス１１０のパウチ１２２は、ストリッパプレート１７０の前端部１７５に接触するように構成される。パウチ１２２が内側シャフト１１６からいったん分離されると、臨床専門家は、試料回収デバイス１０に関して上述したような様式で、パウチ１２２を締め付けまたは閉じる操作に進み得る。
【０２２８】
図１２Ａ−１２Ｂを参照すると、本開示の別の実施形態による、試料回収デバイス２１０が図示される。試料回収デバイス２１０は、試料回収デバイス１０、１１０と同様に機能し、特に、図１−６に関して記述された保持部材２６およびスレッド２４のアセンブリを含む。したがって、試料回収デバイス２１０に特有の機能的特徴についてのみが、本明細書で記述される。
【０２２９】
試料回収デバイス２１０は、筺体２１２と、筺体２１２から遠位に延在する外側シャフト２１４とを含む。本明細書で開示される実施形態のそれぞれと同様に、筺体２１２および外側シャフト２１４は、単一ユニットとして一体に形成され得る。筺体２１２および外側シャフト２１４は一緒に、長手方向の軸に沿って延在する長手方向の穴２１４ａを画定する。筺体２１２および／または外側シャフト２１４は、長手方向の穴２１４ａを画定する内壁上に置かれた戻り止め２１８の形の１つまたはそれを上回る閉塞部材を含む。理解され得るように、より多くのまたはより少ない戻り止め２１８が、以下にさらに詳細に説明するように、筺体２１２の内壁上に置かれ得る。
【０２３０】
内側シャフト２１６は、筺体２１２および外側シャフト２１４の長手方向の穴２１４内に移動可能に置かれる。内側シャフト２１６は、内側シャフト１６のそれと同様の様式で機能するように構成される。内側シャフト２１６は、その遠位端において、上述された支持機構２８（図１）と同様の一対の弾性の部材（明示せず）を含む、支持機構２２８を支持する。弾性の部材は、上述されたパウチ２２およびパウチ１２２と実質的に同様のパウチ２２２を支持するように構成される。
【０２３１】
内側シャフト２１６は、パウチ２２２が展開され、ストリッパプレート１７０が外側シャフト２１４の遠位端内の位置に置かれた、回収デバイス２１０の出荷位置である部分的後退位置（図１２Ａ）から、完全後退位置まで、そしてその後、パウチ２２２およびストリッパプレート１７０が両方とも展開される伸展位置（図１２Ｂ）まで可動である。試料回収デバイス２１０は、以下にさらに詳細に説明するように、完全後退位置から伸展位置（図１２Ｂ）への内側シャフト２１６の移動を容易にするため、内側シャフト２１６の部分的後退位置（図１２Ａ）から完全後退位置（図１７）への後退の際に、内側シャフト２１６の有効ストロークを拡大するように機能する、駆動機構をさらに含む。
【０２３２】
図１３−１５をまた参照すると、内側シャフト２１６は、好適な形態の、１つまたはそれを上回る近位開口２２５ａと、１つまたはそれを上回る遠位開口２２５ｂとを含む。説明目的のため、２つの近位開口２２５ａと２つの遠位開口２２５ｂとが図示される。近位および遠位開口２２５ａ、２２５ｂのそれぞれは、以下にさらに詳細に説明するように、内側シャフト２１６に沿って長手方向に離間され、それぞれの突起２３３を受容する位置に置かれる。好適な形態の溝２２９は、近位および遠位開口２２５ａおよび２２５ｂのそれぞれの間で内側シャフト２１６に沿って画定され、各それぞれの遠位開口２２５ｂと連通する。溝２２９は、それぞれの戻り止め２１８を受容する寸法であるが、突起２３３の幅、ならびに開口２２５ａおよび２２５ｂより小さな幅を有する。説明目的のため、２つの溝２２９が図中に示される（例えば、図１６参照）。溝２２９は、内側シャフト２１６が、部分的後退位置（図１２Ａ）から完全後退位置（図１７）まで、外側シャフト２１４および筺体２１２に対して動かされたとき、筺体２１２の戻り止め２１８を摺動可能に受容するように構成される。理解され得るように、第２の溝２２９は、２つの開口２２５ａと２つの戻り止め２１８とが設けられた場合にのみ必要とされる。
【０２３３】
引き続き図１３−１５を参照すると、内側シャフト２１６は、内側シャフト２１６の有効ストロークを変更するように内側シャフト２１６上で再配置可能なハンドルまたは駆動デバイス２２３を含む。ハンドル２２３は、ハンドル２２３から遠位に延在し、ハンドル２２３が内側シャフト２１６に連結されたとき、内側シャフト２１６の近位端に設けられた空洞２３１（図１３）内に延在する、１つまたはそれを上回るアーム２２１を含む（例えば、図１３参照）。アーム２２１は、可撓性であり、ハンドル２２３を内側シャフト２２３に接続するため、内側シャフト２１６の近位および遠位開口２２５ａ、２２５ｂの１つの中に受容されるように構成された突起２３３（戻り止め、返し、または同等物）をその遠位端に含む。ハンドル２２３が、遠位開口２２５ａを介して内側シャフト２１６に接続されるとき、ハンドル２２３は、部分的後退位置（図１２Ａ）への内側シャフト２１６の前進を制限するため、筺体２１２の近位端に係合する位置に置かれる。対照的に、ハンドル２２３が、近位開口２２５ｂを介して、内側シャフト２１６に接続されるとき、内側シャフト２１６のストロークは、以下にさらに詳細に説明するように、図１２Ｂに示される伸展位置への内側シャフト２１６の移動を容易にするために伸ばされる。
【０２３４】
試料回収デバイス１０および１１０に関して上述したように、外科用回収デバイス２１０は、上述したような保持部材２６およびスレッド２４のアセンブリを含む。本アセンブリは、上述のように機能するため、本明細書では、さらなる詳細は示されず、説明もされない。代替として、上述した保持部材２４は、保持部材コネクタ２２６（図１３および図１４）によってハンドル２２３に直接接続され得る。保持部材２６は、パウチ２２２を内側シャフト２１６の支持機構２２８に着脱可能に連結するため上述のように機能するが、スレッド２４よりはむしろコネクタ２２６によって作動される。より具体的には、保持部材コネクタ２２６の近位部分は、１つまたはそれを上回る好適な連結方法を介して、内側シャフト２１６のハンドル２２３に動作可能に直接連結され、コネクタ２２６の遠位端は、保持部材２６に接続される。１つまたはそれを上回る付加的な溝（図示せず）が、内側シャフト２１６に沿って設けられ、以下にさらに詳述するように、保持部材コネクタ２２６を摺動可能に受容するように構成され、その結果、ハンドル２２３が内側シャフト２１６に対して動くとき、保持部材コネクタ２２６が、外側シャフト２１４を通して画定される長手方向の軸に沿って、内側シャフト２１６に対して動かされ得るようにする。
【０２３５】
ストリッパプレート（図１２Ａおよび図１２Ｂ）はまた、本明細書で開示されるストリッパプレートのいずれか、例えば、ストリッパプレート１７０に関して上述したように構成され機能する、試料回収デバイス２１０上に設けられ得る。さらに、シンチプラー、例えば、シンチプラー６２ならびに縫合糸「Ｓ」は、上述のように、パウチ２２２の閉鎖を容易にするように設けられ得る。
【０２３６】
図１２Ａおよび図１６を参照すると、試料回収デバイス２１０は、パウチ２２２が展開形態（図１２Ａ）にあり、内側シャフト２１６が部分的後退位置にある状態で出荷され得る。この位置で、アーム２２１の突起２３３は、遠位開口２２５ｂ内に受容され（図１６）、ハンドル２２３は、筺体２１２および外側シャフト２１４に対する内側シャフト２１６のさらなる遠位並進を防止するため、筺体２１２との当接位置に置かれる。図１２Ａに示されるように、ハンドル２２３をこの位置にした状態で、パウチ２２２は、外側シャフト２１４から展開され、ストリッパプレート１７０は、外側シャフト２１４の遠位端内に留まり得る。
【０２３７】
試料回収デバイス２１０の使用に先立って、内側シャフト２１６は、パウチ２２２を外側シャフト２１４内に置くため、外側シャフト２１４に対して近位に動かされ（図１３）、外側シャフト２１４が、自然または人工的なオリフィスを通して挿入され得、体腔内の標的組織に隣接して置かれ得るようにする。図１６Ａ−１７を参照すると、ハンドル２２３が、内側シャフト２１６を完全後退位置に向けて動かすように近位に引かれる際、筺体２１２（または外側シャフト２１４）の内壁に沿って形成された戻り止め２１８は、溝２２９に沿って動き、ハンドル２２３のアーム２２１上に形成された突起２３３との係合状態になる（図１６Ａ）。戻り止めが突起２３３に係合するとき、戻り止め２１８上に形成されたテーパ付きカム２１８ａの表面が、アーム２２１を外向きに変形させ、突起を遠位開口２２５ａから外すようにする（図１６Ｂ）。突起２３３が開口２２５ａから脱合されたとき、ハンドル２２３は、突起２３３が近位突起２２５ｂ内に嵌合するまで、内側シャフト２１６から独立して近位に動く（図１７）。上記のように、ハンドル２２３は、コネクタ２２６によって、保持部材２６に直接接続され得る（図２Ａ）。このように、ハンドル２２３が内側シャフト２１６から独立して近位に動くとき、保持部材２６は、保持部材２６を突起３４から脱係合するために、内側シャフト２１６上の突起３４との係合から引き戻され得る。
【０２３８】
図１２Ｂおよび図１８を参照すると、いったん、突起２３３が内側シャフト２１６の近位開口部２２５内に受容され、ハンドル２２３が内側シャフト２１６に再連結されると、ハンドル２２３は、外側シャフト２１４からパウチ２２２およびストリッパプレート、例えば、ストリッパプレート１７０を展開するため、内側シャフト２１６を完全伸展位置に前進させるように近位に動かされ得る（図１２Ｂ）。図１６および１７に図示されるように、内側シャフト２１６に対するハンドル２２３の再配置は、パウチ２２２およびストリッパプレート１７０の両方の展開を容易にするため、内側シャフト２１６の有効ストロークをＤ２−Ｄ１と等しい距離だけ増加させる。
【０２３９】
試料回収パウチ２１０が展開され、外科的処置が完了した後で、パウチは、上記のように、内側シャフト２１６から脱合され得る。より具体的には、ハンドル２２３は、内側シャフト２１６を完全後退位置に後退させるように後退され得る。内側シャフトが外側シャフト２１４内に引き戻されると、パウチ２２２は、ストリッパプレート、例えば、ストリッパプレート１７０との接触に動かされ、ストリッパプレートは、外側シャフト２１４の遠位端に当接する。上記のように、この係合は、内側シャフト２１６がさらに近位に動かされた際、支持機構２２８の弾性の部材からのパウチ２２２の摺抜を引き起こす。一旦、パウチ２２２が支持機構２２８から切り離されると、（例えば、シンチプラー６２と同様の）シンチプラーが、上述のような方法でパウチ２２２を閉じるように作動され得る。
【０２４０】
図１９−２１を参照すると、本開示の代替的実施形態による、試料回収デバイス３１０が図示される。図１９−２１に図示された実施形態では、駆動デバイスは、取り外し可能なハンドル３２３の形態をとり、試料回収デバイス３１０の内側シャフト３１６に取り外し可能に連結される。ハンドル３２３は、二重の目的を果たす。より具体的には、ハンドル３２３は、外側シャフト３１４に対して内側シャフト３１６を動かすため、そしてまた、試料回収デバイス３１０の支持機構３２８上に支持されたパウチ３２２の開口端を締めるために動作可能である。ハンドル３２３の遠位部分は、外側シャフト３１４内に嵌合し得、もしくは代替として、外側シャフト３１４に当接し得る。
【０２４１】
試料回収デバイス３１０は、ハンドル３２３の上面３９３に枢動可能に配置された解放機構３９０を含む。具体的には、解放機構３９０は、一体ヒンジ３９０がハンドル３２３の上面３９３と解放機構３９０との間に形成されるように、ハンドル３２３にオーバーモールドされ得る。代わりに、他のヒンジ機構が、解放機構３９０をハンドル３２３に固着させるために用いられ得る。解放機構３９０は、ハンドル３２３が内側シャフト３１６に連結される係止形態（図２０）から、ハンドル３２３が内側シャフト３１６から切り離される係止解除形態（図２１）まで可動である。解放機構３９０の近位端３９０ａは、解放機構３９０の機械的インターフェース、例えば、戻り止め３９４を内側シャフト３１６上の対応する機械的インターフェース、例えば、窪み３９１から脱係合し、内側シャフト３１６からハンドル３２３を切り離すために押下可能である（図２０および図２１）。解放機構３９０は、解放機構３９０を係止形態に押し付けるように付勢されるか、もしくは元来弾性である。シンチ、例えば、縫合糸「Ｓ」は、上述のように、パウチ開口部の閉鎖を容易にするため、ハンドル３２３の遠位端に連結された近位端と、パウチ３２２の開口部の周りに置かれた遠位端とを有する。
【０２４２】
使用時には、解放機構３９０が係止形態にある状態で、内側シャフト３１６は、パウチ３２２を外側シャフト３１４内で動かすように外側シャフト３１４に対して動かされ得、その結果、外側シャフト３１４が患者上の自然または人工的なオリフィスを通して挿入され得、標的組織に隣接して置かれるようにする。
【０２４３】
その後、試料回収デバイス３１０は、試料回収デバイス１０、１１０、２１０に関して上述したように、試料回収デバイス３１０の支持機構の弾性の部材からパウチ３２２を切り離すように構成され得る。
【０２４４】
パウチが内側シャフト３１６からいったん切り離されると、内側シャフト３１６は、例えば、ストリッパプレートまたは外側シャフト３１４の遠位端を用いた、支持機構３２８からのパウチ３２２の分離を容易にするように後退され得る。次に、解放機構３９０は、内側シャフト３１６からハンドル３２３を解放するために押下され得る。その後、ハンドル３２３は、パウチ３２２を締め付けるために、デバイス３１０に対して近位に動かされ得る。理解され得るように、解放機構３９０を利用する試料回収デバイス３１０は、試料回収デバイス３１０をより直感的に使用できるようにする。
【０２４５】
図２２を参照すると、本開示の別の実施形態による、試料回収デバイス４１０が図示される。本実施形態は、上述した試料回収デバイス１１０および２１０のくさび部材１８５、２８５を置き換えるように構成されたレバー４８５の形態をとるロックアウトデバイスを利用する。具体的には、レバー４８５は、筺体４１２の近位端と内側シャフト４１６のハンドル４２３の遠位端との間の係合を防止するように、ハンドル４２３に係合する位置にレバー４８５が置かれた係止形態から、筺体４１２の近位端とハンドル４２３との間の係合を可能にするように、レバー４８５がハンドル４２３から離間させられた係止解除形態（仮想線で示される）まで可動である。レバー４８５は、ストリッパプレート、例えば、ストリッパプレート１７０（図８）の不注意な展開を防止するため、内側シャフト４１６が係止形態で伸展位置に動くのを防止する。
【０２４６】
図２２に図示される実施形態では、レバー４８５は、略細長い形態を有し、筺体４１２の近位端に隣接して配置される。レバー４８５は、枢支ピンを介して筺体４１２に枢動可能に連結された前端部４８４と、ハンドル４２３の遠位端に係合するように構成された後端部４８６とを含む。レバー４８５は、筺体４１２の外側に画定されたノッチ４８３内に着座させられる。ノッチ４８３は、レバー４８５の少なくとも一部に接触するように構成された少なくとも１つの壁４８７によって画定され、レバー４８５を係止形態に維持する。試料回収デバイス４１０は、上記くさび部材１８５、２８５のうちの１つを利用する試料回収デバイス、例えば、試料回収デバイス１１０、２１０に関して上述したような様式で利用され得る。
【０２４７】
図２３Ａ−２３Ｃは、本開示の別の実施形態による、試料回収デバイス１０００の一部を図示する。上述のように、試料パウチを展開した状態で出荷することは、パウチ上に形成される記憶される折り皺が可能性を低減するのに有利である。試料回収デバイス１０００は、外側シャフト１０１４内に置かれたストリッパプレート１７０（図７）を伴い、外側シャフト１０１４の外部で、折り畳まれずに展開形態にあるパウチとともに使用されるため出荷され得る。出荷の間のストリッパプレート１７０の初期の展開を防止するため、内側シャフト１０１６は、試料回収デバイス１０００の外側シャフト１０１４の、体の小さな切開部またはカニューレを通した体腔内への配置を容易にするため、試料パウチが、外側シャフト１０１４内で（内側シャフト１０１６の近位移動を介して）引かれるまで、遠位に動くことが防止されなければならない。
【０２４８】
これを達成するため、試料回収デバイス１０００は、上記のくさび部材１８５および２８５ならびに固定具４８５と同様の機能を果たす構造、すなわち、筺体１０１２に対する内側シャフト１０１６の不注意な遠位前進を防止し、そのようにして、外側シャフト１０１４からのストリッパプレート１７０の時期尚早な展開を防止する構造を含む。
【０２４９】
１つの特定の実施形態では、試料回収デバイス１０００は、筺体１０１２と、筺体１０１２から遠位に延在する外側シャフト１０１４とを含む。図２３Ａを参照されたい。外側シャフト１０１４は、そこを通して長手方向の穴１０１１を画定する。内側シャフト１０１６（図２３Ａ）は、穴１０１１を通して選択的に並進可能である。内側シャフト１０１６は、管状であり得るか、もしくは外側シャフト１０１４内での相対的な回転を制限するように形作られ得る。例えば、内側および外側シャフトは、相対的回転を防止する１つまたはそれを上回る平坦部を含むことができる。カムロック１０８０（図２３Ｂ）は、筺体１０１２上に支持され、臨床専門家が、上述のように、トロカールを通した試料デバイス１０００の挿入を容易にするため、試料パウチ、例えば、２２、１２２を外側シャフト１０１４内に置くように内側シャフト１０１６を後退させるまで、筺体１０１２に対する内側シャフト１０１６の初期の遠位並進（ならびに、ストリッパプレート１７０の意図しない展開を防止する）を防止するように作用する。
【０２５０】
図２３Ａ−２３Ｃを参照すると、カムロック１０８０は、筺体１０１２上で枢支軸１０２４の周りに取り付けられ、カムロック１０８０が内側シャフト１０１６の初期の遠位並進を防止するように作用する第１の位置から、図７−２２の実施形態に関して上述したように、試料パウチ２２、１２２およびストリッパプレート１７０を展開するため、内側シャフト１０１６が外側シャフト１０１４内を遠位に並進可能である第２の位置まで回転可能である。カムロック１０８０は、略Ｃ形状で、それぞれ、第１および第２の部分１０８１ａおよび１０８１ｂを含む。第１の部分１０８１ａは、以下にさらに詳述するように、ストリッパプレート１７０の偶発的展開を防止するため、内側シャフト１０１６の外周の上部表面１０１６ａ上に配置された対応するインターフェース１０２２ａおよび１０２２ｂに係合するように構成される。カムロック１０８０の第２の部分１０８１ｂは、いったん回転すると、以下にさらに詳述するように、カムロック１０８０を第２の位置に係止するように構成される。
【０２５１】
カムロック１０８０の部分１０８１ａおよび１０８１ｂは、それぞれ、外面１０８４および１０８２と、内面１０８６および１０８７とを含む。内面１０８６および１０８７は、それらの間に開口１０８５を相互に画定する。第１の部分１０８１ａは、内側シャフト１０１６の上部表面１０１６ａの上方に置かれた第１の平面内を延在するように構成される一方、第２の部分１０８１ｂは、シャフト１０１６の側部１０１６ｂに係合するために、第１の平面からオフセットし、図２３Ａに見られるように、第１の平面の下方の第２の平面内を延在するように構成される。第２の部分１０８１ｂとシャフト１０１６の側部１０１６ｂとの間の係合は、図２３Ａで見たときのカムロック１０８０の時計回り方向の回転を防止し、内側シャフト１０１６の伸展位置に向かう並進を防止する。
【０２５２】
ある実施形態では、カムロック１０８０は、筺体１０１２の上に配置された枢支軸１０２４を受容するように構成された細長い枢支孔１０８３を画定する。ある実施形態では、枢支軸１０２４はまた、細長く、カムロック１０８０が第１の位置から第２の位置まで回転する際、細長い枢支孔１０８３を画定するカムロック１０８０の一部が枢支軸１０２４に係合し、枢支軸１０２４が、第２の位置にある枢支孔１０８３の内周１０８３ａに対して係止するような寸法となっている（図２３Ｃ参照）。枢支孔１０８３または枢支軸１０２４のいずれかは、カムロック１０８０を第２の位置に保持するため、カムロック１０８０と枢支部材１０２４との間に摩擦による係合をもたらすように形作られ得ることが想定される。
【０２５３】
上記のように、試料回収デバイス１０００は、パウチ２２、１２２が折り畳まれていないで、かつ展開形態で、ストリッパプレート１７０が外側シャフト１０１４内に置かれた未展開の状態となるように、内側シャフト１０１６を部分的後退位置にして出荷され得る。ストリッパプレート１７０の不注意な初期の展開を防止するため、内側シャフト１０１６は、カムロック１０８０によって、部分的後退位置から伸展位置に前進されることが防止される。より具体的には、カムロック１０８０の第１の部分１０８１ａの内面１０８６は、内側シャフト１０１６が部分的後退位置にあるとき（図２３Ａ）、内側シャフト１０１６上のインターフェース１０２２ａに当接する位置に最初に置かれる。カムロック１０８０は、カムロック１０８０の第２の部分１０８１ｂと内側シャフト１０１６の側部１０１６ｂとの間の係合により反時計回り方向にしか回転できないため、内側シャフト１０１６の遠位前進は、防止される。使用時に、臨床専門家は、試料回収デバイス１０００をその出荷コンテナから開梱し、内側シャフト１０１６を外側シャフト１０１４内で並進させるために、内側シャフト１０１６を近位に引くことで、デバイス１０００を手術空洞に挿入する準備を整える。上記のように、インターフェース１０２２ａは、内側シャフト１０１６の部分的後退位置（図２３Ａ）から伸展位置への移動を直接防止する。内側シャフト１０１６の外側シャフト１０１４内での近位並進は、試料パウチ２２、１２２を外側シャフト１０１６の遠位端内に引き戻す。臨床専門家は、内側シャフト１０１６のインターフェース１０２２ｂが第１の部分１０８１ａの外面１０８４に係合するまで、内側シャフト１０１６を近位に引き込む。インターフェース１０２２ｂがカムロック１０８０の第１の部分１０８１ａに係合するとき、インターフェース１０２２ｂは、カムロック１０８０を反時計回り方向に強制的に回転させる。シャフト１０１６を継続的に引き戻すと、カムロック１０８０は、強制的に、回転させられ、第２の位置（約９０度回転）（図２３Ｃ）に係止させられ、ここで、第１の部分１０８１ａは、内側シャフト１０１６に対して略平行となる。上述のように、第２の部分１０８１ｂ（および／または枢支孔１０８３内での枢支軸１０２４の形態）は、カムロック１０８０を第２の位置に係止させるのに用いられ得る。他の機構（図２４Ａ−２４Ｄに関して以下に説明される）もまた、本目的を達成するのに利用され得る。
【０２５４】
いったん試料パウチ２２、１２２が外側シャフト１０１４内に引き戻され、カムロック１０８０が第２の位置に係止すると、臨床専門家は、カムロック１０８０からの干渉を受けることなく患者の手術空洞内で試料パウチ２２、１２２を展開するために、内側シャフト１０１６を選択的に前進させてもよい。より具体的には、第２の位置では、カムロック１０８０は、内側シャフト１０１６の遠位並進の間に、内側シャフト１０１６上のインターフェース１０２２ａまたは１０２２ｂと干渉し、もしくはこれらに係合しない。内側シャフト１０１６の伸展位置への遠位前進はまた、ストリッパプレート、例えば、ストリッパプレート１７０を展開し得る。図７−１１を参照されたい。印または触覚的な要素（図示せず）が、内側シャフト１０１６が試料パウチ２２、１２２の展開をもたらす位置に置かれたことのフィードバックを臨床専門家に提供するため、試料回収デバイス１０００上に含まれ得る。
【０２５５】
図２４Ａ−２４Ｄに最良に示されるように、１つまたはそれを上回る機構が、カムロック１０８０を第２の位置に係止するために利用され得る。例えば、カムロック１０８０は、カムロック１０８０の第２の位置で、第２の部分１０８１ｂが、内側シャフト１０１６の側部１０１６ｂに近接して配置されたばね１０３２に係合し、カムロック１０８０を第２の位置に係止するように構成され得る。図２４Ａ−２４Ｄは、この一連の操作の詳細を示す。
【０２５６】
図２４Ａは、部分的に後退させられた出荷位置にある内側シャフトを伴う、カムロック１０８０の代替的実施形態を示す。この位置で、カムロック１０８０は、筺体１０１２の幾何学的形状、１つまたはそれを上回るピン、リブ、または示されない他の公知の係止機構のおかげで、時計回り方向に回転しないように防止される。この位置で、カムロック１０８０の第１の部分１０８１ａは、内側シャフト１０１６の側壁内に画定されるトラック１０２３内に延在し、トラック１０２３の１つの端部で画定されるインターフェース１０２２ａが、カムロック１０８０の第１の部分１０８１ａに当接する位置に置かれ、内側シャフト１０１６の遠位並進を防止する。カムロック１０８０の第２の部分１０８１ｂの外面１０８２は、ばね１０３２と接触する位置に置かれる。カムロック１０８０は、反時計回り方向に自由に回転する。以下にさらに詳細に説明するように、ばね１０３２は、カムロック１０８０の第２の部分１０８１ｂが、内側シャフト１０１６の近位並進の際にばね１０３２上で回転されるとき、臨床専門家に触覚的なフィードバックを提供するように構成され得る。
【０２５７】
図２４Ｂは、内側シャフト１０１６が筺体１０１２に対する完全後退に近い、試料回収デバイス１０００を示す。より具体的には、内側シャフト１０１６が完全後退に近づき、試料回収パウチ２２、１２２が外側シャフト１０１４内に引き戻されると、トラック１０２３のもう一方の端部に画定されるインターフェース１０２２ｂは、カムロック１０８０の第１の部分１０８１ａの外面１０８４に係合し、カムロック１０８０を第２の係止解除位置に向けて、図２４Ｂに見られるように反時計回り方向に強制的に回転させる。カムロック１０８０が第２の位置に向かって回転させられると、カムロック１０８０の第２の部分１０８１ｂは、ばね１０３２の付勢に抗して回転させられ、内側シャフト１０１６が完全後退に近づき、試料パウチ２２、１２２が外側シャフト１０１４内にほぼ完全に置かれたことを示す、触覚的なフィードバックを臨床専門家に提供する。
【０２５８】
図２４Ｃ−２４Ｄに最良に示されるように、内側シャフト１０１６が外側シャフト１０１４内にいったん完全に後退させられると（図２４Ｃ）、第２の部分１０８１ｂの延長部１０８７は、カムロック１０８０を第２の位置に係止するように、ばね１０３２上で回転し、これに対して係止する。第２の位置では、カムロック１０８０は、トラック１０２３の外位置に置かれ、上記のように、試料パウチ２２、１２２およびストリッパプレート１７０の展開をもたらすため、内側シャフト１０１６の筺体１０１２に対する伸展位置への円滑な遠位並進を可能にする。
【０２５９】
図２５Ａ−２７は、部分的後退位置または出荷位置から伸展位置への内側シャフト２０１６の移動を防止する、取り外し可能な出荷用くさび２１００の形をとった出荷固定具を有する、試料回収デバイス２０００の別の実施形態を示す。試料回収デバイス２０００は、上に詳細を述べた試料回収デバイスと同様であり、したがって、試料回収デバイス２０００に特有の特徴のみが本明細書に記述される。具体的には、臨床専門家は、内側シャフト２０１６が伸展位置に前進できるようになる前に、固定具を解除し、パウチ２２、１２２を外側シャフト２０１４内に動かすため、最初に、内側シャフト２０１６を部分的後退位置または出荷位置から完全後退位置に後退させる必要がある。その後、外側シャフト２０１４は、上述したような様式で患者内に置かれ得、試料パウチ２２、１２２およびストリッパプレート、例えば、１７０（図７−１１）は、完全に展開され得る。
【０２６０】
図２５Ａは、試料回収パウチ２２、１２２を引き戻し、展開するように、選択的に互いに対して並進可能な、それぞれ、筺体２０１２と、内側および外側シャフト２０１６、２０１４とを有する、試料回収デバイス２０００の分解斜視図を示す。溝またはスロット２０１８は、筺体２０１２内に画定され、取り外し可能な出荷用くさび２１００をその中に受容するように構成される。整列用チャネル２０１７は、内側シャフト２０１６内に画定され、以下に詳細をさらに説明するように、内側シャフト２０１６が完全に後退させられ、試料パウチ２２、１２２が外側シャフト２０１４内に引き戻されるとき、スロット２０１８と整列する寸法にされている。可撓性のフィンガ２０１９は、内側シャフト２０１６上でチャネル２０１７の近位に配置され、以下にさらなる詳細を説明するように、出荷用くさび２１００が試料回収デバイス２０００から取り外されるまで、完全後退位置から伸展位置に向かう内側シャフト２０１６の前進を防止するように構成される。加えて、内側シャフト２０１６は、出荷用くさび２１００の除去に先立つ、部分的後退位置から伸展位置への内側シャフト２０１６の移動を防止するため、内側シャフト２０１６が部分的後退位置または出荷位置にあるとき、出荷用くさび２１００に係合する位置に置かれた停止面２０２２を含む。
【０２６１】
図２５Ｂを参照すると、出荷用くさび２１００は、そこから延在する細長いシャフト２１１６を有する、ハンドル２１２０を含む。シャフト２１１６は、筺体２０１２内のスロット２０１８内に受容されるように構成されたインターフェース２１１０をその遠位端に含む。インターフェース２１１０は、ノッチ２０１１を画定する対向する表面２１１２および２１１４を含み、このノッチが、内側シャフト２０１６を摺動可能に受容する一方で、そこを通した内側シャフト２０１６の並進を可能にする。
【０２６２】
図２６に最良に示されるように、内側シャフト２０１６の部分的後退位置または試料回収デバイス２０００の出荷位置では、出荷用くさび２１００は、筺体２０１２内のスロット２０１８を通して置かれ、内側シャフト２０１６（またはその一部）がノッチ２１１１を通して受容される（図２５Ｂ）ようにする。出荷用くさび２１００は、インターフェース２１１０の表面２１１２、２１１４の内側シャフト２０１６側部との相互係合のおかげで、スロット２０１８から横方向に取り除かれないように防止されている。停止面２０２２は、内側シャフト２０１６の近位端上に配置され、出荷用くさび２１００を通り越す内側シャフト２０１６の初期の遠位並進を防止するため、内側シャフト２０１６に係合するように構成される（図２５Ａ）。これは、内側シャフトの遠位端が、外側シャフト２０１４からストリッパプレート、例えば、ストリッパプレート１７０を展開しないように防止する。停止面２０２２が出荷用くさび２１００に係合するように内側シャフト２０１６が部分的後退位置に置かれたとき、内側シャフト２０１６のさらなる遠位前進が防止される。この位置で、内側シャフト２０１６は、伸展位置から距離「ｄ」の位置に置かれる。距離「ｄ」は、外側シャフト２０１４からストリッパプレート１７０を展開するのに必要とされる滞留距離を表す。滞留距離「ｄ」は、ストリッパプレート１７０が外側シャフト２０１４の遠位端内に置かれた距離を上回ることができるものと想定される。出荷用くさび２１００が（以下に説明されるように）いったん取り外されると、内側シャフト２０１６は、外側シャフト２０１４からストリッパプレート１７０を展開するため（図７−１０参照）、その伸展位置まで遠位に並進させられ得る。
【０２６３】
試料回収デバイス２０００の使用に先立って、臨床専門家は、試料パウチ２２、１２２を外側シャフト２０１６の遠位端内に引き戻すようにハンドル２０２３を引き戻すことによって、内側シャフト２０１６を後退させる。臨床専門家は、内側シャフト２０１６上に配置された可撓性のフィンガ２０１９（図２５Ａ）が、図２７に示されるように、出荷用くさび２１００のインターフェース２１１０によって偏向され、その下に引き戻され、その近位側部に移動するまで、内側シャフト２０１６を近位に引き続ける。様々な公知の可聴または触覚的な要素は、内側シャフト２０１６が完全に後退させられ、試料パウチ２２、１２２が外側シャフト２０１４内に適正に引き戻されたことを示すフィードバックを臨床専門家に提供するのに利用され得る。例えば、臨床専門家は、可撓性のフィンガ２０１９が出荷用くさび２１００の下を通過した後に解放される際、嵌合を感じる、もしくは聴き得る。
【０２６４】
図２７に最良に示されるように、可撓性のフィンガ２０１９が出荷用くさび２１００のインターフェース２１１０の下を通過するとき、内側シャフト２０１６は、完全後退位置にあり、試料パウチ２２、１２２は、外側シャフト２０１４内の位置に置かれる。この時点で、内側シャフト２０１６の遠位移動は、出荷用くさび２１００が取り外されるまで、出荷用くさび２１００に係合する位置に置かれた可撓性のフィンガ２０１９によって防止される。
【０２６５】
内側シャフト２０１６が完全後退位置にあるとき、内側シャフト２０１６によって画定されるチャネル２０１７は、筺体２０１２内に画定される対応するスロット２０１８と整列し、試料回収デバイス２０００からの出荷用くさび２１００の除去を容易にする。
【０２６６】
出荷用くさび２１００をデバイス２０００から除去するため、臨床専門家は、内側シャフト２０１６に対して横の「Ｒ」（図２７）の方向に、出荷用くさび２１００のハンドル２１２０を引き、内側シャフト２０１６内のチャネル２０１７と筺体２０１２内のスロット２０１８とを通して出荷用くさび２１００を引き抜き、内側シャフト２０１６からインターフェース２１１０を解放する。出荷用くさびが取り外された状態で、内側シャフト２０１６は、試料パウチ２２、１２２を展開するように、自由に遠位並進する（図２７参照）。
【０２６７】
試料回収デバイス２０００の試料パウチ２２、１２２の不注意な展開を防止する方法がまた開示され、本方法は、スロット２０１８を伴う筺体２０１２と、内側シャフト２０１６と、外側シャフト２０１４とを有する、試料回収デバイス２０００を提供するステップを含む。外側シャフト２０１４は、そこを通して延在し、筺体２０１２につながる穴２０１１を画定する。内側シャフト２０１６は、穴２０１１の中に配置され、そこを通して並進可能であり、内側シャフトは、試料パウチ２２、１２２をその遠位端で着脱可能に支持するように構成された支持機構２８（図６参照）と、近位端に配置されたフランジ２０２２とを含む。取り外し可能な出荷用くさび２１００は、そこを通した内側シャフト２０１６の並進を可能にしつつ、内側シャフト２０１６を受容するように構成されたその遠位端に、インターフェース２１１０を含む。停止面２０２２は、内側シャフト２０１６の近位端に支持され、部分的後退位置または出荷位置から伸展位置への内側シャフト２０１６の完全遠位並進を防止するため、出荷用くさび２１００に係合する位置に置かれる。
【０２６８】
本方法はまた、筺体２０１２に対する内側シャフト２０１６の完全遠位並進を防止するため、筺体２０１２内のスロット２０１８を通してインターフェース２１１０を挿入するステップを含み、インターフェース２１１０が停止面２０２２に係合するようにする。
【０２６９】
試料回収デバイス２０００の試料パウチ２２、１２２を展開する方法がまた開示され、本方法は、その中に画定されたスロット２０１８を有する筺体２０１２と、筺体２０１２に接続され、そこから遠位に延在する外側シャフト２０１４とを含む、試料回収デバイス２０００を提供するステップを含む。外側シャフト２０１４は、そこを通して延在する穴２０１１を含む。内側シャフト２０１６は、外側シャフト２０１４の穴２０１１内に含まれ、配置され、そこを通して並進可能であり、内側シャフト２０１６は、内側シャフト２０１６の外周を横切って延在する、遠位端において画定されるチャネル２０１７を含む。内側シャフト２０１６はまた、試料パウチ２２、１２２をその遠位端で着脱可能に支持するように構成された支持機構２８（図６参照）と、内側シャフト２０１６上でチャネル２０１７の近位に配置された可撓性のフィンガ２０１９とを含む。停止面２０２２が、内側シャフト２０１６の最近位部分２０１６に配置される。
【０２７０】
取り外し可能な出荷用くさびもまた提供され、くさびは、内側シャフト２０１６の外周を包含する一方、そこを通して内側シャフト２０１６の並進を可能にするように構成されたインターフェース２１１０をその遠位端に含む。
【０２７１】
本方法はまた、筺体２０１２に対する内側シャフト２０１６の初期の遠位並進を防止するため、インターフェース２１１０が内側シャフト２０１６の最近位位置２０１６ａで停止面２０２２に係合するように、筺体２０１２内のスロット２０１８を通してインターフェース２１１０を挿入するステップと、内側シャフト２０１６の遠位並進を防止するように、出荷用くさび２１００のインターフェース２１１０を停止面２０２２が係合する第１の位置から、出荷用くさび２１００のインターフェース２１１０が内側シャフト２０１６のチャネル２０１７と整列する第２の位置まで、筺体２０１２に対して内側シャフト２０１６を近位に並進させるステップと、筺体２０１２内のスロット２０１８を通して出荷用くさび２１００を取り外すステップと、試料パウチ２２、１２２を展開させるように、内側シャフト２０１６を筺体２０１２に対して遠位に並進させるステップとを含む。
【０２７２】
本方法の近位に並進させるステップはまた、内側シャフト２０１６が第２の位置または完全後退位置に並進させられたとき、可撓性のフィンガ２０１９をインターフェースの近位側部上に置くように、内側シャフト２０１６の可撓性のフィンガ２０１９を出荷用くさび２１００のインターフェース２１１０を越えて付勢するステップと、出荷用くさび２１００が取り外されるまで、筺体２０１２に対する内側シャフト２０１６の遠位移動を防止するステップとを含んでもよい。
【０２７３】
図２８−３３を参照すると、本開示の別の実施形態による、試料回収デバイス３０００が図示される。上記のように、パウチ２２、１２２上に記憶される折り皺が形成される可能性を低減するため、試料パウチ２２、１２２が展開した状態で出荷することには利点がある。上述した試料回収デバイスと同様、パウチ２２、１２２は、折り畳まれず展開形態で外側シャフト３０１４の外に置かれ、ストリッパプレート、例えば、ストリッパプレート１７０（図７）は、外側シャフト３０１４内に置かれたて出荷される。
【０２７４】
上述された他の試料回収デバイスと同様に、内側シャフト３０１６は、小さな切開部またはカニューレを通した外科空洞内での試料回収デバイス３０００の配置を容易にするため、試料パウチ２２、１２２が外側シャフト３０１４内にまず引き戻されるまで、遠位に動くことが防止される。その後、外側シャフト３０１４は、上述のような様式で患者内の位置に置かれ得、試料パウチ２２、１２２は、その後、展開され得る。
【０２７５】
図２８は、それぞれ、内側および外側シャフト３０１６および３０１４を支持する筺体３０１２を含む、試料回収デバイス３０００を示す。内側シャフト３０１６は、外側シャフト３０１４を通して選択的に並進可能であり、第１および第２の部分３０１７および３０１９を有し、長手方向に延在するカムスロット３０１８を画定する。捩りばね３１００は、下記のように、筺体３０１２（または外側シャフト３０１４）の第１の端部に固定的に係合された第１の端部３１２０と、カムスロット３０１８内に乗設される寸法の第２の端部３１１５とを有する。捩りばね３１００は、捩りばね３１００の端部３１１５を捩りばね３１００の端部３１２０に向けて押し付けるような緊張状態にある。しかしながら、内側シャフト３０１６は、外側および内側シャフト３０１４、３０１６のそれぞれの幾何学的形状によって、外側シャフト３０１４内で回転可能に固定され、内側シャフト３０１６の筺体３０１２に対する回転を防止するようにする。チャネル３０２１は、カムスロット３０１８の第１および第２の部分３０１７および３０１９の遠位端の間に画定され、以下にさらに詳細に説明するように、捩りばね３１００の第２の端部３１１５が、カムスロット３０１８の第１の部分３０１７から第２の部分３０１９に並進するのを容易にするように構成される。
【０２７６】
カムスロット３０１８の第１の部分３０１７は、カムスロット３０１８の第２の部分３０１９よりも距離「Ｘ」だけ短い。距離「Ｘ」は、以下にさらに詳細に説明するように、ストリッパプレート、例えば、ストリッパプレート１７０を外側シャフト３０１４から展開するのに必要とされる滞留距離を表す。滞留距離「Ｘ」は、外側シャフト３０１４内でストリッパプレートが置かれる距離よりも大きくあり得、ストリッパプレート１７０を外側シャフト３０１４から展開するため、内側シャフト３０１６が、滞留距離「Ｘ」まで、もしくはこれを越えて、遠位に並進され得ることが想定される（図７−１０参照）。
【０２７７】
図２８および図２９に最良に示されるように、使用に先立って、臨床専門家は、試料回収デバイス３０００をその出荷コンテナから開梱し、デバイス３０００を外科手術空洞に挿入するための準備を整える。捩りばね３１００の端部３１１５は、内側シャフト３０１６が部分的後退位置にある状態で、カムスロット３０１８の第１の部分３０１７の近位端に隣接して最初に置かれる。カムスロット３０１８の第１の部分３０１７の近位端壁との捩りばね３１００の端部３１１５の係合は、外側シャフト３０１４からの試料パウチ２２、１２２およびストリッパプレート、例えば、ストリッパプレート１７０の不注意な展開を防止するように、内側シャフト３０１６の筺体３０１２に対する伸展位置へのさらなる遠位移動を防止する。
【０２７８】
使用時に、筺体３０１２は、臨床専門家により片手で確保され、内側シャフト３０１６の近位端３０２３は、外側シャフト３０１４の遠位端内に試料パウチ２２、１２２を引き込むように、筺体３０１２に対して後退させられる。内側シャフト３０１６が後退させられると、捩りばね３１００の端部３１１５は、捩りばね３１００の端部３１１５が、内側シャフト３０１６の完全後退位置において、第１の部分３０１７の遠位端に達するまで、カムスロット３０１８の第１の部分３０１７に沿って遠位に乗設される（図３０）。この時点で、捩りばね３１００の緊張は、カムスロット３０１８のチャネル３２１に沿った、カムスロット３０１８の第１の部分３０１７から第２の部分３０１９までの、捩りばね３１００の端部３１１５の移動を引き起こす（図３０および図３１参照）。捩りばね３１００の端部３１１５は、カムスロット３０１８の第２の部分３０１９に沿って付加的距離「Ｘ」（図２８）（部分３０１７と３０１９との間のオフセット「Ｘ」の長さ）を並進するので、臨床専門家は、その後、外側シャフト３０１４から試料パウチ２２、１２２およびストリッパプレートを展開させるため、内側シャフト３０１６を遠位に自由に並進させる（図３３参照）。
【０２７９】
同様の目的を達成するため、１つまたはそれを上回る捩りまたは螺旋ばね３１００が利用され得ることも想定される。様々な公知の可聴または触覚的な要素が、内側シャフト３０１６が完全に後退させられ、しかも試料パウチ２２、１２２が外側シャフト３０１４内に適正に後退させられたというフィードバックを臨床専門家に提供するのに利用され得る。例えば、臨床専門家は、捩りばね３１００がカムスロット３０１８のチャネル３２１を通して、カムスロット３０１８の第１の部分３０１７から第２の部分３０１９に遷移する際、嵌合または解放を感じるか、もしくは聴き得る。
【０２８０】
試料回収デバイス３０００の試料パウチ２２、１２２を展開する方法がまた開示され、本方法は、筺体３０１２および筺体３０１２に接続され、そこから遠位に延在し、そこを通して延在する穴３０１１を有する、外側シャフト３０１４を含む、試料回収デバイス３０００を提供するステップと、外側シャフト３０１４の穴３０１１の中に配置された内側シャフト３０１６を提供するステップとを含み、内側シャフト３０１６は、そこを通して選択的に並進可能であり、内側シャフト３０１６は、その遠位端において、試料回収デバイス３０００の試料パウチ２２、１２２を着脱可能に支持するように構成された支持機構２８（図６参照）を含み、内側シャフト３０１６は、その外周に画定されたカムスロット３０１８を含み、カムスロット３０１８は、内側シャフト３０１６内に画定され、それに沿って延在する第１および第２の部分３０１７、３０１９とそれらの間に画定されるチャネル３０２１とを含む。
【０２８１】
本方法はまた、捩りばね３１００の第１の端部３１２０を筺体３０１２に固着させるステップと、捩りばね３１００の第２の端部３１１５をカムスロット３０１８内に置くステップであって、捩りばね３１００の第２の端部３１１５は、内側シャフト３０１６の筺体３０１２に対する初期の遠位並進を防止するため、カムスロット３０１８の第１の部分３０１７の近位端に最初に置かれるステップと、捩りばね３１００の第２の端部３１１５が、捩りばね３１００の付勢の下で、チャネル３０２１に沿って、カムスロット３０１８の第１の部分３０１７の遠位端から第２の部分３０１９の遠位端内に移行できるようにするため、捩りばね３１００の第２の端部３１１５をカムスロット３０１８内で、カムスロット３０１８の第１の部分３０１７の近位端に位置する第１の位置から、カムスロット３０１８の第１の部分３０１７の遠位端に位置する第２の位置まで動かすように、内側シャフト３０１６を筺体３０１２に対して近位に並進させるステップと、試料パウチ２２、１２２を展開するように内側シャフト３０１６を筺体３０１２に対して遠位に並進させるステップとを含む。
【０２８２】
図３４Ａ−３８は、取り外し可能な出荷用くさび４１００の形態をとる出荷固定具を有する、試料回収デバイス４０００の別の実施形態を図示する。試料回収デバイス４０００は、上に詳細を述べた試料回収デバイスと同様であり、したがって、試料回収デバイス４０００に特有の特徴のみが本明細書に記述される。具体的には、臨床専門家は、試料パウチ２２、１２２を外側シャフト４０１４内に引き込み、出荷用くさび４１００の解放を容易にするため、最初に、内側シャフト４０１６を、部分的後退位置（図３４Ｂ）から後退位置（図３６Ｂ）まで外側シャフト４０１４に対して近位に動かさなければならない。その後、外側シャフト４０１４は、上述のように、患者内に置かれ得、次いで、試料パウチ２２、１２２が展開され得る。
【０２８３】
上記の他の試料回収デバイスと同様に、内側シャフト４０１６は、試料回収デバイス４０００の体腔内への配置を容易にするため、試料パウチ２２、１２２が外側シャフト４０１４に後退させられるまで、部分的後退位置または出荷位置から遠位に移動しないように防止される。
【０２８４】
試料回収デバイス４０００は、外側および内側シャフト４０１４および４０１６を支持する筺体４０１２を含む。内側シャフト４０１６は、外側シャフト４０１４内に画定される長手方向の穴４０１１を通して選択的に並進可能である。内側シャフト４０１６は、その長さに沿って長手方向に延在するカムスロット４０１７を画定する。カムスロット４０１７は、それぞれ、近位端および遠位端４０１３および４０１５を含む。端部４０１３および４０１５のそれぞれは、以下にさらに詳細に説明するように停止面を画定する。カムスロット４０１７の遠位端４０１５は、ノッチ４０１９に遷移する隆起表面４０１８を含む。出荷用くさび４１００は、内側シャフト４０１６のハンドル４０２３と筺体４０１２との間で内側シャフト４０１６の周りに支持され、出荷用くさび４１００がデバイス４０００から取り外されるのに先立って、内側シャフト４０１６が伸展位置に前進させられないように防止する。ノッチ４０１９は、カムスロット４０１７の最遠位端に画定され、以下に詳述するように、試料回収デバイス４０００からの出荷用くさび４１００の除去を容易にするように構成される。ノッチ４０１９は、カムスロット４０１７の遠位端に置かれ、停止面４０１９ａを画定する。
【０２８５】
出荷用くさび４１００は、切り欠き４１０５ａ（図３４Ａ）を画定し、本体４１０５の上部表面から延在するフランジ４１１０を有する、本体４１０５を含む。フランジ４１１０は、切り欠き４１０５内に延在する、弾性フィンガ４１１２を有する。フィンガ４１１２は、フランジ４１１０から切り欠き４１０５ａを通して下向きに延在し、カムスロット４０１７内に乗設される寸法にされている（図３４Ｂ、３５Ａ、および３５Ｂ参照）。フィンガ４１１２は、ノッチ４０１９内に横向きに挿入される。その後、内側シャフト４０１６は、出荷用くさび４１００を出荷デバイス上で係止させるため、フィンガ４１１２をカムスロット４０１７内に置くように遠位に動かされる。より具体的には、出荷用くさび４１００は、デバイス４０００からの出荷用くさび４１００の除去を可能にするため、フィンガ４１１２をノッチ４０１９に整列させなければならない。
【０２８６】
出荷用くさび４１００は、出荷用くさび４１００の本体４１０５から延在する、１つまたはそれを上回る支持体４１１５ａおよび４１１５ｂ（図３４Ａ参照）を含む。支持体のそれぞれは、筺体４０１２、例えば、フィンガリング４０１２ａおよび４０１２ｂに係合するように構成される（図３５Ａ参照）。支持体４１１５ａおよび４１１５ｂは、出荷用くさび４１００を筺体４０１２に取り付けるように構成される。除去タブ４１１３は、本体４１０５上に配置され、出荷用くさび４１００が把持され、デバイス４０００から横方向に取り外され得るように構成される。
【０２８７】
使用に先立って、カムスロット４０１７の近位端４０１３とのフィンガ４１１２の係合は、内側シャフト４０１６の外側シャフト４０１４に対する伸展位置へのさらなる前進を防止する。使用時に、筺体４０１２は、臨床専門家によって片手で把持され、内側シャフト４０１６の近位端またはハンドル４０２３は、試料パウチ２２、１２２（図７）を外側シャフト４０１４の遠位端内に引き込むように後退させられる。内側シャフト４０１６が後退させられると、フランジ４１１０のフィンガ４１１２は、フィンガ４１１２が隆起表面４０１８に係合するまでカムスロット４０１７内に乗設される。隆起表面４０１８は、フィンガ４１１２が、カムスロット４０１７の遠位端にあるノッチ４０１９に接近したことの触覚的なフィードバックを臨床専門家に提供するようにフィンガ４１１２を変形させる。弾性フィンガ４１１２が隆起表面４０１８上に嵌合するとき、停止面４０１９ａとカムスロット４０１７の遠位端との間におけるフィンガ４１１２の配置は、出荷用くさび４１００がデバイス４０００から取り外されるのに先立って、内側シャフト４０１６が外側シャフト４０１４に対して前進または後退されることを防止する。
【０２８８】
内側シャフト４０１６が弾性フィンガ４１１２をノッチ４１１９内に置くように後退位置にいったん動かされると、臨床専門家は、出荷用くさび４１００を試料回収デバイス４０００から取り外すため、出荷用くさび４１００の除去タブ４１１３を「Ｒ」（図３６Ａ）方向に横に引き得る。一旦取り除かれると、臨床専門家は、外側シャフト４０１４から試料パウチ２２、１２２を展開するため、内側シャフト４０１６を自由に遠位に並進させる（図３７および図３８参照）。試料回収デバイス４０００の試料パウチ２２、１２２の不注意な展開を防止する方法がまた開示され、本方法は、取り外し可能な出荷用くさび４１００を試料回収デバイスの筺体４０１２上に支持するステップであって、出荷用くさび４１００のばね状フランジ４１１０のフィンガ４１１２が、本デバイスの内側シャフト内に画定されるカムスロット４０１７内に配置され、フィンガ４１１２がカムスロット４０１７の近位端４０１３と当接関係の状態で、内側シャフト４０１６の筺体４０１２に対する初期の遠位並進を防止するようにするステップを含む。
【０２８９】
試料回収デバイス４０００の試料パウチ２２、１２２を展開する方法がまた開示され、本方法は、筺体４０１２と、筺体４０１２に接続され、そこから遠位に延在する外側シャフト４０１４であって、そこを通して延在する長手方向の穴４０１１を画定する外側シャフト４０１４とを有する、試料回収デバイス４０００を提供するステップを含む。内側シャフト４０１６は、外側シャフト４０１６の穴４０１１内に配置され、そこを通して並進可能であり、内側シャフト４０１６は、その遠位端において、試料回収デバイス４０００の試料パウチ２２、１２２を着脱可能に支持するように構成される、支持機構２８（図７−１１）を含む。内側シャフト４０１６はまた、それに沿って延在するカムスロット４０１７を画定し、カムスロット４０１７は、近位端４０１３と、その中に画定されたノッチ４０１９を有する遠位端４０１５とを含む。本体４１０５を有する取り外し可能な出荷用くさび４１００は、内側シャフト４０１６のハンドル４０２３と筺体４０１２との間で、内側シャフト４０１６の周囲に固着される。出荷用くさび４１００は、その上部表面から延在するばね状フランジ４１１０を含み、フランジ４１１０の遠位端にフィンガ４１１２を有し、フィンガ４１１２は、カムスロット４０１７内に乗設される寸法にされている。１つまたはそれを上回る支持体４１１５ａおよび４１１５ｂは、本体４１０５の対向する端部から延在し、各支持体４１１５ａおよび４１１５ｂは、筺体４０１２の対向する側部に係合するように構成される。
【０２９０】
本方法はまた、内側シャフト４０１６の筺体４０１２に対する初期の遠位並進を防止するため、ばね状フランジ４１１０のフィンガ４１１２がカムスロット４０１７の近位端４０１３と当接関係に配置されるように、取り外し可能な出荷用くさび４１００を筺体４０１２および内側シャフト４０１６に係合させるステップと、ばね状フランジ４１１０のフィンガ４１１２が、カムスロット４０１７に沿って乗設され、カムスロット４０１７の遠位端においてノッチ４０１９内で最も低い位置になるように、内側シャフト４０１６を筺体４０１２に対して後退させるステップと、筺体４０１２および内側シャフト４０１６から出荷用くさび４１００を取り外すステップと、試料パウチ２２、１２２を展開させるように、内側シャフト４０１６を筺体４０１２に対して遠位に並進させるステップとを含む。
【０２９１】
上記に加えて、試料回収デバイス、１０、１１０、２１０、３１０、４１０、１０００、２０００、３０００、および４０００は、他のパウチ形態および／または解放機構を伴う使用のために構成され得る。そのようなパウチ形態およびそれらに関連する解放機構は、参照によってその全体が本明細書によって組み込まれる、２０１３年３月１日にＭａｌｋｏｗｓｋｉらによって出願された、「Ｓｐｅｃｉｍｅｎ  Ｒｅｔｒｉｅｖａｌ  Ｄｅｖｉｃｅ  Ｗｉｔｈ  Ｐｏｕｃｈ  Ｓｔｏｐ」と題される、同位置出願人による米国仮特許出願第６１／７７１，１２９号に記載されている。
【０２９２】
本開示のいくつかの実施形態が図面に示されているが、本開示は、本開示が当該分野が許容する限り広く、しかも明細書も同様に読まれることが意図されているため、本開示は、これらに限定されることは意図されない。したがって、上記の説明は、限定するものとしてではなく、単に特定の実施形態の例示として解釈されるべきである。当業者は、本明細書に添付の特許請求の範囲および思想内で他の改変を想定し得る。加えて、１つの例示的実施形態に関連して図示または記述された要素および特徴は、本開示の範囲から逸脱することなく、別の実施形態の要素および特徴と組み合わせられ得、しかもそのような改変および変形もまた本開示の範囲内に含まれることが意図されるものと想定される。したがって、本発明は、添付の請求項によって示されるものを除いて、具体的に図示および記載されたものに限定されない。
【図１】
0006449292.tif 000002
【図２】
0006449292.tif 000003
【図２Ａ】
0006449292.tif 000004
【図３】
0006449292.tif 000005
【図４】
0006449292.tif 000006
【図５】
0006449292.tif 000007
【図６】
0006449292.tif 000008
【図７】
0006449292.tif 000009
【図８】
0006449292.tif 000010
【図９Ａ】
0006449292.tif 000011
【図９Ｂ】
0006449292.tif 000012
【図９Ｃ】
0006449292.tif 000013
【図９Ｄ】
0006449292.tif 000014
【図９Ｅ】
0006449292.tif 000015
【図９Ｆ】
0006449292.tif 000016
【図９Ｇ】
0006449292.tif 000017
【図９Ｈ】
0006449292.tif 000018
【図９Ｉ】
0006449292.tif 000019
【図９Ｊ】
0006449292.tif 000020
【図９Ｋ】
0006449292.tif 000021
【図１０】
0006449292.tif 000022
【図１１】
0006449292.tif 000023
【図１２Ａ】
0006449292.tif 000024
【図１２Ｂ】
0006449292.tif 000025
【図１３】
0006449292.tif 000026
【図１４】
0006449292.tif 000027
【図１５】
0006449292.tif 000028
【図１６】
0006449292.tif 000029
【図１６Ａ】
0006449292.tif 000030
【図１６Ｂ】
0006449292.tif 000031
【図１７】
0006449292.tif 000032
【図１８】
0006449292.tif 000033
【図１９】
0006449292.tif 000034
【図２０】
0006449292.tif 000035
【図２１】
0006449292.tif 000036
【図２２】
0006449292.tif 000037
【図２３Ａ−２３Ｂ】
0006449292.tif 000038
【図２３Ｃ】
0006449292.tif 000039
【図２４Ａ】
0006449292.tif 000040
【図２４Ｂ】
0006449292.tif 000041
【図２４Ｃ】
0006449292.tif 000042
【図２４Ｄ】
0006449292.tif 000043
【図２５Ａ】
0006449292.tif 000044
【図２５Ｂ】
0006449292.tif 000045
【図２６】
0006449292.tif 000046
【図２７】
0006449292.tif 000047
【図２８】
0006449292.tif 000048
【図２９】
0006449292.tif 000049
【図３０】
0006449292.tif 000050
【図３１】
0006449292.tif 000051
【図３２】
0006449292.tif 000052
【図３３】
0006449292.tif 000053
【図３４Ａ】
0006449292.tif 000054
【図３４Ｂ】
0006449292.tif 000055
【図３５Ａ】
0006449292.tif 000056
【図３５Ｂ】
0006449292.tif 000057
【図３６Ａ】
0006449292.tif 000058
【図３６Ｂ】
0006449292.tif 000059
【図３７】
0006449292.tif 000060
【図３８】
0006449292.tif 000061